(57)【要約】【課題】Ｎｅｔｗｏｒｋ  Ｓｌｉｃｅ及びＤｅＣＯＲに好適なデータ送受信のための通信手続きを提供する。【解決手段】通信事業者が管理するコアネットワーク内に１又は複数のＮｅｔｗｏｋ  Ｓｌｉｃｅを持ち、更にＮｅｔｗｏｋ  Ｓｌｉｃｅ内は1又は複数のＮｅｔｗｏｒｋ  Ｆｕｎｃｉｔｏｎにより構成され、端末装置の登録情報又は端末装置の要求に基づいて、端末装置が、サービス又はアプリケーションに対応した１又は複数のＮｅｔｗｏｋ  Ｓｌｉｃｅへ接続するための処理を実行する。更に、ネットワークから認証結果に基づいて、端末装置が追加のＮｅｔｗｏｋ  Ｓｌｉｃｅへ接続するための処理を実行する。【選択図】図７
2019096918.tif 000002
【特許請求の範囲】
【請求項１】
端末装置の通信制御方法であって、
アタッチ要求メッセージを基地局装置に送信してアタッチ手続きを開始するステップと、
前記アタッチ手続きにおいて、少なくとも、
第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージ及び、
第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含む、アタッチ受諾メッセージをＭＭＥ（Ｍｏｂｉｌｉｔｙ
Ｍａｎａｇｅｍｅｎｔ  Ｅｎｔｉｔｙ）から受信するステップと、
前記アタッチ手続きの完了に基づいて、第１のネットワークスライス及び第２のネットワークスライスに接続するステップと、
を有することを特徴とする端末装置の通信制御方法。
【請求項２】
第１の識別情報は、前記第１のネットワークスライスのタイプを示す情報であり、
第２の識別情報は、前記第１のネットワークスライスを識別する情報であり、
第３の識別情報は、前記第１のネットワークスライスのＩｓｏｌａｔｉｏｎ  Ｌｅｖｅｌを示す情報であり、
第４の識別情報は、前記第２のネットワークスライスのタイプを示す情報であり、
第５の識別情報は、前記第２のネットワークスライスを識別する情報であり、
第６の識別情報は、前記第２のネットワークスライスのＩｓｏｌａｔｉｏｎ  ｌｅｖｅｌであり、
前記第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる前記第１の識別情報、及び／又は前記第２の識別情報、及び／又は前記第３の識別情報を取得するステップと、
前記第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる前記第６の識別情報、及び／又は前記第４の識別情報、及び／又は前記第５の識別情報を取得するステップ
を有することを特徴とする請求項１に記載の端末装置の通信制御方法。
【請求項３】
端末装置の通信制御方法であって、
アタッチ要求メッセージを基地局装置に送信してアタッチ手続きを開始するステップと、
前記アタッチ手続きにおいて、少なくとも、第１のＡｃｔｉｖａｔｅ  Ｄｅｆａｕｌｔ
ＥＰＳ  ｂｅａｒｅｒ  ｃｏｎｔｅｘｔ  Ｒｅｑｕｅｓｔメッセージを含むアタッチ受諾メッセージを第１のＭＭＥ（Ｍｏｂｉｌｉｔｙ  Ｍａｎａｇｅｍｅｎｔ  Ｅｎｔｉｔｙ）から受信するステップと、
前記アタッチ手続きの完了に基づいて第１のネットワークスライスに接続するステップと、
前記アタッチ手続きの完了後、ＰＤＮ（Ｐａｃｋｅｔ  Ｄａｔａ Ｎｅｔｗｏｒｋ）接
続手続きを開始するステップと、
前記ＰＤＮ接続手続きにおいて、第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを第２のＭＭＥから受信するステップと、
前記ＰＤＮ接続手続きの完了に基づいて、第２のネットワークスライスに接続するステップと、
を有することを特徴とする端末装置の通信制御方法。
【請求項４】
第１の識別情報は、前記第１のネットワークスライスのタイプを示す情報であり、
第２の識別情報は、前記第１のネットワークスライスを識別する情報であり、
第３の識別情報は、前記第１のネットワークスライスのＩｓｏｌａｔｉｏｎ  Ｌｅｖｅｌを示す情報であり、
第４の識別情報は、前記第２のネットワークスライスのタイプを示す情報であり、
第５の識別情報は、前記第２のネットワークスライスを識別する情報であり、
第６の識別情報は、前記第２のネットワークスライスのＩｓｏｌａｔｉｏｎ  Ｌｅｖｅｌを示す情報であり、
前記第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる前記第１の識別情報、及び／又は前記第２の識別情報、及び／又は前記第３の識別情報を取得するステップと、
前記第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる前記第６の識別情報、及び／又は前記第４の識別情報、及び／又は前記第５の識別情報を取得するステップ
を有することを特徴とする請求項３に記載の端末装置の通信制御方法。
【請求項５】
１又は複数のネットワークスライスに接続可能なことを示す前記端末装置の能力情報を前記アタッチ要求メッセージに含めるステップと、
前記アタッチ受諾メッセージに含まれる、前記端末装置が１又は複数のネットワークスライスに接続するための機能を有すること示すネットワークの能力情報を、取得するステップ
を有することを特徴とする請求項１から４に記載の端末装置の通信制御方法。
【請求項６】
１又は複数のネットワークスライスへの接続を要求することを示す情報を、前記アタッチ要求メッセージに含めるステップと、
前記アタッチ受諾メッセージに含まれる、１又は複数のネットワークスライスへの接続が許可されたことを示す情報を取得するステップと、
を有することを特徴とする請求項１から５に記載の端末装置の通信制御方法。
【請求項７】
基地局装置の通信制御方法であって、
少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージ及び、
第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを、含むアタッチ受諾メッセージをＭＭＥ（Ｍｏｂｉｌｉｔｙ
Ｍａｎａｇｅｍｅｎｔ  Ｅｎｔｉｔｙ）から受信するステップと、
前記アタッチ受諾メッセージを端末装置に送信するステップと
を有することを特徴とする基地局装置の通信制御方法。
【請求項８】
第１の識別情報は、第１のネットワークスライスのタイプを示す情報であり、
第２の識別情報は、前記第１のネットワークスライスを識別する情報であり、
第３の識別情報は、前記第１のネットワークスライスのＩｓｏｌａｔｉｏｎ  Ｌｅｖｅｌを示す情報であり、
第４の識別情報は、第２のネットワークスライスのタイプを示す情報であり、
第５の識別情報は、前記第２のネットワークスライスを識別する情報であり、
第６の識別情報は、前記第２のネットワークスライスのＩｓｏｌａｔｉｏｎ  Ｌｅｖｅｌを示す情報であり、
前記第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる前記第１の識別情報、及び／又は前記第２の識別情報、及び／又は前記第３の識別情報を取得するステップと、
前記第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる前記第６の識別情報、及び／又は前記第４の識
別情報、及び／又は前記第５の識別情報を取得するステップ
を有することを特徴とする請求項７に記載の基地局装置の通信制御方法。
【請求項９】
ＭＭＥ（Ｍｏｂｉｌｉｔｙ  Ｍａｎａｇｅｍｅｎｔ  Ｅｎｔｉｔｙ）の通信制御方法であって、
少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージ及び、第２のＡｃｔｉｖａｔｅ  Ｄｅｆａｕｌｔ
ＥＰＳ  ｂｅａｒｅｒ  ｃｏｎｔｅｘｔ  Ｒｅｑｕｅｓｔメッセージを含むアタッチ受諾メッセージを基地局装置に送信するステップ
を有することを特徴とするＭＭＥの通信制御方法。
【請求項１０】
第１の識別情報は、第１のネットワークスライスのタイプを示す情報であり、
第２の識別情報は、前記第１のネットワークスライスを識別する情報であり、
第３の識別情報は、前記第１のネットワークスライスのＩｓｏｌａｔｉｏｎ  Ｌｅｖｅｌを示す情報であり、
第４の識別情報は、第２のネットワークスライスのタイプを示す情報であり、
第５の識別情報は、前記第２のネットワークスライスを識別する情報であり、
第６の識別情報は、前記第１のネットワークスライスのＩｓｏｌａｔｉｏｎ  Ｌｅｖｅｌを示す情報であり、
前記第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる前記第１の識別情報、及び／又は前記第２の識別情報、及び／又は前記第３の識別情報を含めるステップと、
前記第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる前記第６の識別情報、及び／又は前記第４の識別情報、及び／又は前記第５の識別情報を含めるステップ
を有することを特徴とする請求項９に記載のＭＭＥの通信制御方法。
【請求項１１】
端末装置であって、
アタッチ要求メッセージを基地局装置に送信してアタッチ手続きを開始する制御部と、
前記アタッチ手続きにおいて、少なくとも、第１のＡｃｔｉｖａｔｅ  Ｄｅｆａｕｌｔ
ＥＰＳ  ｂｅａｒｅｒ  ｃｏｎｔｅｘｔ  Ｒｅｑｕｅｓｔメッセージ及び、第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含むアタッチ受諾メッセージをＭＭＥ（Ｍｏｂｉｌｉｔｙ  Ｍａｎａｇｅｍｅｎｔ  Ｅｎｔｉｔｙ）から受信する送受信部を備え、
前記制御部は、前記アタッチ手続きの完了に基づいて、第１のネットワークスライス及び第２のネットワークスライスに接続する
ことを特徴とする端末装置。
【請求項１２】
第１の識別情報は、前記第１のネットワークスライスのタイプを示す情報であり、
第２の識別情報は、前記第１のネットワークスライスを識別する情報であり、
第３の識別情報は、前記第１のネットワークスライスのＩｓｏｌａｔｉｏｎ  Ｌｅｖｅｌを示す情報であり、
第４の識別情報は、前記第２のネットワークスライスのタイプを示す情報であり、
第５の識別情報は、前記第２のネットワークスライスを識別する情報であり、
第６の識別情報は、前記第２のネットワークスライスのＩｓｏｌａｔｉｏｎ  ｌｅｖｅｌであり、
前記制御部は、前記第１のＡｃｔｉｖａｔｅ  Ｄｅｆａｕｌｔ  ＥＰＳ  ｂｅａｒｅｒ
ｃｏｎｔｅｘｔ  Ｒｅｑｕｅｓｔメッセージに含まれる前記第１の識別情報、及び／又は前記第２の識別情報、及び／又は前記第３の識別情報を取得し、
前記制御部は、前記第２のＡｃｔｉｖａｔｅ  Ｄｅｆａｕｌｔ  ＥＰＳ  ｂｅａｒｅｒ
ｃｏｎｔｅｘｔ  Ｒｅｑｕｅｓｔメッセージに含まれる前記第６の識別情報、及び／又は前記第４の識別情報、及び／又は前記第５の識別情報を取得する
ことを特徴とする請求項１１に記載の端末装置。
【請求項１３】
端末装置であって、
アタッチ要求メッセージを基地局装置に送信してアタッチ手続きを開始する制御部と、
前記アタッチ手続きにおいて、少なくとも、第１のＡｃｔｉｖａｔｅ  Ｄｅｆａｕｌｔ
ＥＰＳ  ｂｅａｒｅｒ  ｃｏｎｔｅｘｔ  Ｒｅｑｕｅｓｔメッセージを含むアタッチ受諾メッセージを第１のＭＭＥ（Ｍｏｂｉｌｉｔｙ  Ｍａｎａｇｅｍｅｎｔ  Ｅｎｔｉｔｙ）から受信する送受信部を備え、
前記制御部は、前記アタッチ手続きの完了に基づいて第１のネットワークスライスに接続し、
前記制御部は、前記アタッチ手続きの完了後、ＰＤＮ（Ｐａｃｋｅｔ  ＤａｔａＮｅｔｗｏｒｋ）接続手続きを開始し、
前記送受信部は、前記ＰＤＮ接続手続きにおいて、第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを第２のＭＭＥから受信し、
前記制御部は、前記ＰＤＮ接続手続きの完了に基づいて、第２のネットワークスライスに接続する
ことを特徴とする端末装置。
【請求項１４】
第１の識別情報は、前記第１のネットワークスライスのタイプを示す情報であり、
第２の識別情報は、前記第１のネットワークスライスを識別する情報であり、
第３の識別情報は、前記第１のネットワークスライスのＩｓｏｌａｔｉｏｎ  Ｌｅｖｅｌを示す情報であり、
第４の識別情報は、前記第２のネットワークスライスのタイプを示す情報であり、
第５の識別情報は、前記第２のネットワークスライスを識別する情報であり、
第６の識別情報は、前記第２のネットワークスライスのＩｓｏｌａｔｉｏｎ  Ｌｅｖｅｌを示す情報であり、
前記制御部は、前記第１のＡｃｔｉｖａｔｅ  Ｄｅｆａｕｌｔ  ＥＰＳ  ｂｅａｒｅｒ
ｃｏｎｔｅｘｔ  Ｒｅｑｕｅｓｔメッセージに含まれる前記第１の識別情報、及び／又は前記第２の識別情報、及び／又は前記第３の識別情報を取得し、
前記制御部は、前記第２のＡｃｔｉｖａｔｅ  Ｄｅｆａｕｌｔ  ＥＰＳ  ｂｅａｒｅｒ
ｃｏｎｔｅｘｔ  Ｒｅｑｕｅｓｔメッセージに含まれる前記第３の識別情報、及び／又は前記第４の識別情報、及び／又は前記第５の識別情報を取得する
ことを特徴とする請求項１３に記載の端末装置。
【請求項１５】
前記制御部は、１又は複数のネットワークスライスに接続可能なことを示す前記端末装置の能力情報を前記アタッチ要求メッセージに含め、
前記制御部は、前記アタッチ受諾メッセージに含まれる、前記端末装置が１又は複数のネットワークスライスに接続するための機能を有すること示すネットワークの能力情報を取得する
ことを特徴とする請求項１１から１４に記載の端末装置。
【請求項１６】
前記制御部は、１又は複数のネットワークスライスへの接続を要求することを示す情報を、前記アタッチ要求メッセージに含め、
前記制御部は、前記アタッチ受諾メッセージに含まれる、１又は複数のネットワークスライスへの接続が許可されたことを示す情報を取得する、
ことを特徴とする請求項１１から１５に記載の端末装置。
【請求項１７】
基地局装置であって、
少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージ及び、第２のＡｃｔｉｖａｔｅ  Ｄｅｆａｕｌｔ
ＥＰＳ  ｂｅａｒｅｒ  ｃｏｎｔｅｘｔ  Ｒｅｑｕｅｓｔメッセージを含むアタッチ受諾メッセージをＭＭＥ（Ｍｏｂｉｌｉｔｙ  Ｍａｎａｇｅｍｅｎｔ  Ｅｎｔｉｔｙ）から受信する送受信部を有し、
前記送受信部は、前記アタッチ受諾メッセージを端末装置に送信する
ことを特徴とする基地局装置。
【請求項１８】
第１の識別情報は、第１のネットワークスライスのタイプを示す情報であり、
第２の識別情報は、前記第１のネットワークスライスを識別する情報であり、
第３の識別情報は、前記第１のネットワークスライスのＩｓｏｌａｔｉｏｎ  Ｌｅｖｅｌを示す情報であり、
第４の識別情報は、第２のネットワークスライスのタイプを示す情報であり、
第５の識別情報は、前記第２のネットワークスライスを識別する情報であり、
第６の識別情報は、前記第２のネットワークスライスのＩｓｏｌａｔｉｏｎ  Ｌｅｖｅｌを示す情報であり、
前記第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる前記第１の識別情報、及び／又は前記第２の識別情報、及び／又は前記第３の識別情報を取得する制御部を有し、
前記制御部は、前記第２のＡｃｔｉｖａｔｅ  Ｄｅｆａｕｌｔ  ＥＰＳ  ｂｅａｒｅｒ
ｃｏｎｔｅｘｔ  Ｒｅｑｕｅｓｔメッセージに含まれる前記第６の識別情報、及び／又は前記第４の識別情報、及び／又は前記第５の識別情報を取得する
ことを特徴とする請求項１７に記載の基地局装置。
【請求項１９】
ＭＭＥ（Ｍｏｂｉｌｉｔｙ  Ｍａｎａｇｅｍｅｎｔ  Ｅｎｔｉｔｙ）であって、
少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージ及び、第２のＡｃｔｉｖａｔｅ  Ｄｅｆａｕｌｔ
ＥＰＳ  ｂｅａｒｅｒ  ｃｏｎｔｅｘｔ  Ｒｅｑｕｅｓｔメッセージを含むアタッチ受諾メッセージを基地局装置に送信する送受信部
を有することを特徴とするＭＭＥ。
【請求項２０】
第１の識別情報は、第１のネットワークスライスのタイプを示す情報であり、
第２の識別情報は、前記第１のネットワークスライスを識別する情報であり、
第３の識別情報は、前記第１のネットワークスライスのＩｓｏｌａｔｉｏｎ  Ｌｅｖｅｌを示す情報であり、
第４の識別情報は、第２のネットワークスライスのタイプを示す情報であり、
第５の識別情報は、前記第２のネットワークスライスを識別する情報であり、
第６の識別情報は、前記第１のネットワークスライスのＩｓｏｌａｔｉｏｎ  Ｌｅｖｅｌを示す情報であり、
前記第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる前記第１の識別情報、及び／又は前記第２の識別情報、及び／又は前記第３の識別情報を含める制御部を有し、
前記制御部は、前記第２のＡｃｔｉｖａｔｅ  Ｄｅｆａｕｌｔ  ＥＰＳ  ｂｅａｒｅｒ
ｃｏｎｔｅｘｔ  Ｒｅｑｕｅｓｔメッセージに含まれる前記第６の識別情報、及び／又は前記第４の識別情報、及び／又は前記第５の識別情報を含める
ことを特徴とする請求項１９に記載のＭＭＥ。
【発明の詳細な説明】
【技術分野】
【０００１】
本発明は、端末装置、基地局装置、ＭＭＥ（Ｍｏｂｉｌｉｔｙ  Ｍａｎａｇｅｍｅｎｔ
Ｅｎｔｉｔｙ）および通信制御方法に関する。
【背景技術】
【０００２】
近年の移動通信システムの標準化活動を行う３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ
Ｅｖｏｌｕｔｉｏｎ）のシステムアーキテクチャであるＳＡＥ（Ｓｙｓｔｅｍ  Ａｒｃｈｉｔｅｃｔｕｒｅ  Ｅｎｈａｎｃｅｍｅｎｔ）の検討を行っている。３ＧＰＰは、オールＩＰ化を実現する通信システムとしてＥＰＳ（Ｅｖｏｌｖｅｄ  Ｐａｃｋｅｔ  Ｓｙｓｔｅｍ）の仕様化を行っている。なお、ＥＰＳを構成するコアネットワークはＥＰＣ（Ｅｖｏｌｖｅｄ  Ｐａｃｋｅｔ  Ｃｏｒｅ）と呼ばれる。
【０００３】
また、近年３ＧＰＰでは、多種多様な端末向けの次世代通信技術の検討として、ＳＭＡＲＴＥＲ（Ｎｅｗ  Ｓｅｒｖｉｃｅｓ  ａｎｄ  Ｍａｒｋｅｔｓ  Ｔｅｃｈｎｏｌｏｇｙ）とＮｅｘｔＧｅｎ（Ａｒｃｈｉｔｅｃｔｕｒｅ  ｆｏｒ  Ｎｅｘｔ  Ｇｅｎｅｒａｔｉｏｎ  Ｓｙｓｔｅｍ）の検討を行っている。
【０００４】
ＳＭＡＲＴＥＲでは、多様化するサービスのユースケースに基づく要求条件の抽出を行っており、ＮｅｘｔＧｅｎでは、多種多様な端末をセルラーネットワークに接続するための技術課題を抽出し、解決策を仕様化している。
【０００５】
例えば、ＳＭＡＲＴＥＲ及びＮｅｘｔＧｅｎでは、多様化するサービスまたは端末ごとに要求される通信の特性が異なることから、単一のＰＬＭＮのコアネットワークを複数のスライスとして論理的に分けるＮｅｔｗｏｒｋ  Ｓｌｉｃｉｎｇの検討が行われている。
【先行技術文献】
【非特許文献】
【０００６】
【非特許文献１】３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；Ｆｅａｓｉｂｉｌｉｔｙ  Ｓｔｕｄｙ  ｏｎ  Ｎｅｗ  Ｓｅｒｖｉｃｅｓ  ａｎｄ  Ｍａｒｋｅｔｓ  Ｔｅｃｈｎｏｌｏｇｙ  Ｅｎａｂｌｅｒｓ；Ｓｔａｇｅ  １（Ｒｅｌｅａｓｅ  １４）
【非特許文献２】３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；Ｓｔｕｄｙ  ｏｎ  Ａｒｃｈｉｔｅｃｔｕｒｅ  ｆｏｒ  Ｎｅｘｔ  Ｇｅｎｅｒａｔｉｏｎ  Ｓｙｓｔｅｍ（Ｒｅｌｅａｓｅ  １４）
【発明の概要】
【発明が解決しようとする課題】
【０００７】
３ＧＰＰでは、ＳＭＡＲＴＥＲ及びＮｅｘｔＧｅｎの一部として、コアネットワークを論理的にスライスするＮｅｔｗｏｒｋ  Ｓｌｉｃｉｎｇに関しての議論が行われている。
【０００８】
しかし、Ｎｅｔｗｏｒｋ  ｓｌｉｃｅの具体的な定義及びＮｅｔｗｏｒｋ  ｓｌｉｃｅにより分割されたコアネットワークへの接続方法の手順が明らかになっていない。
【０００９】
本発明は、このような事情を鑑みてなされたものであり、その目的は、Ｎｅｔｗｏｒｋ
Ｓｌｉｃｉｎｇに好適なデータ送受信の為の通信制御手法を提供する事である。
【課題を解決するための手段】
【００１０】
上述した課題を解決するために、本発明の端末装置の通信制御方法は、アタッチ要求メッセージを基地局装置に送信してアタッチ手続きを開始するステップと、前記アタッチ手続きにおいて、少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージ及び、第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含むアタッチ受諾メッセージをＭＭＥ（Ｍｏｂｉｌｉｔｙ  Ｍａｎａｇｅｍｅｎｔ  Ｅｎｔｉｔｙ）から受信するステップと、前記アタッチ手続きの完了に基づいて、第１のネットワークスライス及び第２のネットワークスライスに接続するステップと、を有することを特徴とする。
【００１１】
本発明の端末装置の通信制御方法は、アタッチ要求メッセージを基地局装置に送信してアタッチ手続きを開始するステップと、前記アタッチ手続きにおいて、少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含むアタッチ受諾メッセージを第１のＭＭＥ（Ｍｏｂｉｌｉｔｙ  Ｍａｎａｇｅｍｅｎｔ  Ｅｎｔｉｔｙ）から受信するステップと、前記アタッチ手続きの完了に基づいて第１のネットワークスライスに接続するステップと、前記アタッチ手続きの完了後、ＰＤＮ（Ｐａｃｋｅｔ  ＤａｔａＮｅｔｗｏｒｋ）接続手続きを開始するステップと、前記ＰＤＮ接続手続きにおいて、第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを第２のＭＭＥから受信するステップと、前記ＰＤＮ接続手続きの完了に基づいて、第２のネットワークスライスに接続するステップと、を有することを特徴とする。
【００１２】
本発明の基地局装置の通信制御方法は、少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージ及び、第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含むアタッチ受諾メッセージをＭＭＥ（Ｍｏｂｉｌｉｔｙ  Ｍａｎａｇｅｍｅｎｔ  Ｅｎｔｉｔｙ）から受信するステップと、前記アタッチ受諾メッセージを端末装置に送信するステップとを有することを特徴とする。
【００１３】
本発明のＭＭＥ（Ｍｏｂｉｌｉｔｙ  Ｍａｎａｇｅｍｅｎｔ  Ｅｎｔｉｔｙ）の通信制御方法は、少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージ及び、第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含むアタッチ受諾メッセージを基地局装置に送信するステップを有することを特徴とする。
【００１４】
本発明の端末装置は、アタッチ要求メッセージを基地局装置に送信してアタッチ手続きを開始する制御部と、前記アタッチ手続きにおいて、少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージ及び、第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含むアタッチ受諾メッセージをＭＭＥ（Ｍｏｂｉｌｉｔｙ  Ｍａｎａｇｅｍｅｎｔ  Ｅｎｔｉｔｙ）から受信する送受信部を備え、前記制御部は、前記アタッチ手続きの完了に基づいて、第１のネットワークスライス及び第２のネットワークスライスに接続することを特徴とする。
【００１５】
本発明の端末装置は、アタッチ要求メッセージを基地局装置に送信してアタッチ手続き
を開始する制御部と、前記アタッチ手続きにおいて、少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含むアタッチ受諾メッセージを第１のＭＭＥ（Ｍｏｂｉｌｉｔｙ  Ｍａｎａｇｅｍｅｎｔ  Ｅｎｔｉｔｙ）から受信する送受信部を備え、前記制御部は、前記アタッチ手続きの完了に基づいて第１のネットワークスライスに接続し、前記制御部は、前記アタッチ手続きの完了後、ＰＤＮ（Ｐａｃｋｅｔ  ＤａｔａＮｅｔｗｏｒｋ）接続手続きを開始し、前記送受信部は、前記ＰＤＮ接続手続きにおいて、第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを第２のＭＭＥから受信し、前記制御部は、前記ＰＤＮ接続手続きの完了に基づいて、第２のネットワークスライスに接続することを特徴とする。
【００１６】
本発明の基地局装置は、少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージ及び、第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含むアタッチ受諾メッセージをＭＭＥ（Ｍｏｂｉｌｉｔｙ  Ｍａｎａｇｅｍｅｎｔ  Ｅｎｔｉｔｙ）から受信する送受信部を有し、前記送受信部は、前記アタッチ受諾メッセージを端末装置に送信することを特徴とする。
【００１７】
本発明のＭＭＥ（Ｍｏｂｉｌｉｔｙ  Ｍａｎａｇｅｍｅｎｔ  Ｅｎｔｉｔｙ）は、少なくとも、第１のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージ及び、第２のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含むアタッチ受諾メッセージを基地局装置に送信する送受信部を有することを特徴とする。
【発明の効果】
【００１８】
本発明によれば、端末は端末の特性またはアプリケーションまたはサービスに基づいたネットワークスライスへアタッチし、通信することが出来る。
【図面の簡単な説明】
【００１９】
【図１】移動通信システムの概略を説明するための図である。
【図２】ＩＰ移動通信ネットワークの構成等の一例を説明するための図である。
【図３】ＵＥの装置構成を説明するための図である。
【図４】ＵＥの記憶部を説明するための図である。
【図５】ｅＮＢの装置構成を説明するための図である。
【図６】ＭＭＥの装置構成を説明するための図である。
【図７】Ｎｅｔｗｏｒｋ  Ｓｌｉｃｅ  ｔｙｐｅの通知手続きを説明する為の図である。
【図８】アタッチ手続きを説明する為の図である。
【図９】第１のＴＡＵ手続きを説明する為の図である。
【図１０】第２のＴＡＵ手続きを説明する為の図である。
【図１１】ＴＡＵのトリガーを説明する為の図である。
【図１２】アタッチ手続きを説明する為の図である。
【図１３】第１のＰＤＮ接続手続きを説明する為の図である。
【図１４】第２のＰＤＮ接続手続きを説明する為の図である。
【発明を実施するための形態】
【００２０】
以下、図面を参照して本発明を実施する為に最良の形態について説明する。なお、本実施形態では一例として、本発明を適用した場合の移動通信システムの実施形態について説明する。
【００２１】
［１．第１の実施形態］
［１．１．システム概要］
図１は、本実施形態における移動通信システムの概略を説明するための図である。移動通信システムは１又は複数のＮｅｔｗｏｒｋ  ｓｌｉｃｅを含んで構成されて良い。例えば、本図に示すように、移動通信システム１は、Ｎｅｔｗｏｒｋ  ｓｌｉｃｅ＿Ａ１０１と、Ｎｅｔｗｏｒｋ  ｓｌｉｃｅ＿Ｂ１０２と、Ｎｅｔｗｏｒｋ  ｓｌｉｃｅ＿Ｃ１０３と、基地局ｅＮＢ＿Ａ４５と、端末装置ＵＥ（Ｕｓｅｒ  Ｅｑｕｉｐｍｅｎｔ）＿Ａ１０により構成されてよい。
【００２２】
また、移動通信システムには、１又は複数のＮＦ（Ｎｅｔｗｏｒｋ  Ｆｕｎｃｔｉｏｎ）が構成されていてもよい。ここで、ＮＦとは、ネットワーク内の機能部であり、ＮＦごとにハードウェアが独立していてもよいし、複数のソフトウェア化されたＮＦで一つのハードウェアを構成してもよい。
【００２３】
ここで、Ｎｅｔｗｏｒｋ  ｓｌｉｃｅとは、１または複数のＮＦ（Ｎｅｔｗｏｒｋ  Ｆｕｎｃｔｉｏｎ）が含まれて構成されてもよい。また、Ｎｅｔｗｏｒｋ  ｓｌｉｃｅごとに、構成するＮＦが異なってもよい。
【００２４】
または、Ｎｅｔｗｏｒｋ  ｓｌｉｃｅとは、オペレータが、異なるビジネスマーケットのシナリオの為に最適化されたソリューションを提供するためにカスタマイズされたネットワークである。つまり、Ｎｅｔｗｏｒｋ  ｓｌｉｃｅとは、シナリオまたはサービスごとに異なる機能上の要求をそれぞれ解決するために、オペレータのネットワークを複数のスライスに分けたネットワークである。つまり、Ｎｅｔｗｏｒｋ  ｓｌｉｃｅとは、１つのＰＬＭＮ（Ｐｕｂｌｉｃ  Ｌａｎｄ  ｍｏｂｉｌｅ  Ｎｅｔｗｏｒｋ）に含まれる機能を、サービス、及び／または端末の性質及び特性に基づき、切り分けられたネットワークであってよい。Ｎｅｔｗｏｒｋ  ｓｌｉｃｅは、Ａｐｐｌｉｃａｔｉｏｎ  ＩＤ及び又はサービス特性と紐づけられていてもよい。つまり、オペレータは、１又は複数のＮｅｔｗｏｒｋ  ｓｌｉｃｅを構成する事ができる。
【００２５】
また、Ｎｅｔｗｏｒｋ  ｓｌｉｃｅは、コアネットワーク＿Ａ９０を複数に分割したネットワークであってもよく、言い換えれば、コアネットワーク＿Ａ９０は、Ｎｅｔｗｏｒｋ  ｓｌｉｃｅ＿Ａ１０１と、Ｎｅｔｗｏｒｋ  ｓｌｉｃｅ＿Ｂ１０２と、Ｎｅｔｗｏｒｋ  ｓｌｉｃｅ＿Ｃ１０３と、で構成されてもよい。
【００２６】
ここで、異なるビジネスマーケットのシナリオが要求する要求、及びシナリオごとに異なる機能上の要求とは、機能性やパフォーマンス及び独立の範囲内の要求である。例えば課金に対する要求や、ポリシー制御に対する要求や、移動に対する要求などが含まれる。その他、通信速度に対する要求や、データの送受信の信頼性などが含まれてもよい。
【００２７】
例えば、Ｎｅｔｗｏｒｋ  ｓｌｉｃｅ＿Ａ１０１は、センサーなど低機能なＩｏＴデバイスのためのＮｅｔｗｏｒｋ  ｓｌｉｃｅであり、Ｎｅｔｗｏｒｋ  ｓｌｉｃｅ＿Ｂ１０２は、車に関わるサービスの通信の為のＮｅｔｗｏｒｋ  ｓｌｉｃｅであってもよい。ただし、Ｎｅｔｗｏｒｋ  ｓｌｉｃｅの種類はこれらに限らず、要求される要求条件に基づき構成されれば良い。
【００２８】
なお、Ｎｅｔｗｏｒｋ  ＳｌｉｃｅはＮｅｔｗｏｒｋ  Ｓｌｉｃｅ  Ｉｎｓｔａｎｃｅとして管理されて良い。すなわち、Ｎｅｔｗｏｒｋ  ｓｌｉｃｅを識別する情報は、Ｎｅｔｗｏｒｋ  Ｓｌｉｃｅ  Ｉｎｓｔａｎｃｅ  ＩＤなど、Ｎｅｔｗｏｒｋ  ｓｌｉｃｅ  Ｉｎｓｔａｎｃｅの識別情報であってもよい。
【００２９】
また、これらのＮｅｔｗｏｒｋ  ｓｌｉｃｅは、それぞれＮｅｔｗｏｒｋ  Ｓｌｉｃｅ
ｔｙｐｅが割り当てられていてもよい。具体的には、Ｎｅｔｗｏｒｋ  ｓｌｉｃｅ＿Ａ１０１にはＮｅｔｗｏｒｋ  Ｓｌｉｃｅ  ｔｙｐｅ＿Ａが、Ｎｅｔｗｏｒｋ  ｓｌｉｃｅ＿Ｂ１０２にはＮｅｔｗｏｒｋ  Ｓｌｉｃｅ  ｔｙｐｅ＿Ｂが、Ｎｅｔｗｏｒｋ  ｓｌｉｃｅ＿Ｃ１０３にはＮｅｔｗｏｒｋ  Ｓｌｉｃｅ  ｔｙｐｅ＿Ｃが、割り当てられていてもよい。
【００３０】
ここで、Ｎｅｔｗｏｒｋ  Ｓｌｉｃｅ  ｔｙｐｅとは、Ｎｅｔｗｏｒｋ  ｓｌｉｃｅの特性を示す識別情報であってよい。具体的には、Ｎｅｔｗｏｒｋ  Ｓｌｉｃｅ  ｔｙｐｅ＿Ａは、センサーなど低機能なＩｏＴデバイスのためのＮｅｔｗｏｒｋ  ｓｌｉｃｅであることを示すための識別情報であってよい。
【００３１】
Ｎｅｔｗｏｒｋ  Ｓｌｉｃｅ  ｔｙｐｅは、オペレータ間で共通であってもよい。または、オペレータごとにＮｅｔｗｏｒｋ  Ｓｌｉｃｅ  ｔｙｐｅは独立していてもよい。例えば、Ｎｅｔｗｏｒｋ  Ｓｌｉｃｅ  ｔｙｐｅの一部はオペレータ間で共通であり、一部は各オペレータで独立して用いる事ができてもよい。
【００３２】
なお、オペレータは、Ｎｅｔｗｏｒｋ  Ｓｌｉｃｅ  ｔｙｐｅ毎に１又は複数のＮｅｔｗｏｒｋ  ｓｌｉｃｅを構成してもよい。つまり、例えば、Ｎｅｔｗｏｒｋ  Ｓｌｉｃｅ
ｔｙｐｅ＿Ａに分類されるＮｅｔｗｏｒｋ  ｓｌｉｃｅはＮｅｔｗｏｒｋ  ｓｌｉｃｅ＿Ａ及びＮｅｔｗｏｒｋ  ｓｌｉｃｅ＿Ｂであってよく、Ｎｅｔｗｏｒｋ  Ｓｌｉｃｅ  ｔｙｐｅ＿Ｂに分類されるＮｅｔｗｏｒｋ  ｓｌｉｃｅは、Ｎｅｔｗｏｒｋ  ｓｌｉｃｅ＿Ｃであってもよい。
【００３３】
または、オペレータは、Ｎｅｔｗｏｒｋ  ｓｌｉｃｅ毎に１又は複数のＮｅｔｗｏｒｋ
Ｓｌｉｃｅ  ｔｙｐｅを構成してもよい。つまり、例えば、Ｎｅｔｗｏｒｋ  ｓｌｉｃｅ＿Ａは、Ｎｅｔｗｏｒｋ  Ｓｌｉｃｅ  ｔｙｐｅ＿Ａ及びＮｅｔｗｏｒｋ  Ｓｌｉｃｅ
ｔｙｐｅ＿Ｂに含まれていてもよいし、Ｎｅｔｗｏｒｋ  ｓｌｉｃｅ＿Ｂは、Ｎｅｔｗｏｒｋ  Ｓｌｉｃｅ  ｔｙｐｅ＿Ｃにのみ含まれていてもよい。
【００３４】
また、図に示すように、Ｎｅｔｗｏｒｋ  ｓｌｉｃｅ＿Ａ１０１には、移動管理装置ＭＭＥ（Ｍｏｂｉｌｉｔｙ  Ｍａｎａｇｅｍｅｎｔ  Ｅｎｔｉｔｙ）＿Ａ１０４と、ＭＭＥ＿Ｄ１０５が構成されている。Ｎｅｔｗｏｒｋ  ｓｌｉｃｅ＿Ａ１０１には、その他複数のＭＭＥが含まれていてもよい。
【００３５】
一方、Ｎｅｔｗｏｒｋ  ｓｌｉｃｅ＿Ｂ１０２には、ＭＭＥ＿Ｄ１０５とＭＭＥ＿Ｂ１０６が構成されている。更に、Ｎｅｔｗｏｒｋ  ｓｌｉｃｅ＿Ｃ１０３には、ＭＭＥ＿Ｃ１０７が構成されている。
【００３６】
つまり、ＭＭＥ＿Ａ１０４は、Ｎｅｔｗｏｒｋ  ｓｌｉｃｅ＿Ａ１０１に接続する端末装置（ＵＥ）のみをサポートし、ＭＭＥ＿Ｄ１０５は、Ｎｅｔｗｏｒｋ  ｓｌｉｃｅ＿Ａ１０１に接続する端末装置とＮｅｔｗｏｒｋ  ｓｌｉｃｅ＿Ｂ１０２に接続する端末装置をサポートすることが出来る。つまり、ＭＭＥ＿Ｄ１０５は、Ｎｅｔｗｏｒｋ  ｓｌｉｃｅ＿Ａ１０１とＮｅｔｗｏｒｋ  ｓｌｉｃｅ＿Ｂ１０２とで共有されている。
【００３７】
言い換えれば、Ｎｅｔｗｏｒｋ  ｓｌｉｃｅ＿Ａ１０１には、Ｎｅｔｗｏｒｋ  ｓｌｉｃｅ＿Ａ１０１内で独立しているＭＭＥ＿Ａ１０４と、Ｎｅｔｗｏｒｋ  ｓｌｉｃｅ＿Ａ内で独立していないＭＭＥ＿Ｄ１０５が含まれて構成されている。
【００３８】
なお、図では各Ｎｅｔｗｏｒｋ  ｓｌｉｃｅにはＭＭＥのみが記載されているが、ＳＧ
Ｗ（Ｓｅｒｖｉｎｇ  Ｇａｔｅｗａｙ）やＰＧＷ（Ｐａｃｋｅｔ  Ｄａｔａ  Ｎｅｔｗｏｒｋ  Ｇａｔｅｗａｙ）などのゲートウェイなど、図２に示す機能部が構成されていてもよい。
【００３９】
つまり、言い換えれば、Ｎｅｔｗｏｒｋ  ｓｌｉｃｅ＿Ａ１０１には、他のＮｅｔｗｏｒｋ  ｓｌｉｃｅから独立したＳＧＷ＿Ａと、他のＮｅｔｗｏｒｋ  ｓｌｉｃｅから独立しないＳＧＷ＿Ｂが構成されてもよく、同様にＮｅｔｗｏｒｋ  ｓｌｉｃｅごとに独立したＰＧＷ＿ＡとＮｅｔｗｏｒｋ  ｓｌｉｃｅごとに独立しないＰＧＷ＿Ｂが構成されてもよい。
【００４０】
また、ＭＭＥ及びＳＧＷ及びＰＧＷなど、コアネットワークに含まれる機能部を全てＮＦ（Ｎｅｔｗｏｒｋ  Ｆｕｎｃｔｉｏｎ）としてもよい。
【００４１】
ｅＮＢ＿Ａ４５は、スライスされたコアネットワークに接続するＬＴＥの基地局装置である。図に示すように、ｅＮＢ＿Ａ４５は、複数のＮｅｔｗｏｒｋ  ｓｌｉｃｅに接続するＬＴＥの基地局装置であってよい。
【００４２】
また、ＵＥ＿Ａ１０は無線接続可能な端末装置であればよく、ＵＥ（Ｕｓｅｒ  ｅｑｕｉｐｍｅｎｔ）または、ＭＥ（Ｍｏｂｉｌｅ  ｅｑｕｉｐｍｅｎｔ）またはＭＳ（Ｍｏｂｉｌｅ  Ｓｔａｔｉｏｎ）であってよい。
【００４３】
また、ＵＥ＿Ａ１０は、車または車に付帯される車に関わる通信を提供するための無線通信端末であってもよく、またはセンサーやメーターなどの測定装置またはそれらに付帯される無線通信端末であってもよく、またはスマートフォンであってよい。
【００４４】
図では、ＵＥ＿Ａ１０のみが移動通信システム１に構成されているが、複数の端末装置が移動通信システム１に構成されていてもよい。
【００４５】
また、ＭＭＥは、ＵＥとの制御情報を取り扱う機能部であればよく、Ｎｅｔｗｏｒｋ  Ｆｕｎｃｔｉｏｎとして扱われてもよい。
【００４６】
次に、図２にコアネットワーク＿Ａ９０の構成の一例を示す。図２は簡略化された記載であり、コアネットワーク＿Ａ９０には、少なくとも各機能部が１つずつ構成されている。つまり、言い換えると、図２のコアネットワーク＿Ａ９０には、ＭＭＥはＭＭＥ＿Ａ１０４のみが構成されているが、更に図１のＭＭＥ＿Ｂ１０６、ＭＭＥ＿Ｃ１０７、ＭＭＥ＿Ｄ１０５が構成されていてもよい。
【００４７】
図２（ａ）のコアネットワーク＿Ａ９０は、ＨＳＳ（Ｈｏｍｅ  Ｓｕｂｓｃｒｉｂｅｒ
Ｓｅｒｖｅｒ）＿Ａ５０、ＡＡＡ（Ａｕｔｈｅｎｔｉｃａｔｉｏｎ、  Ａｕｔｈｏｒｉｚａｔｉｏｎ、  Ａｃｃｏｕｎｔｉｎｇ）＿Ａ５５、ＰＣＲＦ（Ｐｏｌｉｃｙ  ａｎｄ  Ｃｈａｒｇｉｎｇ  Ｒｕｌｅｓ  Ｆｕｎｃｔｉｏｎ）＿Ａ６０、ＰＧＷ＿Ａ３０、ｅＰＤＧ（ｅｎｈａｎｃｅｄ  Ｐａｃｋｅｔ  Ｄａｔａ  Ｇａｔｅｗａｙ）＿Ａ６５、ＳＧＷ＿Ａ３５、ＭＭＥ＿Ａ１０４、ＳＧＳＮ（Ｓｅｒｖｉｎｇ  ＧＰＲＳ  Ｓｕｐｐｏｒｔ  Ｎｏｄｅ）＿Ａ４２により構成される。
【００４８】
なお、コアネットワーク＿Ａ９０内に構成される１又は複数の機能部が、１つの機能部として構成されてもよい。または、各機能部を、要求される機能ごとに複数の機能部に分割してもよい。これらの機能部はＮＦ（Ｎｅｔｗｏｒｋ  Ｆｕｎｃｔｉｏｎ）であってもよい。
【００４９】
また、コアネットワーク＿Ａ９０は、複数の無線アクセスネットワーク（ＬＴＥ  ＡＮ＿Ａ８０、ＷＬＡＮ  ＡＮｂ７５、ＷＬＡＮ  ＡＮａ７０、ＵＴＲＡＮ＿Ａ２０、ＧＥＲＡＮ＿Ａ２５）に接続することができる。
【００５０】
無線アクセスネットワークは、複数の異なるアクセスネットワークに接続して構成してもよいし、いずれか一つのアクセスネットワークに接続した構成であってもよい。さらに、ＵＥ＿Ａ１０は無線アクセスネットワークに無線接続することができる。
【００５１】
さらに、ＷＬＡＮアクセスシステムで接続可能なアクセスネットワークは、ｅＰＤＧ＿Ａ６５を介してコアネットワークへ接続するＷＬＡＮアクセスネットワークｂ（ＷＬＡＮ
ＡＮｂ７５）と、ＰＧＷ＿ＡとＰＣＲＦ＿Ａ６０とＡＡＡ＿Ａ５５とに接続するＷＬＡＮアクセスネットワークａ（ＷＬＡＮ  ＡＮａ７５）とが構成可能である。
【００５２】
なお、各装置はＥＰＳを利用した移動通信システムにおける従来の装置と同様に構成されるため、詳細な説明は省略する。以下、各装置の簡単な説明をする。
【００５３】
ＰＧＷ＿Ａ３０はＰＤＮ＿Ａ５とＳＧＷ＿Ａ３５とｅＰＤＧ＿Ａ６５とＷＬＡＮ  ＡＮａ７０と、ＰＣＲＦ＿Ａ６０とＡＡＡ＿Ａ５５とに接続されており、ＰＤＮ＿Ａ５とコアネットワーク＿Ａ９０のゲートウェイ装置としてユーザデータの転送を行う中継装置である。
【００５４】
ＳＧＷ＿Ａ３５は、ＰＧＷ３０とＭＭＥ＿Ａ１０４とＬＴＥ  ＡＮ８０とＳＧＳＮ＿Ａ４２とＵＴＲＡＮ＿Ａ２０とに接続されており、コアネットワーク＿Ａ９０と３ＧＰＰのアクセスネットワーク（ＵＴＲＡＮ＿Ａ２０、ＧＥＲＡＮ＿Ａ２５、ＬＴＥ  ＡＮ＿Ａ８０）とのゲートウェイ装置としてユーザデータの転送を行う中継装置である。
【００５５】
ＭＭＥ＿Ａ１０４は、ＳＧＷ＿Ａ３５とＬＴＥ  ＡＮ８０とＨＳＳ＿Ａ５０に接続されており、ＬＴＥ  ＡＮ８０を経由してＵＥ＿Ａ１０の位置情報管理と、アクセス制御を行うアクセス制御装置である。また、コアネットワーク＿Ａ９０には、複数の位置管理装置が含まれて構成されてよい。例えば、ＭＭＥ＿Ａ１０４とは異なる位置管理装置が構成されてもよい。ＭＭＥ＿Ａ１０４とは異なる位置管理装置はＭＭＥ＿Ａ１０４と同様にＳＧＷ＿Ａ３５とＬＴＥ  ＡＮ８０と、ＨＳＳ＿Ａ５０と接続されてよい。
【００５６】
また、コアネットワーク＿Ａ９０内に複数のＭＭＥが含まれている場合、ＭＭＥ同士が接続されてもよい。これにより、ＭＭＥ間で、ＵＥ＿Ａ１０のコンテキストの送受信が行われてもよい。
【００５７】
ＨＳＳ＿Ａ５０はＭＭＥ＿Ａ１０４とＡＡＡ＿Ａ５５とに接続されており、加入者情報の管理を行う管理ノードである。ＨＳＳ＿Ａ５０の加入者情報は、例えばＭＭＥ＿Ａ１０４のアクセス制御の際に参照される。さらに、ＨＳＳ＿Ａ５０は、ＭＭＥ＿Ａ１０４とは異なる位置管理装置と接続されていてもよい。
【００５８】
ＡＡＡ＿Ａ５５は、ＰＧＷ３０と、ＨＳＳ＿Ａ５０と、ＰＣＲＦ＿Ａ６０と、ＷＬＡＮ
ＡＮａ７０とに接続されており、ＷＬＡＮ  ＡＮａ７０を経由して接続するＵＥ＿Ａ１０のアクセス制御を行う。
【００５９】
ＰＣＲＦ＿Ａ６０は、ＰＧＷ＿Ａ３０と、ＷＬＡＮ  ＡＮａ７５と、ＡＡＡ＿Ａ５５と、ＰＤＮ＿Ａ５に接続されており、データ配送に対するＱｏＳ管理を行う。例えば、ＵＥ＿Ａ１０とＰＤＮ＿Ａ５間の通信路のＱｏＳの管理を行う。
【００６０】
ｅＰＤＧ＿Ａ６５は、ＰＧＷ３０と、ＷＬＡＮ  ＡＮｂ７５とに接続されており、コアネットワーク＿Ａ９０と、ＷＬＡＮ  ＡＮｂ７５とのゲートウェイ装置としてユーザデータの配送を行う。
【００６１】
ＳＧＳＮ＿Ａ４２は、ＵＴＲＡＮ＿Ａ２０とＧＥＲＡＮ＿Ａ２５とＳＧＷ＿Ａ３５と接続されており、３Ｇ／２Ｇのアクセスネットワーク（ＵＴＲＡＮ／ＧＥＲＡＮ）とＬＴＥのアクセスネットワーク（Ｅ−ＵＴＲＡＮ）間の位置管理のための制御装置である。更に、ＳＧＳＮ＿Ａ４２は、ＰＧＷ及びＳＧＷの選択機能、ＵＥのタイムゾーンの管理機能、及びＥ−ＵＴＲＡＮへのハンドオーバー時のＭＭＥの選択機能を持つ。
【００６２】
また、図２（ｂ）に示すように、各無線アクセスネットワークには、ＵＥ＿Ａ１０が実際に接続される装置（例えば、基地局装置やアクセスポイント装置）等が含まれている。接続に用いられる装置は、無線アクセスネットワークに適応した装置が考えられる。
【００６３】
本実施形態においては、ＬＴＥ  ＡＮ＿Ａ８０はｅＮＢ＿Ａ４５を含んで構成される。ｅＮＢ＿Ａ４５はＬＴＥアクセスシステムでＵＥ＿Ａ１０が接続する無線基地局であり、ＬＴＥ  ＡＮ＿Ａ８０には１又は複数の無線基地局が含まれて構成されてよい。なお、ＬＴＥ  ＡＮ＿Ａ８０はＬＴＥだけでなく、５Ｇ以降の無線通信のためのアクセスネットワークであってもよい。
【００６４】
ＷＬＡＮ  ＡＮａ７０はＷＬＡＮ  ＡＰａ７２と、ＴＷＡＧ＿Ａ７４とが含まれて構成される。ＷＬＡＮ  ＡＰａ７２はコアネットワーク＿Ａ９０を運営する事業者に対して信頼性のあるＷＬＡＮアクセスシステムでＵＥ＿Ａ１０が接続する無線基地局であり、ＷＬＡＮ  ＡＮａ７０には１又は複数の無線基地局が含まれて構成されてよい。ＴＷＡＧ＿Ａ７４はコアネットワーク＿Ａ９０とＷＬＡＮ  ＡＮａ７０のゲートウェイ装置である。また、ＷＬＡＮ  ＡＰａ７２とＴＷＡＧ＿Ａ７４とは、単一の装置で構成されてもよい。
【００６５】
コアネットワーク＿Ａ９０を運営する事業者とＷＬＡＮ  ＡＮａ７０を運営する事業者が異なる場合でも、事業者間の契約や規約によりこのような構成での実現が可能となる。
【００６６】
また、ＷＬＡＮ  ＡＮｂ７５はＷＬＡＮ  ＡＰｂ７６を含んで構成される。ＷＬＡＮ  ＡＰｂ７６はコアネットワーク＿Ａ９０を運営する事業者に対して信頼関係が結ばれていない場合に、ＷＬＡＮアクセスシステムでＵＥ＿Ａ１０が接続する無線基地局であり、ＷＬＡＮ  ＡＮｂ７５には１又は複数の無線基地局が含まれて構成されてよい。
【００６７】
このように、ＷＬＡＮ  ＡＮｂ７５はコアネットワーク＿Ａ９０に含まれる装置であるｅＰＤＧ＿Ａ６５をゲートウェイとしてコアネットワーク＿Ａ９０に接続される。ｅＰＤＧ＿Ａ６５は安全性を確保するためのセキュリティー機能を持つ。
【００６８】
ＵＴＲＡＮ＿Ａ２０は、ＲＮＣ（Ｒａｄｉｏ  Ｎｅｔｗｏｒｋ  Ｃｏｎｔｒｏｌｌｅｒ）＿Ａ２４とｅＮＢ（ＵＴＲＡＮ）＿Ａ４５を含んで構成される。ｅＮＢ（ＵＴＲＡＮ）＿Ａ４５は、ＵＴＲＡ（ＵＭＴＳ  Ｔｅｒｒｅｓｔｒｉａｌ  Ｒａｄｉｏ  Ａｃｃｅｓｓ）でＵＥ＿Ａ１０が接続する無線基地局であり、ＵＴＲＡＮ＿Ａ２０には１又は複数の無線基地局が含まれて構成されてよい。またＲＮＣ＿Ａ２４は、コアネットワーク＿Ａ９０とｅＮＢ（ＵＴＲＡＮ）＿Ａ４５を接続する制御部であり、ＵＴＲＡＮ＿Ａ２０には１又は複数のＲＮＣが含まれて構成されてよい。また、ＲＮＣ＿Ａ２４は１つまたは複数のｅＮＢ（ＵＴＲＡＮ）＿Ａ４５と接続されてよい。更に、ＲＮＣ＿Ａ２４は、ＧＥＲＡＮ＿Ａ２５に含まれる無線基地局（ＢＳＳ（Ｂａｓｅ  Ｓｔａｔｉｏｎ  Ｓｕｂｓｙｓｔｅｍ）＿Ａ２６）と接続されてよい。
【００６９】
ＧＥＲＡＮ＿Ａ２５は、ＢＳＳ＿Ａ２６を含んで構成される。ＢＳＳ＿Ａ２６は、ＧＥＲＡ（ＧＳＭ（登録商標）／ＥＤＧＥ  Ｒａｄｉｏ  Ａｃｃｅｓｓ）でＵＥ＿Ａ１０が接続する無線基地局であり、ＧＥＲＡＮ＿Ａ２５には１又は複数の無線基地局ＢＳＳで構成されてもよい。また、複数のＢＳＳは互いに接続しあっていてよい。またＢＳＳ＿Ａ２６はＲＮＣ＿Ａ２４と接続してもよい。
【００７０】
なお、本明細書において、ＵＥ＿Ａ１０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００７１】
［１．２．装置の構成］
以下、各装置の構成について説明する。
【００７２】
［１．２．１．ＵＥの構成］
以下、ＵＥ＿Ａ１０の構成を説明する。図３は、ＵＥ＿Ａ１０の装置構成を示す。図に示すように、ＵＥ＿Ａ１０は、アンテナ＿Ａ３００、送受信部＿Ａ３０１、制御部Ａ３０２、記憶部＿Ａ３１０で構成されている。
【００７３】
ＵＥ＿Ａ１０は、制御部＿Ａ３０２に、送受信部＿Ａ３０１と記憶部＿Ａ３１０がバスを介して接続されている。
【００７４】
制御部＿Ａ３０２はＵＥ＿Ａ１０を制御する為の機能部である。制御部＿Ａ３０２は記憶部＿Ａ３１０に記憶されている各種プログラムを読みだして実行する機能部である。
【００７５】
送受信部＿Ａ３０１は無線通信のデータを送受信する機能部である。送受信部＿Ａ３０１は、送信部と受信部から構成され、送信部は基地局を介して制御情報を送信する事ができ、受信部は基地局を介してデータや制御情報を送信する事ができる。
【００７６】
記憶部＿Ａ３１０は、ＵＥ＿Ａ１０の各動作に必要なプログラムや、データ等を記憶する機能部である。記憶部＿Ａ３１０は、例えば、半導体メモリや、ＨＤＤ（Ｈａｒｄ  Ｄｉｓｋ  Ｄｒｉｖｅ）等により構成されている。
【００７７】
さらに、記憶部＿Ａ３１０にはＵＥコンテキスト３１１が記憶される。ＵＥコンテキス３１１は、端末装置に関わるコンテキスト情報群であって良い。ＵＥコンテキスト３１１は、少なくともＵＥごとのＵＥコンテキストとＰＤＮコネクションごとのＵＥコンテキストを含める。
【００７８】
図４に、ＵＥコンテキスト３１１の一例を示す。図４（ａ）に、ＵＥごとのＵＥコンテキストを示す。図に示すように、ＵＥごとのＵＥコンテキストは、少なくともＩＭＳＩ、ＭＥ  Ｉｄｅｎｔｉｔｉｔｙを含み構成する。更に、ＵＥごとのＵＥコンテキストは、ＥＭＭ  Ｓｔａｔｅ、ＧＵＴＩ、ＵＥ  ｕｓａｇｅ  ｔｙｐｅを含み構成してもよい。
【００７９】
ＩＭＳＩ（Ｉｎｔｅｒｎａｔｉｏｎａｌ  Ｍｏｂｉｌｅ  ｓｔａｔｉｏｎ  Ｅｑｕｉｐｍｅｎｔ  Ｉｄｅｎｔｉｔｙ）は、ＵＥ＿Ａ１０を使用するユーザ（加入者）に割り当てられる、識別情報である。ＩＭＳＩは、回線の契約を示す識別情報であってもよく、ＳＩＭカードに記憶されていても良い。
【００８０】
ＭＥ  Ｉｄｅｎｔｉｔｙは、ＭＥのＩＤであり、例えば、ＩＭＥＩ／ＩＭＩＳＶ（Ｉｎｔｅｒｎａｔｉｏｎａｌ  Ｍｏｂｉｌｅ  ｓｔａｔｉｏｎ  Ｅｑｕｉｐｍｅｎｔ  Ｉｄｅ
ｎｔｉｔｙ  ａｎｄ  Ｓｏｆｔｗａｒｅ  Ｖｅｒｓｉｏｎ  Ｎｕｍｂｅｒ）であっても良い。またここで、ＭＥはＵＥであっても良い。
【００８１】
ＥＭＭ  Ｓｔａｔｅは、ＵＥの移動管理状態を示す。例えば、ＵＥがネットワークに登録されているＥＭＭ−ＲＥＧＩＳＴＥＲＥＤ（登録状態、ｒｅｇｉｓｔｅｒｅｄ状態）、又はＵＥがネットワークに登録されていないＥＭＭ−ＤＥＲＥＧＩＳＴＥＲＤ（非登録状態、ｄｅｒｅｇｉｓｔｅｒｅｄ状態）であっても良い。
【００８２】
ＧＵＴＩは、Ｇｌｏｂａｌｌｙ  Ｕｎｉｑｕｅ  Ｔｅｍｐｏｒａｒｙ  Ｉｄｅｎｔｉｔｙの略であり、ＵＥ＿Ａ１０の一時的な識別情報である。ＧＵＴＩはＭＭＥ（例えば、ＭＭＥ＿Ａ１０４）の識別情報（ＧＵＭＭＥＩ：Ｇｌｏｂａｌｌｙ  Ｕｎｉｑｕｅ  ＭＭＥ
Ｉｄｅｎｔｉｆｉｅｒ）と特定ＭＭＥ（例えば、ＭＭＥ＿Ａ１０４）内でのＵＥ＿Ａ１０の識別情報（Ｍ−ＴＭＳＩ）により構成される。ＵＥごとのＵＥコンテキストには、サービスごとに複数のＧＵＴＩを記憶してもよい。
【００８３】
ＵＥ  ｕｓａｇｅ  ｔｙｐｅは、ＵＥが接続するＤｅｄｉｃａｔｅｄ  ｃｏｒｅ  ｎｅｔｗｏｒｋを選択するのに用いられる、ＵＥごとに記憶される識別情報である。ＵＥまたはネットワークは、この情報に基づきＵＥが接続するＤｅｄｉｃａｔｅｄ  ｃｏｒｅ  ｎｅｔｗｏｒｋを選択してよい。
【００８４】
また、ＵＥ  ｕｓａｇｅ  ｔｙｐｅは、ＵＥが接続するＮｅｔｗｏｒｋ  ｓｌｉｃｅを選択するのに用いられる、ＵＥごとに記憶される識別情報であってよい。ＵＥ及び／またはネットワークは、この情報に基づきＵＥが接続するＮｅｔｗｏｒｋ  ｓｌｉｃｅを選択してよい。この場合、複数のＵＥ  ｕｓａｇｅ  ｔｙｐｅが記憶部に記憶されていてもよい。更に、ＵＥ  ｕｓａｇｅ  ｔｙｐｅは、アプリケーション識別情報や、サービスの識別情報が紐づけられて記憶されてもよい。
【００８５】
続いて、図４（ｂ）にＰＤＮコネクションごとのＵＥコンテキストを示す。図に示すように、ＰＤＮコネクションごとのＵＥコンテキストは、ＰＤＮコネクションＩＤ、Ａｐｐｌｉｃａｔｉｏｎ  ＩＤ、ＡＰＮ、ＩＰ  ａｄｄｒｅｓｓ、Ｄｅｆａｕｌｔ  ｂｅａｒ、Ｎｅｔｗｏｒｋ  Ｓｌｉｃｅ  ｔｙｐｅ、Ｎｅｔｗｏｒｋ  Ｓｌｉｃｅ  ＩＤ、ｉｓｏｌａｔｉｏｎ  ｌｅｖｅｌを含み構成する。
【００８６】
ＰＤＮ  ｃｏｎｎｅｃｔｉｏｎ  ＩＤは、ＰＤＮ接続を識別するための識別情報である。
【００８７】
Ａｐｐｌｉｃａｔｉｏｎ  ＩＤは、このＰＤＮ接続が利用できるアプリケーションを識別する情報である。記憶部では複数のＡｐｐｌｉｃａｔｉｏｎ  ＩＤを記憶しても良い。
【００８８】
ＡＰＮは、ＵＥ＿Ａ１０の接続先を示す。このＡＰＮは、ネットワークの識別情報と、デフォルトのオペレータの識別情報とで構成されても良い。
【００８９】
ＩＰ  Ａｄｄｒｅｓｓは、ＰＤＮ接続でＵＥ＿Ａ１０に割り当てられたＩＰアドレスであり、ＩＰｖ４アドレス、又はＩＰｖ６  プレフィックスであっても良い。
【００９０】
Ｄｅｆａｕｌｔ  Ｂｅａｒｅｒは、このＰＤＮ接続でのデフォルトベアラを識別するＥＰＳベアラ識別情報である。
【００９１】
Ｎｅｔｗｏｒｋ  Ｓｌｉｃｅ  ｔｙｐｅとは、このＰＤＮ接続が接続するＮｅｔｗｏｒｋ  ｓｌｉｃｅのタイプを識別する識別情報であり、ＵＥが接続するＮｅｔｗｏｒｋ  ｓ
ｌｉｃｅを選択するのに用いられる、ＵＥごとまたはＰＤＮ接続ごとに記憶される識別情報である。ＵＥは、この情報に基づきＵＥが接続するＮｅｔｗｏｒｋ  ｓｌｉｃｅを選択してよい。Ｎｅｔｗｏｒｋ  Ｓｌｉｃｅ  ｔｙｐｅは、ＵＥ  ｕｓａｇｅ  ｔｙｐｅであってもよい。この時、ＵＥ＿Ａ１０には複数のＮｅｔｗｏｒｋ  ｓｌｉｃｅが紐づけられていてよい。
【００９２】
または、Ｎｅｔｗｏｒｋ  Ｓｌｉｃｅ  ｔｙｐｅは、ＵＥ  ｕｓａｇｅ  ｔｙｐｅに含まれてもよい。この時、１つのＵＥ  ｕｓａｇｅ  ｔｙｐｅに複数のＮｅｔｗｏｒｋ  ｓｌｉｃｅ  Ｔｙｐｅが含まれてもよい。
【００９３】
または、Ｎｅｔｗｏｒｋ  Ｓｌｉｃｅ  ｔｙｐｅは、ＵＥ  ｕｓａｇｅ  ｔｙｐｅとは独立した情報であり、ＵＥが接続するＮｅｔｗｏｒｋ  ｓｌｉｃｅを更に制限するための情報であってもよい。この時、１つのＵＥ  ｕｓａｇｅ  ｔｙｐｅに複数のＮｅｔｗｏｒｋ  Ｓｌｉｃｅ  ｔｙｐｅが紐づけられてもよい。
【００９４】
Ｎｅｔｗｏｒｋ  Ｓｌｉｃｅ  ＩＤ（Ｎｅｔｗｏｋ  Ｓｌｉｃｅ識別情報）とは、このＰＤＮ接続が接続するＮｅｔｗｏｒｋ  ｓｌｉｃｅを識別する識別情報であり、ＵＥが接続するＮｅｔｗｏｒｋ  ｓｌｉｃｅを選択するのに用いられる、ＵＥごとに記憶される識別情報である。ＵＥは、この情報に基づきＵＥが接続するＮｅｔｗｏｒｋ  ｓｌｉｃｅを選択してよい。Ｎｅｔｗｏｒｋ  Ｓｌｉｃｅ  ＩＤは、ＵＥ  ｕｓａｇｅ  ｔｙｐｅであってもよい。この時、ＵＥ＿Ａ１０には複数のＮｅｔｗｏｒｋ  ｓｌｉｃｅが紐づけられていてよい。
【００９５】
または、Ｎｅｔｗｏｒｋ  Ｓｌｉｃｅ  ＩＤは、ＵＥ  ｕｓａｇｅ  ｔｙｐｅに含まれてもよい。この時、１つのＵＥ  ｕｓａｇｅ  ｔｙｐｅに複数のＮｅｔｗｏｒｋ  ｓｌｉｃｅ  ＩＤ含まれてもよい。
【００９６】
または、Ｎｅｔｗｏｒｋ  Ｓｌｉｃｅ  ＩＤは、ＵＥ  ｕｓａｇｅ  ｔｙｐｅとは独立した情報であり、ＵＥが接続するＮｅｔｗｏｒｋ  ｓｌｉｃｅを更に制限するための情報であってもよい。この時、１つのＵＥ  ｕｓａｇｅ  ｔｙｐｅに複数のＮｅｔｗｏｒｋ  Ｓｌｉｃｅ  ＩＤが紐づけられてもよい。
【００９７】
また、１つのＮｅｔｗｏｒｋ  Ｓｌｉｃｅ  ｔｙｐｅには、複数のＮｅｔｗｏｋ  Ｓｌｉｃｅが属していてもよいし、１つのＮｅｔｗｏｋ  Ｓｌｉｃｅが複数のＮｅｔｗｏｒｋ
Ｓｌｉｃｅ  ｔｙｐｅに属していてもよい。  ｉｓｏｌａｔｉｏｎ  ｌｅｖｅｌとは、接続の独立度を示す情報であってよい。言い換えれば、ｉｓｏｌａｔｉｏｎ  ｌｅｖｅｌとは、他のＮｅｔｗｏｒｋ  ｓｌｉｃｅに対する独立のレベルを示す情報である。具体的には、例えば、Ｎｅｔｗｏｒｋ  ｓｌｉｃｅ＿Ａが他のＮｅｔｗｏｒｋ  ｓｌｉｃｅと全ての機能部を独立させている場合、ＵＥがＮｅｔｗｏｒｋ  ｓｌｉｃｅ＿Ａに接続するということは、ＵＥはｉｓｏｌａｔｉｏｎ  ｌｅｖｅｌがレベル２の接続を確立したことを意味してもよい。または、ネットワークスライス＿Ａの一部の機能部を他のＮｅｔｗｏｒｋ  ｓｌｉｃｅと共有する場合、更にＵＥがＮｅｔｗｏｒｋ  ｓｌｉｃｅ＿Ａ内の共有された機能部を用いた場合、ＵＥはｉｓｏｌａｔｉｏｎ  ｌｅｖｅｌがレベル１の接続を確立した事を意味してもよい。
【００９８】
例えば、接続がｉｓｏｌａｔｉｏｎ  ｌｅｖｅｌがレベル１の場合、制御情報のための機能部が他のＮｅｔｗｏｒｋ  ｓｌｉｃｅと共有されている。ここで制御情報のための機能部とは、例えばＭＭＥであってもよい。または、Ｉｓｏｌａｔｉｏｎ  ｌｅｖｅｌがレベル１の場合、ＳＧＷ及び／またはＰＧＷが他のＮｅｔｗｏｒｋ  ｓｌｉｃｅと共有されてもよい。
【００９９】
または、Ｉｓｏｌａｔｉｏｎ  ｌｅｖｅｌとは基地局などの無線リソースの共有の有無を識別するための情報であってもよい。
【０１００】
［１．２．２．ｅＮＢの構成］
以下、ｅＮＢ＿Ａ４５の構成について説明する。図５はｅＮＢ＿Ａ４５の装置構成を示す。図に示すように、ｅＮＢ＿Ａ４５はアンテナ＿Ｂ５００と、送受信部＿Ｂ５０１と、ネットワーク接続部＿Ｂ５０３と、制御部＿Ｂ５０２と記憶部＿Ｂ５１０で構成されている。ネットワーク接続部＿Ｂ５０３と送受信部＿Ｂ５０１と記憶部＿Ｂ５１０は制御部＿Ｂ５０２と、バスを介して接続されている。
【０１０１】
制御部＿Ｂ５０２はｅＮＢ＿Ａ４５を制御するための機能部である。制御部＿Ｂ５０２は、記憶部＿Ｂ５１０に記憶されている各種プログラムを読みだして実行することにより各種処理を実現する。
【０１０２】
ネットワーク接続部＿Ｂ５０３は、ｅＮＢ＿Ａ４５がＭＭＥ＿Ａ１０４及び／またはＳＧＷ＿Ａ３５またはＣ−ＳＧＮ＿Ａ９５と接続するための機能部である。さらに、ネットワーク接続部＿Ｂ５０３は、ｅＮＢ＿Ａ４５がＭＭＥ＿Ａ１０４及び／またはＳＧＷ＿Ａ３５またはＣ−ＳＧＮ＿Ａ９５からユーザデータ及び又は制御データを送受信する送受信機能部である。
【０１０３】
送受信部＿Ｂ５０１は、ｅＮＢ＿Ａ４５がＵＥ＿Ａ１０と接続するための機能部である。さらに、送受信部＿Ｂ５０１は、ＵＥ＿Ａ１０からユーザデータ及び又は制御データを送受信する送受信機能部である。また、送受信部＿Ｂ５０１には、外部アンテナ＿Ｂ５００が接続されている。
【０１０４】
記憶部＿Ｂ５１０は、ｅＮＢ＿Ａ４５の各動作に必要なプログラムや、データなどを記憶する機能部である。記憶部６４０は、例えば、半導体メモリや、ＨＤＤ（Ｈａｒｄ  Ｄｉｓｋ  Ｄｒｉｖｅ）等により構成されている。
【０１０５】
記憶部＿Ｂ５１０は、少なくともＭＭＥリスト５１１が含まれる。ＭＭＥリスト５１１は、ｅＮＢ＿Ａ４５が接続するＭＭＥのリストであり、ＭＭＥプールであってもよい。
【０１０６】
ＭＭＥリスト５１１の一例を図５（ｂ）に示す。図に示されるように、ｅＮＢ＿Ａ４５は、ＭＭＥの識別情報として、ＧＵＭＭＥＩ（Ｇｌｏｂａｌｌｙ  Ｕｎｉｑｕｅ  ＭＭＥ
Ｉｄｅｎｔｉｆｉｅｒ）を記憶してもよい。また、ｅＮＢ＿Ａ４５は、ＭＭＥ識別情報に各ＭＭＥがサポートするＮｅｔｗｏｒｋ  ｓｌｉｃｅ  ｔｙｐｅ、Ｎｅｔｗｏｋ  Ｓｌｉｃｅ  ＩＤ、Ｉｓｏｌａｔｉｏｎ  ｌｅｖｅｌを識別するための情報を関連付けて記憶してもよい。
【０１０７】
なお、ＭＭＥがサポートするＮｅｔｗｏｒｋ  Ｓｌｉｃｅ  Ｔｙｐｅとは、ＭＭＥが含まれるＮｅｔｗｏｒｋ  Ｓｌｉｃｅが紐づけられるＮｅｔｗｏｒｋ  Ｓｌｉｃｅ  Ｔｙｐｅを意味する。
【０１０８】
更に、ＭＭＥがサポートするＮｅｔｗｏｋ  Ｓｌｉｃｅとは、ＭＭＥが含まれるＮｅｔｗｏｋ  Ｓｌｉｃｅを意味する。
【０１０９】
また、記憶部＿Ｂ５１０は、少なくとも、後述する通信手続き内で送受信する制御メッセージに含まれる識別情報及びまたは制御情報及び又はフラグ及び又はパラメータを記憶してもよい。
【０１１０】
［１．２．３．ＭＭＥの構成］
次に、ＭＭＥ＿Ｄ１０５の構成について説明する。なお、ＭＭＥ＿Ａ１０４、ＭＭＥ＿Ｂ１０６、ＭＭＥ＿Ｃ１０７も同様の構成であってよい。図６はＭＭＥ＿Ｄ１０５の装置構成を示す。図に示すように、ＭＭＥ＿Ｄ１０５は、ネットワーク接続部＿Ｃ６０１と、制御部＿Ｃ６０２と記憶部＿Ｃ６１０で構成されている。ネットワーク接続部＿Ｃ６０１と記憶部＿Ｃ６１０は制御部＿Ｃ６０２と、バスを介して接続されている。
【０１１１】
制御部＿Ｃ６０２はＭＭＥ＿Ｄ１０５を制御するための機能部である。制御部＿Ｃ６０２は、記憶部＿Ｃ６１０に記憶されている各種プログラムを読みだして実行することにより各種処理を実現する。
【０１１２】
ネットワーク接続部＿Ｃ６０１は、ＭＭＥ＿Ｄ１０５が、ｅＮＢ＿Ａ４５及び／またはＨＳＳ＿Ａ５０及び／またはＳＧＷ＿Ａ３５と接続するための機能部である。さらに、ネットワーク接続部＿Ｂ６０１は、ＭＭＥ＿Ｄ１０５が、ｅＮＢ＿Ａ４５及び／またはＨＳＳ＿Ａ５０及び／またはＳＧＷ＿Ａ３５からユーザデータ及び又は制御データを送受信する送受信機能部である。
【０１１３】
記憶部＿Ｃ６１０は、ＭＭＥ＿Ｄ１０５の各動作に必要なプログラムや、データなどを記憶する機能部である。記憶部＿Ｃ６１０は、例えば、半導体メモリや、ＨＤＤ（Ｈａｒｄ  Ｄｉｓｋ  Ｄｒｉｖｅ）等により構成されている。
【０１１４】
記憶部＿Ｃ６１０は、少なくとも、後述する通信手続き内で送受信する制御メッセージに含まれる識別情報及びまたは制御情報及び又はフラグ及び又はパラメータを記憶してもよい。
【０１１５】
記憶部＿Ｃ６１０は、図に示すように、ＭＭＥコンテキスト６１１と、Ｎｅｔｗｏｒｋ
Ｓｌｉｃｅ  ｔｙｐｅ６１２、Ｎｅｔｗｏｒｋ  Ｓｌｉｃｅ  ＩＤ６１３を記憶する。なお、ＭＭＥコンテキスト６１１は、ＭＭコンテキストと、ＥＰＳベアラコンテキストにより構成される。または、ＭＭＥコンテキストはＥＭＭコンテキストとＥＳＭコンテキストで構成されてもよい。ＭＭコンテキストとはＥＭＭコンテキストの事であり、ＥＰＳベアラコンテキストはＥＳＭコンテキストの事であってもよい。
【０１１６】
ＵＥごとに記憶されるＭＭＥコンテキストは、ＩＭＳＩ、ＩＭＳＩ−ｕｎａｕｔｈｅｎｔｉｃａｔｅｄ−ｉｎｄｉｃａｔｏｒ、ＭＳＩＳＤＮ、ＭＭ  Ｓｔａｔｅ、ＧＵＴＩ、ＭＥ  Ｉｄｅｎｔｉｔｙ、Ｔｒａｃｋｉｎｇ  Ａｒｅａ  Ｌｉｓｔ、ＴＡＩ  ｏｆ  ｌａｓｔ  ＴＡＵ、ＥＣＧＩ（Ｅ−ＵＴＲＡＮ  Ｃｅｌｌ  Ｇｌｏｂａｌ  Ｉｄｅｎｔｉｔｙ）、Ｅ−ＵＴＲＡＮ  Ｃｅｌｌ  Ｉｄｅｎｔｉｔｙ  Ａｇｅ、ＣＳＧ  ＩＤ、ＣＳＧ  ｍｅｍｂｅｒｓｈｉｐ、Ａｃｃｅｓｓ  ｍｏｄｅ、Ａｕｔｈｅｎｔｉｃａｔｉｏｎ  Ｖｅｃｔｏｒ、ＵＥ  Ｒａｄｉｏ  Ａｃｃｅｓｓ  Ｃａｐａｂｉｌｉｔｙ、ＭＳ  Ｃｌａｓｓｍａｒｋ  ２、ＭＳ  Ｃｌａｓｓｍａｒｋ  ３、Ｓｕｐｐｏｒｔｅｄ  Ｃｏｄｅｃｓ、ＵＥ  Ｎｅｔｗｏｒｋ  Ｃａｐａｂｉｌｉｔｙ、ＭＳ  Ｎｅｔｗｏｒｋ  Ｃａｐａｂｉｌｉｔｙ、ＵＥ  Ｓｐｅｃｉｆｉｃ  ＤＲＸ  Ｐａｒａｍｅｔｅｒｓ、Ｓｅｌｅｃｔｅｄ  ＮＡＳ
Ａｌｇｏｒｉｔｈｍ、ｅＫＳＩ、Ｋ＿ＡＳＭＥ、ＮＡＳ  Ｋｅｙｓ  ａｎｄ  ＣＯＵＮＴ、Ｓｅｌｅｃｔｅｄ  ＣＮ  ｏｐｅｒａｔｏｒ  ＩＤ、Ｒｅｃｏｖｅｒｙ、Ａｃｃｅｓｓ  Ｒｅｓｔｒｉｃｔｉｏｎ、ＯＤＢ  ｆｏｒ  ＰＳ  ｐａｒａｍｅｔｅｒｓ、ＡＰＮ−ＯＩ  Ｒｅｐｌａｃｅｍｅｎｔ、ＭＭＥ  ＩＰ  ａｄｄｒｅｓｓ  ｆｏｒ  Ｓ１１、ＭＭＥ  ＴＥＩＤ  ｆｏｒ  Ｓ１１、Ｓ‐ＧＷ  ＩＰ  ａｄｄｒｅｓｓ  ｆｏｒ  Ｓ１１／Ｓ４、Ｓ  ＧＷ  ＴＥＩＤ  ｆｏｒ  Ｓ１１／Ｓ４、ＳＧＳＮ  ＩＰ  ａｄｄｒｅｓｓ  ｆｏｒ  Ｓ３、ＳＧＳＮ  ＴＥＩＤ  ｆｏｒ  Ｓ３、ｅＮｏｄｅＢ  Ａｄｄｒｅｓｓ  ｉｎ
Ｕｓｅ  ｆｏｒ  Ｓ１−ＭＭＥ、ｅＮＢ  ＵＥ  Ｓ１ＡＰ  ＩＤ、ＭＭＥ  ＵＥ  Ｓ１ＡＰ  ＩＤ、Ｓｕｂｓｃｒｉｂｅｄ  ＵＥ−ＡＭＢＲ、ＵＥ−ＡＭＢＲ、ＥＰＳ  Ｓｕｂｓｃｒｉｂｅｄ  Ｃｈａｒｇｉｎｇ  Ｃｈａｒａｃｔｅｒｉｓｔｉｃｓ、Ｓｕｂｓｃｒｉｂｅｄ  ＲＦＳＰ  Ｉｎｄｅｘ、ＲＦＳＰ  Ｉｎｄｅｘ  ｉｎ  Ｕｓｅ、Ｔｒａｃｅ  ｒｅｆｅｒｅｎｃｅ、Ｔｒａｃｅ  ｔｙｐｅ、Ｔｒｉｇｇｅｒ  ＩＤ、ＯＭＣ  ｉｄｅｎｔｉｔｙ、ＵＲＲＰ−ＭＭＥ、ＣＳＧ  Ｓｕｂｓｃｒｉｐｔｉｏｎ  Ｄａｔａ、ＬＩＰＡ  Ａｌｌｏｗｅｄ、Ｓｕｂｓｃｒｉｂｅｄ  Ｐｅｒｉｏｄｉｃ  ＲＡＵ／ＴＡＵ  Ｔｉｍｅｒ、ＭＰＳ  ＣＳ  ｐｒｉｏｒｉｔｙ、ＭＰＳ  ＥＰＳ  ｐｒｉｏｒｉｔｙ、Ｖｏｉｃｅ
Ｓｕｐｐｏｒｔ  Ｍａｔｃｈ  Ｉｎｄｉｃａｔｏｒ、Ｈｏｍｏｇｅｎｏｕｓ  Ｓｕｐｐｏｒｔ  ｏｆ  ＩＭＳ  Ｖｏｉｃｅ  ｏｖｅｒ  ＰＳ  Ｓｅｓｓｉｏｎｓを含む。
【０１１７】
ＩＭＳＩは、ユーザの永久的な識別情報である。ＨＳＳ＿Ａ５０が記憶するＩＭＳＩと等しい。
【０１１８】
ＩＭＳＩ−ｕｎａｕｔｈｅｎｔｉｃａｔｅｄ−ｉｎｄｉｃａｔｏｒは、このＩＭＳＩが認証されていない事を示す指示情報である。
【０１１９】
ＭＳＩＳＤＮは、ＵＥの電話番号を表す。ＭＳＩＳＤＮはＨＳＳ＿Ａ５０の記憶部により示される。
【０１２０】
ＭＭ  Ｓｔａｔｅは、ＭＭＥの移動管理（Ｍｏｂｉｌｉｔｙ  ｍａｎａｇｅｍｅｎｔ）状態を示す。この管理情報は、ｅＮＢとコアネットワーク間の接続が解放されているＥＣＭ−ＩＤＬＥ状態、ｅＮＢとコアネットワーク間の接続が解放されていないＥＣＭ−ＣＯＮＮＥＣＴＥＤ状態、またはＭＭＥがＵＥの位置情報を記憶していないＥＭＭ−ＤＥＲＥＧＩＳＴＥＲＥＤ状態、ＭＭＥがＵＥの位置情報を記憶しているＥＭＭ−ＲＥＧＩＳＴＥＲＥＤ状態を示す。
【０１２１】
ＧＵＴＩ（Ｇｌｏｂａｌｌｙ  Ｕｎｉｑｕｅ  Ｔｅｍｐｏｒａｒｙ  Ｉｄｅｎｔｉｔｙ）は、ＵＥの一時的な識別情報である。ＧＵＴＩはＭＭＥの識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ内でのＵＥの識別情報（Ｍ−ＴＭＳＩ）により構成される。
【０１２２】
ＭＥ  ＩｄｅｎｔｉｔｙＵＥのＩＤであり、例えば、ＩＭＥＩ／ＩＭＩＳＶであってもよい。
【０１２３】
Ｔｒａｃｋｉｎｇ  Ａｒｅａ  Ｌｉｓｔは、ＵＥに割り当てたトラッキングエリア識別情報のリストである。
【０１２４】
ＴＡＩ  ｏｆ  ｌａｓｔ  ＴＡＵは、最近のトラッキングエリア更新手続きで示されたトラッキングエリア識別情報である。
【０１２５】
ＥＣＧＩは、ＭＭＥ＿Ａ１０４が知る最近のＵＥのセルの識別情報である。
【０１２６】
Ｅ−ＵＴＲＡＮ  Ｃｅｌｌ  Ｉｄｅｎｔｉｔｙ  Ａｇｅは、ＭＭＥがＥＣＧＩを取得してからの経過時間を示す。
【０１２７】
ＣＳＧ  ＩＤは、ＭＭＥが知る、最近のＵＥが動作したＣＳＧ（Ｃｌｏｓｅｄ  Ｓｕｂｓｃｒｉｂｅｒ  Ｇｒｏｕｐ）の識別情報である。
【０１２８】
ＣＳＧ  ｍｅｍｂｅｒｓｈｉｐは、ＭＭＥが知る最近のＵＥのＣＳＧのメンバー情報で
ある。ＣＳＧ  ｍｅｍｂｅｒｓｈｉｐは、ＵＥがＣＳＧメンバーであるかどうかを示す。
【０１２９】
Ａｃｃｅｓｓ  ｍｏｄｅはＥＣＧＩで識別されるセルのアクセスモードであり、ＥＣＧＩがＣＳＧとＣＳＧではないＵＥの両方にアクセスを許可するハイブリッドであることを示す識別情報であってもよい。
【０１３０】
Ａｕｔｈｅｎｔｉｃａｔｉｏｎ  ＶｅｃｔｏｒはＭＭＥが従う、特定のＵＥの一時的なＡＫＡ（Ａｕｔｈｅｎｔｉｃａｔｉｏｎ  ａｎｄ  Ｋｅｙ  Ａｇｒｅｅｍｅｎｔ）を示す。Ａｕｔｈｅｎｔｉｃａｔｉｏｎ  Ｖｅｃｔｏｒは、認証に用いるランダム値ＲＡＮＤ、期待応答ＸＲＥＳ、鍵Ｋ＿ＡＳＭＥ、ネットワークに認証された言語（トークン）ＡＵＴＮで構成される。
【０１３１】
ＵＥ  Ｒａｄｉｏ  Ａｃｃｅｓｓ  Ｃａｐａｂｉｌｉｔｙは、ＵＥの無線アクセス能力を示す識別情報である。
【０１３２】
ＭＳ  Ｃｌａｓｓｍａｒｋ  ２は、３Ｇ／２Ｇ（ＵＴＲＡＮ／ＧＥＲＡＮ）のＣＳドメインのコアネットワークの分類記号（Ｃｌａｓｓｍａｒｋ）である。ＭＳ  Ｃｌａｓｓｍａｒｋ  ２は、ＵＥがＳＲＶＣＣ（Ｓｉｎｇｌｅ  Ｒａｄｉｏ  Ｖｏｉｃｅ  Ｃａｌｌ  Ｃｏｎｔｉｎｕｉｔ）をＧＥＲＡＮまたはＵＴＲＡＮに対してサポートする場合に使用される。
【０１３３】
ＭＳ  Ｃｌａｓｓｍａｒｋ  ３は、ＧＥＲＡＮのＣＳドメインの無線ネットワークの分類記号（Ｃｌａｓｓｍａｒｋ）である。ＭＳ  Ｃｌａｓｓｍａｒｋ  ３は、ＵＥがＳＲＶＣＣ（Ｓｉｎｇｌｅ  Ｒａｄｉｏ  Ｖｏｉｃｅ  Ｃａｌｌ  Ｃｏｎｔｉｎｕｉｔ）をＧＥＲＡＮに対してサポートする場合に使用される。
【０１３４】
Ｓｕｐｐｏｒｔｅｄ  Ｃｏｄｅｃｓは、ＣＳドメインでサポートされるコードのリストである。このリストは、ＵＥがＳＲＶＣＣをＧＥＲＡＮまたはＵＴＲＡＮに対してサポートする場合に使用される。
【０１３５】
ＵＥ  Ｎｅｔｗｏｒｋ  Ｃａｐａｂｉｌｉｔｙは、ＵＥがサポートする機能を示す。つまり、ＵＥの特徴を示す。
【０１３６】
ＭＳ  Ｎｅｔｗｏｒｋ  Ｃａｐａｂｉｌｉｔｙは、ＧＥＲＡＮ及び／又はＵＴＲＡＮ機能をもつＵＥに対して、ＳＧＳＮに必要な少なくとも一つの情報を含める情報である。
【０１３７】
ＵＥ  Ｓｐｅｃｉｆｉｃ  ＤＲＸ  Ｐａｒａｍｅｔｅｒｓは、ＵＥのＤＲＸ（Ｄｉｓｃｏｎｔｉｎｕｏｕｓ  Ｒｅｃｅｐｔｉｏｎ）サイクル長を決定するために用いるパラメータである。ここでＤＲＸとは、ＵＥのバッテリーの消費電力をなるべく少なくするために、ある一定時間通信がなければＵＥを低消費電力状態に切り替える機能である。
【０１３８】
Ｓｅｌｅｃｔｅｄ  ＮＡＳ  Ａｌｇｏｒｉｔｈｍは、ＮＡＳ（Ｎｏｎ−Ａｃｃｅｓｓ  Ｓｔｒｅａｍ）の選択されたセキュリティーアルゴリズムである。
【０１３９】
ｅＫＳＩは、Ｋ＿ＡＳＭＥを示す鍵の集合である。ＵＴＲＡＮまたはＥ−ＵＴＲＡＮのセキュリティー認証により取得したセキュリティー鍵を利用するかどうかを示してもよい。
【０１４０】
Ｋ＿ＡＳＭＥは、暗号鍵ＣＫ（Ｃｉｐｈｅｒ  Ｋｅｙ）と完全鍵ＩＫ（Ｉｎｔｅｇｒｉｔｙ  Ｋｅｙ）に基づき生成される、Ｅ−ＵＴＲＡＮの鍵階層化の鍵である。
【０１４１】
ＮＡＳ  Ｋｅｙｓ  ａｎｄ  ＣＯＵＮＴは、鍵Ｋ＿ＮＡＳｉｎｔと、鍵Ｋ＿ＮＡＳｅｎｃとＮＡＳ  ＣＯＵＮＴパラメータにより構成される。鍵Ｋ＿ＮＡＳｉｎｔは、ＵＥとＭＭＥ間の暗号化のための鍵であり、鍵Ｋ＿ＮＡＳｅｎｃは、ＵＥとＭＭＥ間の安全性保護のための鍵である。また、ＮＡＳ  ＣＯＵＮＴはＵＥとＭＭＥ間のセキュリティーが確立された、新しい鍵が設定された場合にカウントを開始する、カウントである。
【０１４２】
Ｓｅｌｅｃｔｅｄ  ＣＮ  ｏｐｅｒａｔｏｒ  ＩＤはオペレータ間でネットワークを共有するために使用する、選択されたコアネットワークオペレータの識別情報である。
【０１４３】
Ｒｅｃｏｖｅｒｙは、ＨＳＳがデータベースの復帰を行うかどうかを示す識別情報である。
【０１４４】
Ａｃｃｅｓｓ  Ｒｅｓｔｒｉｃｔｉｏｎは、アクセス制限の加入者情報である。
【０１４５】
ＯＤＢ  ｆｏｒ  ＰＳ  ｐａｒａｍｅｔｅｒｓは、ＯＤＢ（ｏｐｅｒａｔｏｒ  ｄｅｔｅｒｍｉｎｅｄ  ｂａｒｒｉｎｇ）の状態を示す。ここでＯＤＢとは、通信事業者（オペレータ）が決定したアクセス規定である。
【０１４６】
ＡＰＮ−ＯＩ  Ｒｅｐｌａｃｅｍｅｎｔは、ＤＮＳ解決を実行する為にＰＧＷ  ＦＱＤＮを構築する際の、ＡＰＮに代わるドメイン名である。この代用のドメイン名はすべてのＡＰＮに適応される。
【０１４７】
ＭＭＥ  ＩＰ  ａｄｄｒｅｓｓ  ｆｏｒ  Ｓ１１は、ＳＧＷとのインターフェースで用いられるＭＭＥのＩＰアドレスである。
【０１４８】
ＭＭＥ  ＴＥＩＤ  ｆｏｒ  Ｓ１１は、ＳＧＷとのインターフェースで用いられるＴＥＩＤ（Ｔｕｎｎｅｌ  Ｅｎｄｐｏｉｎｔ  Ｉｄｅｎｔｉｆｉｅｒ）である。
【０１４９】
Ｓ−ＧＷ  ＩＰ  ａｄｄｒｅｓｓ  ｆｏｒ  Ｓ１１／Ｓ４はＭＭＥとＳＧＷ間またはＳＧＳＮとＭＭＥ間のインターフェースで利用されるＳＧＷのＩＰアドレスである。
【０１５０】
Ｓ  ＧＷ  ＴＥＩＤ  ｆｏｒ  Ｓ１１／Ｓ４はＭＭＥとＳＧＷ間またはＳＧＳＮとＭＭＥ間のインターフェースで利用されるＳＧＷのＴＥＩＤである。
【０１５１】
ＳＧＳＮ  ＩＰ  ａｄｄｒｅｓｓ  ｆｏｒ  Ｓ３は、ＭＭＥとＳＧＳＮ間でのインターフェースに用いるＳＧＳＮのＩＰアドレスである。
【０１５２】
ＳＧＳＮ  ＴＥＩＤ  ｆｏｒ  Ｓ３は、ＭＭＥとＳＧＳＮ間のインターフェースで用いるＳＧＳＮのＴＥＩＤである。
【０１５３】
ｅＮｏｄｅＢ  Ａｄｄｒｅｓｓ  ｉｎ  Ｕｓｅ  ｆｏｒ  Ｓ１−ＭＭＥは、ＭＭＥとｅＮＢ間のインターフェースで最近用いられたｅＮＢのＩＰアドレスである。
【０１５４】
ｅＮＢ  ＵＥ  Ｓ１ＡＰ  ＩＤは、ｅＮＢ内でのＵＥの識別情報である。
【０１５５】
ＭＭＥ  ＵＥ  Ｓ１ＡＰ  ＩＤは、ＭＭＥ内でのＵＥの識別情報である。
【０１５６】
Ｓｕｂｓｃｒｉｂｅｄ  ＵＥ−ＡＭＢＲは、ユーザの加入者情報に従いすべてのＮｏｎ−ＧＢＲ（Ｇｕａｒａｎｔｅｅｄ  Ｂｉｔ  Ｒａｔｅ）ベアラ（非保障ベアラ）を共有す
るための上り通信および下り通信のＭＢＲ（Ｍａｘｉｍｕｍ  Ｂｉｔ  Ｒａｔｅ）の最大値を示す。
【０１５７】
ＵＥ−ＡＭＢＲは、すべてのＮｏｎ−ＧＢＲベアラ（非保障ベアラ）を共有するために、最近使用された上り通信および下り通信のＭＢＲの最大値を示す。
【０１５８】
ＥＰＳ  Ｓｕｂｓｃｒｉｂｅｄ  Ｃｈａｒｇｉｎｇ  Ｃｈａｒａｃｔｅｒｉｓｔｉｃｓは、ＵＥの課金特性を示す。例えば、ＥＰＳ  Ｓｕｂｓｃｒｉｂｅｄ  Ｃｈａｒｇｉｎｇ
Ｃｈａｒａｃｔｅｒｉｓｔｉｃｓはノーマル、プリペイド、課金率固定、または即時請求などの加入者情報を示してもよい。
【０１５９】
Ｓｕｂｓｃｒｉｂｅｄ  ＲＦＳＰ  Ｉｎｄｅｘは、ＨＳＳから取得したＥ−ＵＴＲＡＮ内の特定のＲＲＭ構成のためのインデックスである。
【０１６０】
ＲＦＳＰ  Ｉｎｄｅｘ  ｉｎ  Ｕｓｅは、最近使用されたＥ−ＵＴＲＡＮ内の特定のＲＲＭ構成のためのインデックスである。
【０１６１】
Ｔｒａｃｅ  ｒｅｆｅｒｅｎｃｅは、特定のトレースの記録、または記録の集合を識別する識別情報である。
【０１６２】
Ｔｒａｃｅ  ｔｙｐｅは、トレースのタイプを示す。例えば、ＨＳＳがトレースをするタイプ、及び／または、ＭＭＥやＳＧＷやＰＧＷがトレースするタイプを示してもよい。
【０１６３】
Ｔｒｉｇｇｅｒ  ＩＤは、トレースを開始する構成要素を識別する識別情報である。
【０１６４】
ＯＭＣ  Ｉｄｅｎｔｉｔｙは、トレースされた記録を受信したＯＭＣを識別する識別情報である。
【０１６５】
ＵＲＲＰ−ＭＭＥは、ＨＳＳによりＭＭＥからのＵＥ活動通知が要求された事を示す識別情報である。
【０１６６】
ＣＳＧ  Ｓｕｂｓｃｒｉｐｔｉｏｎ  Ｄａｔａは、ローミング先のＰＬＭＮ（ＶＰＬＭＮ）ＣＳＧ  ＩＤとローミング先の等価ＰＬＭＮの関連リストである。ＣＳＧ  ＩＤごとに、ＣＳＧ  ＩＤの有効期限を示すｅｘｐｉｒａｔｉｏｎ  ｄａｔｅや、有効期限がない事を示すａｂｓｅｎｔ  ｅｘｐｉｒａｔｉｏｎ  ｄａｔｅと関連づけられていてもよい。ＣＳＧ  ＩＤは、ＬＩＰＡを介した特定のＰＤＮ接続に使われてもよい。
【０１６７】
ＬＩＰＡ  Ａｌｌｏｗｅｄは、ＵＥはこのＰＬＭＮでＬＩＰＡを使用することが許可されているかどうかを示す
Ｓｕｂｓｃｒｉｂｅｄ  Ｐｅｒｉｏｄｉｃ  ＲＡＵ／ＴＡＵ  Ｔｉｍｅｒは、定期的なＲＡＵ及び／またはＴＡＵのタイマーである。
【０１６８】
ＭＰＳ  ＣＳ  ｐｒｉｏｒｉｔｙは、ＵＥがＣＳドメインでｅＭＬＰＰか１ｘ  ＲＴＴ優先サービスに登録されていることを示す。
【０１６９】
ＭＰＳ  ＥＰＳ  ｐｒｉｏｒｉｔｙは、ＥＰＳドメイン内でＭＰＳに登録されていることを示す識別情報である。
【０１７０】
Ｖｏｉｃｅ  Ｓｕｐｐｏｒｔ  Ｍａｔｃｈ  Ｉｎｄｉｃａｔｏｒは、ＵＥの無線能力がネットワーク構成と互換性があるかどうかを示す。例えば、ＵＥによるＳＲＶＣＣのサポ
ートがネットワークの音声通話に対するサポートとマッチするかどうかを示す。
【０１７１】
Ｈｏｍｏｇｅｎｏｕｓ  Ｓｕｐｐｏｒｔ  ｏｆ  ＩＭＳ  Ｖｏｉｃｅ  ｏｖｅｒ  ＰＳ
Ｓｅｓｓｉｏｎｓ  ｆｏｒ  ＭＭＥは、ＰＳセッション上のＩＭＳ音声通話をサポートするかどうかを、ＵＥごとに示す指示情報である。Ｈｏｍｏｇｅｎｏｕｓ  Ｓｕｐｐｏｒｔ  ｏｆ  ＩＭＳ  Ｖｏｉｃｅ  ｏｖｅｒ  ＰＳ  Ｓｅｓｓｉｏｎｓ  ｆｏｒ  ＭＭＥは、ＭＭＥが管理する全てのＴＡ（Ｔｒａｃｋｉｎｇ  Ａｒｅａ）でＰＳ（Ｐａｃｋｅｔ  Ｓｗｉｔｃｈｅｄ：  回線交換）セッション上でのＩＭＳ（ＩＰ  Ｍｕｌｔｉｍｅｄｉａ
Ｓｕｂｓｙｓｔｅｍ）音声通話をサポートする、「Ｓｕｐｐｏｒｔｅｄ」と、ＰＳセッション上でのＩＭＳ音声通話をサポートするＴＡがない場合を示す「Ｎｏｔ  Ｓｕｐｐｏｒｔｅｄ」とがある。また、ＰＳセッション上でのＩＭＳ音声通話をサポートが均一でない（サポートするＴＡとしないＴＡがＭＭＥ内に混在する）場合や、サポートするかどうかが分からない場合、ＭＭＥはこの指示情報をＨＳＳに通知しない。
【０１７２】
また、ＰＤＮコネクションごとのＭＭＥコンテキストは、ＡＰＮ  ｉｎ  Ｕｓｅ、ＡＰＮ  Ｒｅｓｔｒｉｃｔｉｏｎ、ＡＰＮ  Ｓｕｂｓｃｒｉｂｅｄ、ＰＤＮ  Ｔｙｐｅ、ＩＰ
Ａｄｄｒｅｓｓ、ＥＰＳ  ＰＤＮ  Ｃｈａｒｇｉｎｇ  Ｃｈａｒａｃｔｅｒｉｓｔｉｃｓ、ＡＰＮ−ＯＩ  Ｒｅｐｌａｃｅｍｅｎｔ、ＳＩＰＴＯ  ｐｅｒｍｉｓｓｉｏｎｓ、Ｌｏｃａｌ  Ｈｏｍｅ  Ｎｅｔｗｏｒｋ  ＩＤ、ＬＩＰＡ  ｐｅｒｍｉｓｓｉｏｎｓ、ＷＬＡＮ  ｏｆｆｌｏａｄａｂｉｌｉｔｙ、ＶＰＬＭＮ  Ａｄｄｒｅｓｓ  Ａｌｌｏｗｅｄ、ＰＤＮ  ＧＷ  Ａｄｄｒｅｓｓ  ｉｎ  Ｕｓｅ（制御情報）、ＰＤＮ  ＧＷ  ＴＥＩＤ  ｆｏｒ  Ｓ５／Ｓ８（制御情報）、ＭＳ  Ｉｎｆｏ  Ｃｈａｎｇｅ  Ｒｅｐｏｒｔｉｎｇ
Ａｃｔｉｏｎ、ＣＳＧ  Ｉｎｆｏｒｍａｔｉｏｎ  Ｒｅｐｏｒｔｉｎｇ  Ａｃｔｉｏｎ、Ｐｒｅｓｅｎｃｅ  Ｒｅｐｏｒｔｉｎｇ  Ａｒｅａ  Ａｃｔｉｏｎ、ＥＰＳ  ｓｕｂｓｃｒｉｂｅｄ  ＱｏＳ  ｐｒｏｆｉｌｅ、Ｓｕｂｓｃｒｉｂｅｄ  ＡＰＮ−ＡＭＢＲ、ＡＰＮ−ＡＭＢＲ、ＰＤＮ  ＧＷ  ＧＲＥ  Ｋｅｙ  ｆｏｒ  ｕｐｌｉｎｋ  ｔｒａｆｆｉｃ（ユーザデータ）、Ｄｅｆａｕｌｔ  ｂｅａｒｅｒを含める。
【０１７３】
ＡＰＮ  ｉｎ  Ｕｓｅは、最近使用されたＡＰＮを示す。このＡＰＮはＡＰＮネットワークの識別情報と、デフォルトのオペレータの識別情報により構成される。
【０１７４】
ＡＰＮ  Ｒｅｓｔｒｉｃｔｉｏｎは、このベアラコンテキストに関連づけられたＡＰＮに対する、ＡＰＮのタイプの組み合わせの制限を示す。つまり、確立できるＡＰＮの数とＡＰＮのタイプを制限する情報である。
【０１７５】
ＡＰＮ  ＳｕｂｓｃｒｉｂｅｄはＨＳＳから受信した登録ＡＰＮを意味する。
【０１７６】
ＰＤＮ  Ｔｙｐｅは、ＩＰアドレスのタイプを示す。例えば、ＰＤＮ  Ｔｙｐｅは、ＩＰｖ４、ＩＰｖ６またはＩＰｖ４ｖ６を示す。
【０１７７】
ＩＰ  Ａｄｄｒｅｓｓは、ＩＰｖ４アドレスかＩＰｖ６  Ｐｒｅｆｉｘを示す。なお、ＩＰアドレスはＩＰｖ４とＩＰｖ６のｐｒｅｆｉｘの両方を記憶してもよい。
【０１７８】
ＥＰＳ  ＰＤＮ  Ｃｈａｒｇｉｎｇ  Ｃｈａｒａｃｔｅｒｉｓｔｉｃｓは、課金特性を示す。ＥＰＳ  ＰＤＮ  Ｃｈａｒｇｉｎｇ  Ｃｈａｒａｃｔｅｒｉｓｔｉｃｓは例えば、ノーマル、プリペイド、課金率固定、または即時請求を示してよい。
【０１７９】
ＡＰＮ−ＯＩ  Ｒｅｐｌａｃｅｍｅｎｔは、ＵＥごとに登録されているＡＰＮ−ＯＩ  Ｒｅｐｌａｃｅｍｅｎｔと同様の役割をもつＡＰＮの代理ドメイン名である。ただし、ＵＥごとのＡＰＮ−ＯＩ  Ｒｅｐｌａｃｅｍｅｎｔより優先度が高い。
【０１８０】
ＳＩＰＴＯ  ｐｅｒｍｉｓｓｉｏｎｓはこのＡＰＮを用いたトラフィックのＳＩＰＴＯ（Ｓｅｌｅｃｔｅｄ  ＩＰ  Ｔｒａｆｆｉｃ  Ｏｆｆｌｏａｄ）に対する許可情報を示す。具体的には、ＳＩＰＴＯ  ｐｅｒｍｉｓｓｉｏｎｓは、ＳＩＰＴＯを用いる事を禁止する、またはローカルネットワーク以外でのＳＩＰＴＯの利用を許可する、またはローカルネットワークを含めるネットワークでのＳＩＰＴＯの利用を許可する、またはローカルネットワークのみＳＩＰＴＯの利用を許可する、ことを識別する。
【０１８１】
Ｌｏｃａｌ  Ｈｏｍｅ  Ｎｅｔｗｏｒｋ  ＩＤは、ローカルネットワークを用いたＳＩＰＴＯ（ＳＩＰＴＯ＠ＬＮ）の利用が可能である場合、基地局が属するホームネットワークの識別情報を示す。
【０１８２】
ＬＩＰＡ  ｐｅｒｍｉｓｓｉｏｎｓは、このＰＤＮがＬＩＰＡを介したアクセスが可能かどうかを示す識別情報である。具体的には、ＬＩＰＡ  ｐｅｒｍｉｓｓｉｏｎｓは、ＬＩＰＡを許可しないＬＩＰＡ−ｐｒｏｈｉｂｉｔｅｄ、またはＬＩＰＡのみ許可する、ＬＩＰＡ−ｏｎｌｙ、条件によりＬＩＰＡを許可するＬＩＰＡ−ｃｏｎｄｉｔｉｏｎａｌであってよい。
【０１８３】
ＷＬＡＮ  ｏｆｆｌｏａｄ  ａｂｉｌｉｔｙは、このＡＰＮで接続されたトラフィックは、無線ランと３ＧＰＰ間の連携機能を用いて、無線ランにオフロードできるか、または３ＧＰＰの接続を維持するのかを示す識別情報である。ＷＬＡＮ  ｏｆｆｌｏａｄ  ａｂｉｌｉｔｙは、ＲＡＴタイプごとに分かれていてもよい。具体的には、ＬＴＥ（Ｅ−ＵＴＲＡ）と３Ｇ（ＵＴＲＡ）とで異なったＷＬＡＮ  ｏｆｆｌｏａｄ  ａｂｉｌｉｔｙが存在してもよい。
【０１８４】
ＶＰＬＭＮ  Ａｄｄｒｅｓｓ  Ａｌｌｏｗｅｄは、ＵＥがこのＡＰＮを用いた接続が、ローミング先のＰＬＭＮ（ＶＰＬＭＮ）ではＨＰＬＭＮのドメイン（ＩＰアドレス）ＰＧＷのみを使用することが許可されるのか、またはＶＰＬＭＮのドメイン内のＰＧＷを追加されるのかを示す
ＰＤＮ  ＧＷ  Ａｄｄｒｅｓｓ  ｉｎ  Ｕｓｅ（制御情報）は、ＰＧＷの最近のＩＰアドレスを示す。このアドレスは制御信号を送信するときに用いられる。
【０１８５】
ＰＤＮ  ＧＷ  ＴＥＩＤ  ｆｏｒ  Ｓ５／Ｓ８（制御情報）は、ＳＧＷとＰＧＷ間のインターフェース（Ｓ５／Ｓ８）で制御情報の送受信に用いるＴＥＩＤである。
【０１８６】
ＭＳ  Ｉｎｆｏ  Ｃｈａｎｇｅ  Ｒｅｐｏｒｔｉｎｇ  Ａｃｔｉｏｎは、ＰＧＷにユーザの位置情報が変更された事を通知する必要があること示す情報要素である。
【０１８７】
ＣＳＧ  Ｉｎｆｏｒｍａｔｉｏｎ  Ｒｅｐｏｒｔｉｎｇ  Ａｃｔｉｏｎは、ＰＧＷにＣＳＧ情報が変更された事を通知する必要があることを示す情報要素である。
【０１８８】
Ｐｒｅｓｅｎｃｅ  Ｒｅｐｏｒｔｉｎｇ  Ａｒｅａ  Ａｃｔｉｏｎは、ＵＥが存在報告エリア（Ｐｒｅｓｅｎｃｅ  Ｒｅｐｏｒｔｉｎｇ  Ａｒｅａ）に存在するかどうかの変更を通知する必要があることを示す。この情報要素は、存在報告エリアの識別情報と、存在報告エリアに含まれる要素により分かれている。
【０１８９】
ＥＰＳ  ｓｕｂｓｃｒｉｂｅｄ  ＱｏＳ  ｐｒｏｆｉｌｅは、デフォルトベアラに対する、ベアラレベルでのＱｏＳパラメータを示す。
【０１９０】
Ｓｕｂｓｃｒｉｂｅｄ  ＡＰＮ−ＡＭＢＲは、ユーザの加入者情報に従いこのＡＰＮに
対して確立された全てのＮｏｎ−ＧＢＲベアラ（非保障ベアラ）を共有するための上り通信および下り通信のＭＢＲ（Ｍａｘｉｍｕｍ  Ｂｉｔ  Ｒａｔｅ）の最大値を示す。
【０１９１】
ＡＰＮ−ＡＭＢＲは、ＰＧＷにより決定された、このＡＰＮに対して確立された全てのＮｏｎ−ＧＢＲベアラ（非保障ベアラ）を共有するための上り通信および下り通信のＭＢＲ（Ｍａｘｉｍｕｍ  Ｂｉｔ  Ｒａｔｅ）の最大値を示す。
【０１９２】
ＰＤＮ  ＧＷ  ＧＲＥ  Ｋｅｙ  ｆｏｒ  ｕｐｌｉｎｋ  ｔｒａｆｆｉｃ（ユーザデータ）は、ＳＧＷとＰＧＷ間のインターフェースのユーザデータの上り通信のためのＧＲＥ（Ｇｅｎｅｒｉｃ  Ｒｏｕｔｉｎｇ  Ｅｎｃａｐｓｕｌａｔｉｏｎ）鍵である。
【０１９３】
Ｄｅｆａｕｌｔ  Ｂｅａｒｅｒは、ＰＤＮコネクション確立時に取得、及び又は、生成する情報であり、ＰＤＮコネクションに対応づけられたデフォルトベアラを識別するためのＥＰＳベアラ識別情報である。
【０１９４】
また、ベアラごとに記憶されるＭＭＥコンテキストは、ＥＰＳ  Ｂｅａｒｅｒ  ＩＤ、ＴＩ、Ｓ−ＧＷ  ＩＰ  ａｄｄｒｅｓｓ  ｆｏｒ  Ｓ１−ｕ、Ｓ−ＧＷ  ＴＥＩＤ  ｆｏｒ  Ｓ１ｕ、ＰＤＮ  ＧＷ  ＴＥＩＤ  ｆｏｒ  Ｓ５／Ｓ８、ＰＤＮ  ＧＷ  ＩＰ  ａｄｄｒｅｓｓ  ｆｏｒ  Ｓ５／Ｓ８、ＥＰＳ  ｂｅａｒｅｒ  ＱｏＳ、ＴＦＴを含める。
【０１９５】
ＥＰＳ  Ｂｅａｒｅｒ  ＩＤは、Ｅ−ＵＴＲＡＮを介したＵＥ接続に対して、ＥＰＳベアラを識別する唯一の識別情報である。
【０１９６】
なお、ＥＰＳ  Ｂｅａｒｅｒ  ＩＤは、デディケイテッドベアラを識別するＥＰＳベアラ識別情報であってよい。したがって、デフォルトベアラとは異なるＥＰＳベアラを識別する識別情報であってよい。
【０１９７】
なお、既に説明した通り、ＥＰＳベアラとは、ＵＥ＿Ａ１０とＣ−ＳＧＮ＿Ａ９５との間で確立する通信路であってよい。さらに、ＥＰＳベアラは、ＵＥ＿Ａ１０とｅＮＢ＿Ａ４５との間で確立するＲＢ（Ｒａｄｉｏ  Ｂｅａｒｅｒ）と、ｅＮＢ＿Ａ４５とＣ−ＳＧＮ＿Ａ９５との間で確立するＳ１ベアラとによって構成されてよい。ここで、ＲＢとＥＰＳベアラとは一対一に対応づけられてよい。そのため、ＲＢの識別情報は、ＥＰＳベアラの識別情報と一対一に対応づけられてもよいし、同じ識別情報であってもよい。
【０１９８】
また、ＥＰＳベアラとは、ＵＥ＿Ａ１０とＰＧＷ＿Ａ３０との間で確立する論理的な通信路であってもよい。この場合においても、ＥＰＳベアラは、ＵＥ＿Ａ１０とｅＮＢ＿Ａ４５との間で確立するＲＢ（Ｒａｄｉｏ  Ｂｅａｒｅｒ）を含んで構成されてよい。さらに、ＲＢとＥＰＳベアラとは一対一に対応づけられてよい。そのため、ＲＢの識別情報は、ＥＰＳベアラの識別情報と一対一に対応づけられてもよいし、同じ識別情報であってもよい。
【０１９９】
したがって、デディケイテッドベアラを識別するＥＰＳベアラＩＤは、ＳＲＢ（Ｓｉｇｎａｌｌｉｎｇ  Ｒａｄｉｏ  Ｂｅａｒｅｒ）、及び又は、ＣＲＢ（Ｃｏｎｔｒｏｌ  Ｓｉｇｎａｌｌｉｎｇ  Ｒａｄｉｏ  Ｂｅａｒｅｒ）を識別する識別情報であってもよいし、ＤＲＢ（Ｄａｔａ  Ｒａｄｉｏ  Ｂｅａｒｅｒ）識別する識別情報であってもよい。
【０２００】
ここで、既に説明したとおり、本実施形態におけるＳＲＢとは、本来は制御メッセージ等の制御情報を送受信するために確立するＲＢであってよい。ここで、本実施形態におけるＣＲＢとは、本来は制御メッセージ等の制御情報を送受信するために確立するＲＢであってよい。なお、本実施形態では、本来制御メッセージを送受信するためのＲＢを用いて
、ユーザデータの送受信を行う。したがって、本実施形態では、ＳＲＢ又はＣＲＢを用いて、制御メッセージとユーザデータとを送受信する。
【０２０１】
また、本実施形態におけるＤＲＢとは、ユーザデータを送受信するために確立するＲＢであってよい。
【０２０２】
ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。
【０２０３】
Ｓ−ＧＷ  ＩＰ  ａｄｄｒｅｓｓ  ｆｏｒ  Ｓ１−ｕは、ｅＮＢとＳＧＷ間のインターフェースで使用するＳＧＷのＩＰアドレスである。
【０２０４】
また、Ｓ−ＧＷ  ＩＰ  ａｄｄｒｅｓｓ  ｆｏｒ  Ｓ１−ｕは、ユーザデータが制御情報用のメッセージに含まれて送受信される場合、ＭＭＥ、及び又は、ＳＧＳＮとＳＧＷ間のインターフェースで使用するＳＧＷのＩＰアドレスであってもよく、Ｓ−ＧＷ  ＩＰ  ａｄｄｒｅｓｓ  ｆｏｒ  Ｓ１１／Ｓ４であってもよい。
【０２０５】
Ｓ−ＧＷ  ＴＥＩＤ  ｆｏｒ  Ｓ１ｕは、ｅＮＢとＳＧＷ間のインターフェースで使用するＳＧＷのＴＥＩＤである。
【０２０６】
また、Ｓ−ＧＷ  ＴＥＩＤ  ｆｏｒ  Ｓ１ｕは、ＭＭＥ、及び又は、ユーザデータが制御情報用のメッセージに含まれて送受信される場合、ＳＧＳＮとＳＧＷ間のインターフェースで使用するＳＧＷのＴＥＩＤアドレスであってもよく、Ｓ−ＧＷ  ＴＥＩＤ  ｆｏｒ
Ｓ１１／Ｓ４であってもよい。
【０２０７】
ＰＤＮ  ＧＷ  ＴＥＩＤ  ｆｏｒ  Ｓ５／Ｓ８は、ＳＧＷとＰＧＷ間のインターフェースのユーザデータ伝送の為のＰＧＷのＴＥＩＤである。
【０２０８】
ＰＤＮ  ＧＷ  ＩＰ  ａｄｄｒｅｓｓ  ｆｏｒ  Ｓ５／Ｓ８は、ＳＧＷとＰＧＷ間のインターフェースのユーザデータ伝送の為のＰＧＷのＩＰアドレスである。
【０２０９】
ＥＰＳ  ｂｅａｒｅｒ  ＱｏＳは、ＱＣＩ（ＱｏＳ  Ｃｌａｓｓ  Ｉｄｅｎｔｉｆｉｅｒ）と、ＡＲＰ（Ａｌｌｏｃａｔｉｏｎ  ａｎｄ  Ｒｅｔｅｎｔｉｏｎ  Ｐｒｉｏｒｉｔｙ）で構成される。ＱＣＩはＱｏＳの属するクラスを示す。ＱｏＳは帯域制御の有無や遅延許容時間、パケットロス率などに応じてクラスを分けられる。ＱＣＩは優先度を示す情報を含める。ＡＲＰは、ベアラを維持することに関する優先度を表す情報である。
【０２１０】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０２１１】
また、記憶部＿Ｃ６１０に含まれるＮｅｔｗｏｒｋ  Ｓｌｉｃｅ  ｔｙｐｅ６１２を図６（ｃ）に、Ｎｅｔｗｏｒｋ  Ｓｌｉｃｅ  ＩＤ６１３を図６（ｄ）に示す。
【０２１２】
図に示されるように、Ｎｅｔｗｏｒｋ  Ｓｌｉｃｅ  ｔｙｐｅ６１２は、Ｎｅｔｗｏｒｋ  Ｓｌｉｃｅ  ｔｙｐｅとＩｓｏｌａｔｉｏｎ  ｌｅｖｅｌで構成されている。Ｎｅｔｗｏｒｋ  Ｓｌｉｃｅ  ｔｙｐｅ６１２は複数のＮｅｔｗｏｒｋ  Ｓｌｉｃｅ  ｔｙｐｅとＩｓｏｌａｔｉｏｎ  ｌｅｖｅｌを保持してもよい。また、Ｎｅｔｗｏｒｋ  Ｓｌｉｃｅ  ｔｙｐｅとＩｓｏｌａｔｉｏｎ  ｌｅｖｅｌは対応付けられて記憶されてもよい。
【０２１３】
同様に、Ｎｅｔｗｏｒｋ  Ｓｌｉｃｅ  ＩＤ６１３は、Ｎｅｔｗｏｒｋ  Ｓｌｉｃｅ  
ＩＤとＩｓｏｌａｔｉｏｎ  ｌｅｖｅｌで構成されている。Ｎｅｔｗｏｒｋ  Ｓｌｉｃｅ
ＩＤ６１２は複数のＮｅｔｗｏｒｋ  Ｓｌｉｃｅ  ＩＤとＩｓｏｌａｔｉｏｎ  ｌｅｖｅｌを保持してもよい。また、Ｎｅｔｗｏｒｋ  Ｓｌｉｃｅ  ＩＤとＩｓｏｌａｔｉｏｎ
ｌｅｖｅｌは対応付けられて記憶されてもよい。
【０２１４】
図に示されるように、ＭＭＥ＿Ｄ１０５のＮｅｔｗｏｒｋ  Ｓｌｉｃｅ  ｔｙｐｅはｔｙｐｅ１とｔｙｐｅ２がサポートされており、それぞれのｉｓｏｌａｔｉｏｎ  ｌｅｖｅｌは２であることが分かる。同様に、ＭＭＥ＿Ｄ１０５は、Ｎｅｔｗｏｒｋ  Ｓｌｉｃｅ
ＩＤ１とＮｅｔｗｏｒｋ  Ｓｌｉｃｅ  ＩＤ２に含まれており、それぞれのｉｓｏｌａｔｉｏｎ  ｌｅｖｅｌは２であることが分かる。
【０２１５】
なお、図６では主にＭＭＥ＿Ｄ１０５の構成について説明してきたが、例えば、ＭＭＥ＿Ａ１０４の場合、記憶部＿Ｃ６１０で記憶されるＮｅｔｗｏｒｋ  Ｓｌｉｃｅ  ｔｙｐｅは、ｔｙｐｅ１が記憶されており、ｉｓｏｌａｔｉｏｎ  ｌｅｖｅｌがＬｖ．２が記憶されていてもよい。
【０２１６】
また、Ｎｅｔｗｏｒｋ  Ｓｌｉｃｅ  ｔｙｐｅ６１２は、ＭＭＥコンテキスト６１１に含まれてもよい。具体的には、ＰＤＮコネクションごとのＭＭＥまたはベアラごとのＭＭＥコンテキストに含まれてもよい。
【０２１７】
または、図６に示すように、ＭＭＥ＿Ｄ１０５はＭＭＥコンテキスト６１１とＮｅｔｗｏｒｋ  Ｓｌｉｃｅ  ｔｙｐｅ６１２が独立して記憶してもよい。
【０２１８】
［１．３．処理例］
以下、本実施形態に関わる処理例を説明する。
【０２１９】
［１．３．１．Ｎｅｔｗｏｒｋ  Ｓｌｉｃｅ  ｔｙｐｅの通知手続き］
ＵＥ＿Ａ１０は、ネットワークとＮＡＳ（Ｎｏｎ−Ａｃｃｅｓｓ  Ｓｔｒａｔｕｍ）手続きを実行する前に、予めＲＲＣ（Ｒａｄｉｏ  Ｒｅｓｏｕｒｃｅ  Ｃｏｎｔｒｏｌ）接続の確立手続きを行うことが出来る。以下では、ＲＲＣ接続の確立手続きで、ＵＥが、アタッチ手続き内で確立する接続先のＮｅｔｗｏｒｋ  ｓｌｉｃｅの選択をするためにＮｅｔｗｏｒｋ  Ｓｌｉｃｅ  ｔｙｐｅ及び又はＮｅｔｗｏｒｋ  Ｓｌｉｃｅの情報を取得する方法について説明する。
【０２２０】
Ｎｅｔｗｏｒｋ  Ｓｌｉｃｅ  ｔｙｐｅ及び又はＮｅｔｗｏｒｋ  Ｓｌｉｃｅ  ＩＤの通知手続きの一例を図７に示す。図に示すように、ＭＭＥ＿Ａ１０４及びＭＭＥ＿Ｂ１０６は各ＭＭＥが管理するｅＮＢ＿Ａ４５に対して、Ｎｏｔｉｆｉｃａｔｉｏｎメッセージを送信する（Ｓ７００、Ｓ７０２）。ＭＭＥ＿Ａ１０４及びＭＭＥ＿Ｂ１０６は、Ｎｅｔｗｏｒｋ  ｓｌｉｃｅの構築の完了を基にＮｏｔｉｆｉｃａｔｉｏｎメッセージを送信してもよいし、定期的に通知してもよい。または、Ｎｅｔｗｏｒｋ  ｓｌｉｃｅの構成変更に伴い、Ｎｏｔｉｆｉｃａｔｉｏｎメッセージを送信してもよい。
【０２２１】
Ｎｏｔｉｆｉｃａｔｉｏｎメッセージは、ＭＭＥ  Ｃｏｎｆｉｇｕｒａｔｉｏｎ  Ｕｐｄａｔｅメッセ―ジであってもよい。
【０２２２】
Ｎｏｔｉｆｉｃａｔｉｏｎメッセージには、第１の識別情報及び又は第２の識別情報及び又は、第３の識別情報及び又は、第４の識別情報が含まれている。
【０２２３】
ここで、第１の識別情報とは、ＭＭＥがサポートするＮｅｔｗｏｒｋ  Ｓｌｉｃｅ  ｔｙｐｅを識別するための情報であってよい。または、第１の識別情報とは、ＭＭＥが含ま
れているＮｅｔｗｏｒｋ  Ｓｌｉｃｅがサポートする、Ｎｅｔｗｏｒｋ  Ｓｌｉｃｅ  ｔｙｐｅを識別するための情報であってよい。以下、ＭＭＥがサポートするＮｅｔｗｏｒｋ
Ｓｌｉｃｅ  Ｔｙｐｅとは、ＭＭＥが含まれているＮｅｔｗｏｒｋ  ＳｌｉｃｅがサポートするＮｅｔｗｏｒｋ  Ｓｌｉｃｅ  ｔｙｐｅと同義であってよい。また、第１の識別情報は、ＵＥ  ｕｓａｇｅ  ｔｙｐｅであってもよい。ここでは、送信元のＭＭＥがサポートするＮｅｔｗｏｒｋ  Ｓｌｉｃｅ  ｔｙｐｅまたはＵＥ  ｕｓａｇｅ  ｔｙｐｅを識別するための情報であってよい。つまり、ＭＭＥ＿Ａ１０４がｅＮＢ＿Ａ４５に送信する第１の識別情報と、ＭＭＥ＿Ｂ１０６が送信する第１の識別情報は異なってもよい。
【０２２４】
また、第２の識別情報とは、Ｎｅｔｗｏｒｋ  ｓｌｉｃｅの独立度であってよい。言い換えると、第２の識別情報は、Ｎｅｔｗｏｋ  Ｓｌｉｃｅに含まれるＮＦの独立度であってよい。
【０２２５】
例えば、第２の識別情報はＮＦであるＭＭＥの、他のＮｅｔｗｏｒｋ  ｓｌｉｃｅに対する独立度（Ｉｓｏｌａｔｉｏｎ  ｌｅｖｅｌ）を示す情報であってよい。本実施形態ではＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ  ｓｌｉｃｅ＿Ａ１０１に属しており、他のＮｅｔｗｏｒｋ  ｓｌｉｃｅから独立している場合、つまりＭＭＥ＿Ａ１０４が１つのＮｅｔｗｏｒｋ  Ｓｌｉｃｅにのみ含まれている場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿Ａ１０１とＮｅｔｗｏｒｋ  ｓｌｉｃｅ＿Ｂ１０２に属しており、ＭＭＥ＿Ａ１０４がＮｅｔｗｏｒｋ  ｓｌｉｃｅ内で独立していない場合、つまりＭＭＥ＿Ａ１０４が複数のＮｅｔｗｏｒｋ  Ｓｌｉｃｅに含まれている場合、ｉｓｏｌａｔｉｏｎ  ｌｅｖｅｌはレベル１であってもよい。つまり、第２の識別情報は、ＭＭＥの独立度を示す情報であってもよい。ここでは、送信元の各ＭＭＥが第１の識別情報で識別したＮｅｔｗｏｒｋ  Ｓｌｉｃｅ
ｔｙｐｅ又は第３の識別情報で示されるＮｅｔｗｏｋ  ＳｌｉｃｅとしてのＩｓｏｌａｔｉｏｎ  ｌｅｖｅｌを示す情報であってよい。
【０２２６】
第３の識別情報はＮｅｔｗｏｒｋ  Ｓｌｉｃｅを識別するための情報であってよい。
【０２２７】
また、第４の識別情報は、ＭＭＥと同じＮｅｔｗｏｒｋ  Ｓｌｉｃｅ  ｔｙｐｅをサポートするＮｅｔｗｏｋ  Ｓｌｉｃｅに含まれるＭＭＥを識別するための情報である。具体的には、ＭＭＥが属するグループごとに、サポートするＮｅｔｗｏｒｋ  Ｓｌｉｃｅ  ｔｙｐｅが同じである場合、第４の識別情報は、ＭＭＥＧＩ（ＭＭＥ  Ｇｒｏｕｐ  ＩＤ）またはＳＧＳＮ  Ｇｒｏｕｐ  ＩＤであってよい。または、ＧＵＭＭＥＩの一部をワイルドカードのように扱う事で、同じＮｅｔｗｏｒｋ  ｓｌｉｃｅに属するＭＭＥを識別できる場合、第４の識別情報はＭＭＥのワイルドカード情報であってもよい。ここでは、第１の識別情報で識別されるＮｅｔｗｏｒｋ  Ｓｌｉｃｅ  ｔｙｐｅまたはＵＥ  ｕｓａｇｅ
ｔｙｐｅをサポートするＭＭＥを識別するために用いる情報であってよい。
【０２２８】
ＭＭＥ＿Ａ１０４及びＭＭＥ＿Ｂ１０６は、各ＭＭＥが含まれるＮｅｔｗｏｒｋ  ｓｌｉｃｅごとに、ＮｏｔｉｆｉｃａｔｉｏｎメッセージをｅＮＢ＿４５へ送信してもよいし、Ｎｅｔｗｏｒｋ  Ｓｌｉｃｅ  ｔｙｐｅまたはＵＥ  ｕｓａｇｅ  ｔｙｐｅごとにＮｏｔｉｆｉｃａｔｉｏｎメッセージを送信してもよいし、１つのＮｏｔｉｆｉｃａｉｔｏｎに複数の第１〜第４の識別情報を含めてもよい。
【０２２９】
言い換えると、ＭＭＥ＿Ａ１０４がＮｅｔｗｏｒｋ  ｓｌｉｃｅ＿Ａ１０１とＮｅｔｗｏｒｋ  ｓｌｉｃｅ＿Ｂ１０２をそれぞれサポートしている場合、Ｎｅｔｗｏｒｋ  ｓｌｉｃｅ＿Ａ１０１のための各識別情報と、Ｎｅｔｗｏｒｋ  ｓｌｉｃｅ＿Ｂ１０２のため
の各識別情報とを、それぞれ別のＮｏｔｉｆｉｃａｔｉｏｎメッセージに含めてｅＮＢ＿４５へ送信してもよいし、同一のＮｏｔｉｆｉｃａｔｉｏｎメッセージに含めてｅＮＢ＿４５へ送信してもよい。
【０２３０】
また、ＭＭＥ＿Ａ１０４及びＭＭＥ＿Ｂ１０６は、Ｎｏｔｉｆｉｃａｔｉｏｎメッセージに、各ＭＭＥがサポートするＵＥ  Ｕｓａｇｅ  ｔｙｐｅを含めて送信してもよい。言い換えれば、ＭＭＥ＿Ａ１０４及びＭＭＥ＿Ｂ１０６は、Ｎｏｔｉｆｉｃａｔｉｏｎメッセージに、各ＭＭＥが含まれるＮｅｔｗｏｒｋ  ＳｌｉｃｅがサポートするＵＥ  ｕｓａｇｅ  ｔｙｐｅを含めて送信してよい。なお、各ＭＭＥは、ＵＥ  Ｕｓａｇｅ  ｔｙｐｅをＨＳＳから予め取得していてもよい。
【０２３１】
各ＭＭＥによるＨＳＳからのＵＥ  ｕｓａｇｅ  ｔｙｐｅの取得方法は、例えば、ＭＭＥが定期的にＨＳＳに問い合わせのメッセージを送信し、問い合わせのメッセージに対応する応答メッセージをＨＳＳから受信する手続きであってもよい。
【０２３２】
ｅＮＢ＿Ａ４５は各ＭＭＥ（ＭＭＥ＿Ａ１０４、ＭＭＥ＿Ｂ１０６）へ、受信したＮｏｔｉｆｉｃａｔｉｏｎメッセージごとに応答メッセ―ジを送信してもよい。応答メッセージは、ＭＭＥ  ｃｏｎｆｉｇｕｒａｔｉｏｎ  ｕｐｄａｔｅ  Ａｃｋｎｏｗｌｅｄｇｅであってもよい。
【０２３３】
また、ＭＭＥ  Ｃｏｎｆｉｇｕｒａｔｉｏｎ  ｕｐｄａｔｅメッセ―ジにＲｅｌａｔｉｖｅ  ＭＭＥ  Ｃａｐａｃｉｔｙが含まれている場合、ｅＮＢ＿Ａ４５がＭＭＥを再選択する際には、Ｒｅｌａｔｉｖｅ  ＭＭＥ  Ｃａｐａｃｉｔｙにより示される情報より、第１の識別情報及びまたは第２の識別情報が優先されて利用されてもよい。
【０２３４】
また、Ｎｏｔｉｆｉｃａｔｉｏｎメッセージは、ｅＮＢ＿Ａ４５からのリクエストに基づく応答であてもよい。具体的には、ｅＮＢ＿Ａ４５がＭＭＥに関する情報を要求するためのリクエストメッセージを各ＭＭＥに送信し、その応答としてＮｏｔｉｆｉｃａｔｉｏｎメッセージを受信してもよい。
【０２３５】
リクエストメッセージは、Ｓ１  Ｓｅｔｕｐ  ＲｅｑｕｅｓｔメッセージまたはｅＮＢ
Ｃｏｎｆｉｇｕｒａｔｉｏｎ  Ｕｐｄａｔｅメッセ―ジであってもよく、ｅＮＢ＿Ａ４５はリクエストメッセージに、ｅＮＢ＿Ａ４５の識別情報を含めて送信してもよい。
【０２３６】
また、リクエストメッセージに対する応答とし、各ＭＭＥから送信されるＮｏｔｉｆｉｃａｔｉｏｎメッセージは、Ｓ１  Ｓｅｔｕｐ  ＲｅｓｐｏｎｓｅメッセージまたはｅＮＢ  Ｃｏｎｆｉｇｕｒａｔｉｏｎ  Ｕｐｄａｔｅ  Ａｃｋｎｏｗｌｅｄｇｅであってよい。
【０２３７】
一方、ＵＥ＿Ａ１０は、ｅＮＢ＿Ａ４５にＲＲＣメッセージを送信する（Ｓ７０４）。ＲＲＣメッセージは、ＵＥ＿Ａ１０とｅＮＢ＿Ａ４５間のＲＲＣ接続を確立するためのＲＲＣ  ｃｏｎｎｅｃｔｉｏｎ  Ｒｅｑｕｅｓｔメッセージあってよい。ＵＥ＿Ａ１０は、ＲＲＣメッセージに少なくとも第５の識別情報を含めて送信する。
【０２３８】
第５の識別情報は、ＵＥ＿Ａ１０がＮｅｔｗｏｒｋ  ｓｌｉｃｅへの接続を要求している事を示す情報であってもよいし、ＵＥ＿Ａ１０がＮｅｔｗｏｒｋ  Ｓｌｉｃｅ  ｔｙｐｅ及び又はＮｅｔｗｏｋ  Ｓｌｉｃｅ及び又はＩｓｏｌａｔｉｏｎ  ｌｅｖｅｌを選択する機能を有する事を示す情報であってもよいし、またこれらの情報を組み合わせた情報であってもよい。第５の識別情報は、ＵＥ＿Ａ１０がＮｅｔｗｏｒｋ  ｓｌｉｃｅへの接続する機能を有する事を示すためのＵＥ  Ｃａｐａｂｉｌｉｔｙ情報であってもよい。
【０２３９】
第５の識別情報は、ネットワークに第８の識別情報群及び又は第９の識別情報群及び又は第２３の識別情報群を要求するための情報であってもよい。更に第５の識別情報は、ネットワークに第３の識別情報を要求するための情報であってよい。
【０２４０】
ここで、第８の識別情報群とは、ｅＮＢ＿Ａ４５が接続するＭＭＥが含まれるＮｅｔｗｏｒｋ  ＳｌｉｃｅがサポートするＮｅｔｗｏｒｋ  Ｓｌｉｃｅ  ｔｙｐｅを識別するための情報のリストであってよい。つまり、図に示すように、Ｎｅｔｗｏｒｋ  Ｓｌｉｃｅ
ｔｙｐｅ＿Ａに分類されるＮｅｔｗｏｒｋ  ｓｌｉｃｅ＿Ａに含まれるＭＭＥ＿Ａ１０４と、Ｎｅｔｗｏｒｋ  Ｓｌｉｃｅ  ｔｙｐｅ＿Ｂに分類されるＮｅｔｗｏｒｋ  ｓｌｉｃｅ＿Ｂに含まれるＭＭＥ＿Ｂ１０６の両方にｅＮＢ＿Ａ４５が接続している場合、第８の識別情報群は、Ｎｅｔｗｏｒｋ  Ｓｌｉｃｅ  ｔｙｐｅ＿Ａを識別する第１の識別情報と、Ｎｅｔｗｏｒｋ  Ｓｌｉｃｅ  ｔｙｐｅ＿Ｂを識別する第１の識別情報を含めて構成してよい。第８の識別情報群は、ｅＮＢ＿Ａ４５がＭＭＥ＿Ａ１０４及びＭＭＥ＿Ｂ１０６から取得した、１つまたは複数の第１の識別情報から構成されてよい。
【０２４１】
また、第９の識別情報群とは、ｅＮＢ＿Ａ４５が接続するＭＭＥが含まれるＮｅｔｗｏｒｋ  Ｓｌｉｃｅを識別するための情報のリストであってよい。つまり、図に示すように、Ｎｅｔｗｏｒｋ  ｓｌｉｃｅ＿Ａに含まれるＭＭＥ＿Ａ１０４と、Ｎｅｔｗｏｒｋ  ｓｌｉｃｅ＿Ｂに含まれるＭＭＥ＿Ｂ１０６の両方にｅＮＢ＿Ａ４５が接続している場合、第９の識別情報群は、Ｎｅｔｗｏｒｋ  Ｓｌｉｃｅ＿Ａを識別する第３の識別情報と、Ｎｅｔｗｏｒｋ  Ｓｌｉｃｅ＿Ｂを識別する第３の識別情報を含めて構成してよい。第９の識別情報群は、ｅＮＢ＿Ａ４５がＭＭＥ＿Ａ１０４及びＭＭＥ＿Ｂ１０６から取得した１つまたは複数の第３の識別情報で構成されてよい。
【０２４２】
また、第２３の識別情報群とは、ｅＮＢ＿Ａ４５が接続するＭＭＥが含まれるＮｅｔｗｏｒｋ  Ｓｌｉｃｅの独立度を識別するための情報のリストであってよい。言い換えると、第２３の識別情報は、Ｎｅｔｗｏｋ  Ｓｌｉｃｅに含まれるＮＦの独立度のリストであってよい。
【０２４３】
例えば、図に示すように、Ｎｅｔｗｏｒｋ  ｓｌｉｃｅ＿Ａに含まれるＭＭＥ＿Ａ１０４と、Ｎｅｔｗｏｒｋ  ｓｌｉｃｅ＿Ｂに含まれるＭＭＥ＿Ｂ１０６の両方にｅＮＢ＿Ａ４５が接続している場合、第９の識別情報群は、Ｎｅｔｗｏｒｋ  Ｓｌｉｃｅ＿Ａに対する独立度と、Ｎｅｔｗｏｒｋ  Ｓｌｉｃｅ＿Ｂに対する独立度を含めて更新してよい。第２３の識別情報群は、ｅＮＢ＿Ａ４５がＭＭＥ＿Ａ１０４及びＭＭＥ＿Ｂ１０６から取得した１つまたは複数の第２の識別情報で構成されてよい。
【０２４４】
ｅＮＢ＿Ａ４５は、ＵＥ＿Ａ１０からＲＲＣメッセージ及び又は第５の識別情報を受信する。
【０２４５】
ｅＮＢ＿Ａ４５は、ＵＥ＿Ａ１０から受信したＲＲＣメッセージに、第５の識別情報が含まれていたことに基づき、応答のＲＲＣメッセージに第８の識別情報群及び又は第９の識別情報群及び又は第２３の識別情報群を含めて、ＵＥ＿Ａ１０に送信する（Ｓ７０６）。
【０２４６】
ｅＮＢ＿Ａ４５がＵＥ＿Ａ１０から受信したＲＲＣメッセージが、ＲＲＣ  ｃｏｎｎｅｃｔｉｏｎ  Ｒｅｑｕｅｓｔメッセージであった場合、応答のＲＲＣメッセージは、ＲＲＣ  ｃｏｎｎｅｃｔｉｏｎ  ｓｅｔｕｐメッセージであってよい。
【０２４７】
また、ｅＮＢ＿Ａ４５は、応答のＲＲＣメッセージに、第１０の識別情報又は第１１の
識別情報を含めてもよい。
【０２４８】
第１０の識別情報は、ＵＥに認証した、Ｎｅｔｗｏｒｋ  Ｓｌｉｃｅへの接続モードを識別するための情報であり、ＵＥが１つのＮｅｔｗｏｒｋ  Ｓｌｉｃｅにのみ接続するモードを許可した事を示す識別情報であってよい。つまり、ここではｅＮＢ＿Ａ４５がＵＥ＿Ａ１０は１つのＮｅｔｗｏｒｋ  Ｓｌｉｃｅにのみ接続することを許可した事を示す識別情報であってよい。
【０２４９】
第１１の識別情報は、ＵＥに認証した、Ｎｅｔｗｏｒｋ  Ｓｌｉｃｅへの接続モードを識別するための情報であり、ＵＥが１又は複数のＮｅｔｗｏｒｋ  Ｓｌｉｃｅに接続するモードを許可した事を示す識別情報であってよい。つまり、ここではｅＮＢ＿Ａ４５がＵＥ＿Ａ１０は複数のＮｅｔｗｏｒｋ  Ｓｌｉｃｅに接続することを許可した事を示す識別情報であってよい。
【０２５０】
ＵＥ＿Ａ１０は、ｅＮＢ＿Ａ４５から応答メッセージ、及び又は第８の識別情報群、及び又は第９の識別情報群及び又は第２３の識別情報群を受信する。
【０２５１】
以上の手続きにより、ｅＮＢ＿Ａ４５は各ＭＭＥから、各ＭＭＥが含まれるＮｅｔｗｏｒｋ  ＳｌｉｃｅがサポートするＮｅｔｗｏｒｋ  Ｓｌｉｃｅ  ｔｙｐｅを取得する。更に、ｅＮＢ＿Ａ４５はＵＥ＿Ａ１０から、Ｎｅｔｗｏｒｋ  ｓｌｉｃｅへの接続をサポートする事、及び又はＵＥ＿Ａ１０によるＮｅｔｗｏｒｋ  Ｓｌｉｃｅ  ｔｙｐｅの選択を行う機能をもつ事が通知された事に基づき、ＵＥ＿Ａ１０にｅＮＢ＿Ａ４５がサポートするＮｅｔｗｏｒｋ  Ｓｌｉｃｅ  ｔｙｐｅ及び又はＮｅｔｗｏｒｋ  Ｓｌｉｃｅ  ＩＤを通知する事ができる。なお、ｅＮＢ＿Ａ４５がＵＥ＿Ａ１０に通知するＮｅｔｗｏｒｋ  Ｓｌｉｃｅ  Ｔｙｐｅ及び又はＮｅｔｗｏｒｋ  Ｓｌｉｃｅ  ＩＤは、複数のＮｅｔｗｏｒｋ  Ｓｌｉｃｅ  Ｔｙｐｅ及び又はＮｅｔｗｏｒｋ  Ｓｌｉｃｅ  ＩＤにより構成された情報群であってよい。
【０２５２】
［１．３．２．アタッチ手続き］
次に、アタッチ手続きについて説明する。図８に、本実施形態におけるアタッチ手続きの一例を示す。
【０２５３】
ＵＥ＿Ａ１０はｅＮＢ＿Ａ４５からのＲＲＣメッセージの受信及び又は第８の識別情報群及び又は第９の識別情報群の受信に基づき、Ｎｅｔｗｏｒｋ  Ｓｌｉｃｅ  ｔｙｐｅ及び又はＮｅｔｗｏｒｋ  Ｓｌｉｃｅの選択を行う（Ｓ８００）。ＵＥ＿Ａ１０は、ＵＥが記憶するＮｅｔｗｏｒｋ  Ｓｌｉｃｅ  ｔｙｐｅまたはＵＥ  ｕｓａｇｅ  ｔｙｐｅに基づいて、要求するＮｅｔｗｏｒｋ  Ｓｌｉｃｅ  ｔｙｐｅ及び又はＮｅｔｗｏｒｋ  Ｓｌｉｃｅを選択してもよい。
【０２５４】
ＵＥ＿Ａ１０は自身が記憶するＮｅｔｗｏｒｋ  Ｓｌｉｃｅ  ｔｙｐｅ及び又はＮｅｔｗｏｒｋ  Ｓｌｉｃｅを、ｅＮＢ＿Ａ４５がサポートしていない場合、ｅＮＢ＿Ａ４５が通知したＮｅｔｗｏｒｋ  Ｓｌｉｃｅ  ｔｙｐｅの中から選択してもよい。
【０２５５】
なお、ＵＥ＿Ａ１０はＮｅｔｗｏｒｋ  Ｓｌｉｃｅ  ｔｙｐｅ及び又はＮｅｔｗｏｒｋ
Ｓｌｉｃｅの選択を行わなくてもよい。
【０２５６】
ＵＥ＿Ａ１０は、ｅＮＢ＿Ａ４５にＡｔｔａｃｈ  Ｒｅｑｕｅｓｔメッセージを送信する（Ｓ８０２）。ＵＥ＿Ａ１０は、Ａｔｔａｃｈ  Ｒｅｑｕｅｓｔメッセージと一緒に、第１２の識別情報及び又は第１３の識別情報及び又は第１４の識別情報をＲＲＣメッセージに含めて送信してよい。
【０２５７】
第１２の識別情報とは、ＵＥが要求するＮｅｔｗｏｒｋ  Ｓｌｉｃｅ  ｔｙｐｅを識別するための情報であってよい。ＵＥ＿Ａ１０がＮｅｔｗｏｒｋ  Ｓｌｉｃｅ  ｔｙｐｅの選択を行った場合、ＵＥ＿Ａ１０がｅＮＢ＿Ａ４５から受信した第８の識別情報群に含まれる複数の第１の識別情報の中から選択したＮｅｔｗｏｒｋ  Ｓｌｉｃｅ  ｔｙｐｅを識別するための情報であってよい。または、ＵＥ＿Ａ１０がネットワークから通知された第８の識別情報群からＮｅｔｗｏｒｋ  Ｓｌｉｃｅ  ｔｙｐｅの選択を行わなかった場合、第１２の識別情報は、ＵＥが記憶するＮｅｔｗｏｒｋ  Ｓｌｉｃｅ  ｔｙｐｅを識別するための情報であってもよい。
【０２５８】
第１３の識別情報とは、ＵＥが要求するＮｅｔｗｏｒｋ  Ｓｌｉｃｅを識別するための情報であってよい。ＵＥ＿Ａ１０がＮｅｔｗｏｒｋ  Ｓｌｉｃｅの選択を行った場合、ＵＥ＿Ａ１０がｅＮＢ＿Ａ４５から受信した第９の識別情報群に含まれる複数の第３の識別情報の中から選択したＮｅｔｗｏｒｋ  Ｓｌｉｃｅを識別するための情報であってよい。または、ＵＥ＿Ａ１０がネットワークから通知された第９の識別情報群からＮｅｔｗｏｒｋ  Ｓｌｉｃｅの選択を行わなかった場合、第１３の識別情報は、ＵＥが記憶するＮｅｔｗｏｒｋ  Ｓｌｉｃｅを識別するための情報であってもよい。
【０２５９】
第１４の識別情報とは、ＵＥが要求するＮｅｔｗｏｒｋ  ｓｌｉｃｅの独立度であってよい。言い換えると、第１４の識別情報は、ＵＥが要求する、Ｎｅｔｗｏｋ  Ｓｌｉｃｅに含まれるＮＦの独立度であってよい。
【０２６０】
例えば、第１４の識別情報とは、ＭＭＥの、他のＮｅｔｗｏｒｋ  ｓｌｉｃｅに対する独立度を示す情報であってよい。本実施形態ではＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ  ｓｌｉｃｅ＿Ａに属しており、他のＮｅｔｗｏｒｋ  ｓｌｉｃｅから独立している場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿ＡとＮｅｔｗｏｒｋ  ｓｌｉｃｅ＿Ｂに属しており、ＭＭＥ＿Ａ１０４が他のＮｅｔｗｏｒｋ  ｓｌｉｃｅ（ここではＮｅｔｗｏｒｋ  ｓｌｉｃｅ＿Ｂ）から独立していない場合、ｉｓｏｌａｔｉｏｎ  ｌｅｖｅｌはレベル１であってもよい。つまり、第１４の識別情報は、ＭＭＥの独立度を示す情報であってもよい。
【０２６１】
また、ＵＥ＿Ａ１０はＡｔｔａｃｈ  Ｒｅｑｕｅｓｔメッセージには少なくとも、ＩＭＳＩまたはＧＵＴＩ（Ｇｌｏｂａｌｌｙ  Ｕｎｉｑｕｅ  Ｔｅｍｐｏｒａｒｙ  Ｉｄｅｎｔｉｔｙ）、ＵＥ  Ｎｅｔｗｏｒｋ  ｃａｐａｂｉｌｉｔｙ、ＥＳＭ（ＥＰＳ  Ｓｅｓｓｉｏｎ  Ｍａｎａｇｅｍｅｎｔ）  Ｍｅｓｓａｇｅ  Ｃｏｎｔａｉｎｅｒを含めて送信してよい。
【０２６２】
ＥＳＭ  Ｍｅｓｓａｇｅ  Ｃｏｎｔａｉｎｅｒは、Ａｔｔａｃｈ  ＲｅｑｕｅｓｔメッセージなどＭｏｂｉｌｉｔｙ  Ｍａｎａｇｅｍｅｎｔ  Ｍｅｓｓａｇｅと一緒に、Ｓｅｓｓｉｏｎ  Ｍａｎａｇｅｍｅｎｔ  Ｍｅｓｓａｇｅを送信するための、メッセージコンテナーである。具体的には、例えば、ＵＥ＿Ａ１０はＥＳＭ  Ｍｅｓｓａｇｅ  ＣｏｎｔａｉｎｅｒにＰＤＮ  ｃｏｎｎｅｃｔｉｖｉｔｙ  Ｒｅｑｕｅｓｔメッセージを含めて送信してよい。
【０２６３】
ＵＥ＿Ａ１０はＡｔｔａｃｈ  Ｒｅｑｕｅｓｔメッセージに第１２の識別情報及び又は第１３の識別情報及び又は第１４の識別情報及び又は、第６の識別情報又は第７の識別情報を更に含めて送信してもよい。具体的には、ＰＤＮ  ｃｏｎｎｅｃｔｉｖｉｔｙ  Ｒｅｑｕｅｓｔメッセージに第１２の識別情報及び又は第１３の識別情報及び又は第１４の識
別情報、第６の識別情報又は第７の識別情報が含まれてもよい。
【０２６４】
第６の識別情報は、ＵＥが１つのＮｅｔｗｏｒｋ  Ｓｌｉｃｅにのみ接続するモードを要求する事、及び又はＵＥが１つのＮｅｔｗｏｋ  Ｓｌｉｃｅにだけ接続することが可能である事を示す識別情報であってもよい。第６の識別情報は、ＵＥ  ｐｒｅｆｅｒｅｎｃｅ情報であってよい。なお、第６の識別情報は、１つのネットワークスライスにだけ接続することを示すモードを示す情報であってよい。
【０２６５】
また、第７の識別情報は、ＵＥが１つ又は複数のＮｅｔｗｏｒｋ  Ｓｌｉｃｅに接続するモードを要求する事、及び又はＵＥが１つ又は複数のＮｅｔｗｏｒｋ  Ｓｌｉｃｅに接続することが可能である事を示す識別情報であってもよい。第７の識別情報は、ＵＥ  ｐｒｅｆｅｒｅｎｃｅ情報であってもよい。なお、第７の識別情報は、１又は複数のネットワークスライスに接続可能なことを示すモードを識別する情報であってもよい。
【０２６６】
ｅＮＢ＿Ａ４５は、ＵＥ＿Ａ１０が送信したＲＲＣメッセージ、及び又は、Ａｔｔａｃｈ  Ｒｅｑｕｅｓｔメッセージを受信する。
【０２６７】
ｅＮＢ＿Ａ４５は、ＵＥ＿Ａ１０からＡｔｔａｃｈ  Ｒｅｑｕｅｓｔメッセージ及び又は、第１２の識別情報及び又は第１３の識別情報を受信したことに基づいて、Ｎｅｔｗｏｒｋ  Ｓｌｉｃｅ  ｔｙｐｅ及び又はＮｅｔｗｏｒｋ  Ｓｌｉｃｅの選択を行う（Ｓ８０４）。
【０２６８】
具体的には、例えば、ＵＥ＿Ａ１０から、第１２の識別情報としてＮｅｔｗｏｒｋ  Ｓｌｉｃｅ  ｔｙｐｅ＿Ａを識別するための識別情報を受信した場合、ｅＮＢ＿Ａ４５はＮｅｔｗｏｒｋ  Ｓｌｉｃｅ  ｔｙｐｅ＿ＡをサポートするＭＭＥのリストからＭＭＥを選択する事を決定する。ｅＮＢ＿Ａ４５は、第１２の識別情報により識別されるＮｅｔｗｏｒｋ  Ｓｌｉｃｅ  Ｔｙｐｅに紐づけられるＭＭＥＧＩを基にＭＭＥを選択してもよい。ここで、ＭＭＥＧＩは、第４の識別情報であってよい。
【０２６９】
また、ＵＥ＿Ａ１０から、第１３の識別情報としてＮｅｔｗｏｒｋ  Ｓｌｉｃｅ＿Ａを識別するための識別情報を受信した場合、ｅＮＢ＿Ａ４５はＮｅｔｗｏｒｋ  Ｓｌｉｃｅ
＿Ａに含まれるＭＭＥのリストからＭＭＥを選択する事を決定する。
【０２７０】
また、ＵＥ＿Ａ１０がＡｔｔａｃｈ  Ｒｅｑｕｅｓｔメッセージと一緒に第１２の識別情報及び又は第１３の識別情報を送信しなかった場合や、ＵＥ＿Ａ１０がＡｔｔａｃｈ  Ｒｅｑｕｅｓｔメッセージと一緒に送信した第１２の識別情報で識別されるＮｅｔｗｏｒｋ  Ｓｌｉｃｅ  ｔｙｐｅをサポートするＭＭＥ及び又は第１３の識別情報で識別されるＮｅｔｗｏｒｋ  Ｓｌｉｃｅに含まれるＭＭＥを選択できない場合には、ｅＮＢ＿Ａ４５はデフォルトのＮｅｔｗｏｒｋ  ｓｌｉｃｅに含まれるＭＭＥを選択してよい。
【０２７１】
更に、ｅＮＢ＿Ａ４５は、ＵＥ＿Ａ１０からＡｔｔａｃｈ  Ｒｅｑｕｅｓｔメッセージ及び又は第１４の識別情報を受信したことに基づいて、ｉｓｏｌａｔｉｏｎ  ｌｅｖｅｌの選択を行う（Ｓ８０４）。
【０２７２】
具体的には、例えば、ＵＥ＿Ａ１０から、第１４の識別情報として、ｉｓｏｌａｔｉｏｎ  ｌｅｖｅｌがレベル２であることを示す識別情報を受信した場合、ｅＮＢ＿Ａ４５はＮｅｔｗｏｒｋ  Ｓｌｉｃｅ  ｔｙｐｅの選択により選択したＭＭＥのリストから、更にｉｓｏｌａｔｉｏｎ  ｌｅｖｅｌが少なくともレベル２以上のＭＭＥを選択する。
【０２７３】
なお、ｅＮＢ＿Ａ４５はＵＥ＿Ａ１０から受信した第１４の識別情報で識別されるＩｓ
ｏｌａｔｉｏｎ  ｌｅｖｅｌをサポートするＭＭＥをＭＭＥリストから選択できない場合、一番高い独立度をサポートするＭＭＥを選択するなど、代わりのＭＭＥを選択してもよい。
【０２７４】
ＵＥ＿Ａ１０がＡｔｔａｃｈ  Ｒｅｑｕｅｓｔメッセージと一緒に第１４の識別情報を含めて送信しなかった場合には、Ｉｓｏｌａｔｉｏｎ  ｌｅｖｅｌに基づいたＭＭＥの選択は行わなくて良い。
【０２７５】
また、ｅＮＢ＿Ａ４５は第１２〜第１４の識別情報に基づくＭＭＥの選択に加え更に、従来行われている、物理的な位置や各ＭＭＥのリソースへの負荷状態からＭＭＥの選択を行ってもよい。
【０２７６】
上記の手続きにより、ｅＮＢ＿Ａ４５はＡｔｔａｃｈ  Ｒｅｑｕｅｓｔメッセージの転送先となるＭＭＥを選択する。言い換えれば、ｅＮＢ＿Ａ４５はＵＥ＿Ａ１０が接続するＮｅｔｗｏｒｋ  ｓｌｉｃｅを選択する。更に、ｅＮＢ＿Ａ４５は、ＵＥ＿Ａ１０が接続するＮｅｔｗｏｒｋ  ｓｌｉｃｅの独立度を選択してもよい。以下では、ｅＮＢ＿Ａ４５が選択したＭＭＥはＭＭＥ＿Ａ１０４とする。つまり、ｅＮＢ＿Ａ４５はＮｅｔｗｏｒｋ
ｓｌｉｃｅとしてＮｅｔｗｏｒｋ  ｓｌｉｃｅ＿Ａを、Ｉｓｏｌａｔｉｏｎ  ｌｅｖｅｌとしてレベル２を選択したものとする。
【０２７７】
続いて、ｅＮＢ＿Ａ４５はＭＭＥ＿Ａ１０４にＡｔｔａｃｈ  Ｒｅｑｕｅｓｔメッセージを送信する（Ｓ８０６）。ｅＮＢ＿Ａ４５は受信したＡｔｔａｃｈ  ＲｅｑｕｅｓｔメッセージをＭＭＥ＿Ａ１０４転送してよい。
【０２７８】
ｅＮＢ＿Ａ４５は、Ａｔｔａｃｈ  Ｒｅｑｕｅｓｔメッセージと一緒に、ＵＥ＿Ａ１０から取得した第１２の識別情報及び又は第１３の識別情報及び又は第１４の識別情報を、制御メッセージに含めて送信してよい。
【０２７９】
ＭＭＥ＿Ａ１０４は、ｅＮＢ＿Ａ４５からＵＥ＿Ａ１０が送信したＡｔｔａｃｈ  Ｒｅｑｕｅｓｔメッセージ及び又は、制御メッセージを受信する。
【０２８０】
ＭＭＥ＿Ａ１０４は、ＵＥ＿Ａ１０のＵＥコンテキストがなかった場合、ＨＳＳ＿Ａ５０とＵＥ＿Ａ１０との認証手続きを行う（Ｓ８０８）。ＭＭＥ＿Ａ１０４は認証手続きにより、ＵＥ＿Ａ１０のＵＥコンテキストを生成し記憶する。
【０２８１】
この時、ＭＭＥ＿Ａ１０４は、ＨＳＳ＿Ａ５０からＵＥ＿Ａ１０のＵＥ  ｕｓａｇｅ  ｔｙｐｅ及び又はＮｅｔｗｏｒｋ  Ｓｌｉｃｅ  ｔｙｐｅ及び又はＮｅｔｗｏｒｋ  Ｓｌｉｃｅの識別情報を取得してもよい。
【０２８２】
または、ＭＭＥ＿Ａ１０４は認証手続きとは異なる手続きを用いて、ＨＳＳからＵＥ  ｕｓａｇｅ  ｔｙｐｅ及び又はＮｅｔｗｏｒｋ  Ｓｌｉｃｅ  ｔｙｐｅ及び又はＮｅｔｗｏｋ  Ｓｌｉｃｅ  ＩＤを取得してよい。
【０２８３】
また、ＭＭＥ＿Ａ１０４はｅＮＢ＿Ａ４５から第６の識別情報または第７の識別情報を受信した場合、認証手続きにおいて、ＵＥ＿Ａ１０に許可する接続のモードを決定してもよい。具体的には、ＭＭＥ＿Ａ１０４が第６の識別情報をｅＮＢ＿Ａ４５から取得した場合、ＵＥの登録情報及びＮｅｔｗｏｒｋ  ＣａｐａｂｉｌｉｔｙからＵＥ＿Ａ１０に、１つのＰＤＮ接続のみ許可するモードを割り当ててもよい。同様に、ＭＭＥ＿Ａ１０４が第７の識別情報をｅＮＢ＿Ａ４５から取得した場合、ＵＥの登録情報及びＮｅｔｗｏｒｋ  ＣａｐａｂｉｌｉｔｙからＵＥ＿Ａ１０に、１又は複数のＮｅｔｗｏｋ  Ｓｌｉｃｅを介
した複数のＰＤＮ接続を確立する事を許可するモードを割り当ててもよい。
【０２８４】
認証手続きが完了したら、ＭＭＥ＿Ａ１０４は、ＳＧＷ及びＰＧＷを選択し、ＳＧＷ及びＰＧＷとＣｒｅａｔｅ  Ｓｅｓｓｉｏｎ手続きを行う（Ｓ８１０）。
【０２８５】
具体的には、例えば、ＭＭＥ＿Ａ１０４はＳＧＷ＿Ａ３５に第１のＣｒｅａｔｅ  Ｓｅｓｓｉｏｎ  Ｒｅｑｕｅｓｔメッセージを送信し、ＳＧＷ＿Ａ３５は受信した第１のＣｒｅａｔｅ  Ｓｅｓｓｉｏｎ  Ｒｅｑｕｅｓｔメッセージに基づき、ＰＧＷ＿Ａ３０に第２のＣｒｅａｔｅ  Ｓｅｓｓｉｏｎ  Ｒｅｑｕｅｓｔメッセージを送信する。さらにＰＧＷ＿Ａ３０は、第１のＣｒｅａｔｅ  Ｓｅｓｓｉｏｎ  ＲｅｓｐｏｎｓｅメッセージをＳＧＷ＿Ａ３５に送信し、ＳＧＷ＿Ａ３５はＭＭＥに第２のＣｒｅａｔｅ  Ｓｅｓｓｉｏｎ  Ｒｅｓｐｏｎｓｅメッセージを送信する。以上の手続きにより、ＭＭＥ＿Ａ１０４と、ＳＧＷ＿Ａ３５とＰＧＷ＿Ａ３０間のベアラが確立される。
【０２８６】
なお、ＭＭＥ＿Ａ１０４は、ｅＮＢ＿Ａ４５から第１２の識別情報及び又は第１３の識別情報及び又は第１４の識別情報を取得した場合、第１２の識別情報及び又は第１３の識別情報及び又は第１４の識別情報に基づき、ＳＧＷ及び又はＰＧＷを選択してもよい。
【０２８７】
ＭＭＥ＿Ａ１０４は、Ｃｒｅａｔｅ  Ｓｅｓｓｉｏｎ手続きの完了に基づいて、Ａｔｔａｃｈ  Ａｃｃｅｐｔメッセージ（アタッチ受諾メッセージ）をＵＥ＿Ａ１０に送信するためにｅＮＢ＿Ａ４５に送信する（Ｓ８１２）。
【０２８８】
Ａｔｔａｃｈ  Ａｃｃｅｐｔメッセージには、第１５の識別情報及び又は第１６の識別情報及び又は第１７の識別情報を含めて送信してもよい。また、更にＭＭＥ＿Ａ１０４はＡｔｔａｃｈ  Ａｃｃｅｐｔメッセージとは別に、第１５の識別情報及び又は第１６の識別情報及び又は第１７の識別情報を送信してもよい。
【０２８９】
ここで、第１５の識別情報とは、ネットワークが、ＵＥが接続する事を許可したＮｅｔｗｏｒｋ  Ｓｌｉｃｅ  Ｔｙｐｅを識別する情報であってよい。具体的には、ｅＮＢ＿Ａ４５が選択したＭＭＥがサポートするＮｅｔｗｏｒｋ  Ｓｌｉｃｅ  ｔｙｐｅを識別するための情報であってよい。ここでは、このＡｔｔａｃｈ手続きにおいて確立する接続が介するＮｅｔｗｏｒｋ  Ｓｌｉｃｅ  ｔｙｐｅを識別する識別情報であってよい。言い換えれば、第１５の識別情報とは、Ａｔｔａｃｈ手続きでネットワークに接続が認証されたＮｅｔｗｏｒｋ  Ｓｌｉｃｅ  ｔｙｐｅを識別する識別情報であってよい。第１５の識別情報は、第１２の識別情報と等しいＮｅｔｗｏｒｋ  Ｓｌｉｃｅ  ｔｙｐｅを示す情報であってよい。
【０２９０】
第１６の識別情報とは、ネットワークが、ＵＥが接続する事を許可したＮｅｔｗｏｒｋ
Ｓｌｉｃｅを識別する情報であってよい。具体的には、ｅＮＢ＿Ａ４５が選択したＭＭＥが含まれるＮｅｔｗｏｒｋ  Ｓｌｉｃｅを識別するための情報であってよい。ここでは、このＡｔｔａｃｈ手続きにおいて確立する接続が介するＮｅｔｗｏｒｋ  Ｓｌｉｃｅを識別する識別情報であってよい。言い換えれば、第１６の識別情報とは、Ａｔｔａｃｈ手続きでネットワークに接続が認証されたＮｅｔｗｏｒｋ  Ｓｌｉｃｅを識別する識別情報であってよい。第１６の識別情報は、第１３の識別情報と等しいＮｅｔｗｏｒｋ  Ｓｌｉｃｅを示す情報であってよい。
【０２９１】
また、第１７の識別情報とは、Ｎｅｔｗｏｒｋ  ｓｌｉｃｅの独立度（Ｉｓｏｌａｔｉｏｎ  ｌｅｖｅｌ）であってよい。言い換えると、第１７の識別情報は、Ｎｅｔｗｏｋ  Ｓｌｉｃｅに含まれるＮＦの独立度であってよい。
【０２９２】
例えば、第１７の識別情報とはＭＭＥの、他のＮｅｔｗｏｒｋ  ｓｌｉｃｅに対する独立度を示す情報であってよい。本実施形態ではＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ  ｓｌｉｃｅ＿Ａ１０１に属しており、他のＮｅｔｗｏｒｋ  ｓｌｉｃｅから独立している場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿Ａ１０１とＮｅｔｗｏｒｋ  ｓｌｉｃｅ＿Ｂ１０２に属しており、ＭＭＥ＿Ａ１０４が他のＮｅｔｗｏｒｋ  ｓｌｉｃｅ（ここではＮｅｔｗｏｒｋ  ｓｌｉｃｅ＿Ｂ）から独立していない場合、ｉｓｏｌａｔｉｏｎ  ｌｅｖｅｌはレベル１であってもよい。つまり、第１７の識別情報は、ＭＭＥの独立度を示す情報であってもよい。
【０２９３】
ここでは、このＡｔｔａｃｈ手続きにおいて確立する接続が、第１５の識別情報で識別されるＮｅｔｗｏｒｋ  Ｓｌｉｃｅ  ｔｙｐｅ以外のＮｅｔｗｏｒｋ  Ｓｌｉｃｅ  ｔｙｐｅに属するＮｅｔｗｏｒｋ  ｓｌｉｃｅ及び又は、第１６の識別情報で識別されるＮｅｔｗｏｒｋ  Ｓｌｉｃｅ以外のＮｅｔｗｏｒｋ  Ｓｌｉｃｅに対しての独立度を示す情報であってよい。第１７の識別情報で識別される独立度は、第１４の識別情報で識別される独立度と等しくてもよい。また、第１７の識別情報で識別される独立度は、第１４の識別情報で識別される独立度より高い独立度であってもよい。
【０２９４】
また、ＭＭＥ＿Ａ１０４は、Ａｔｔａｃｈ  Ａｃｃｅｐｔメッセージに更に、第１０の識別情報又は第１１の識別情報を含めてもよい。
【０２９５】
第１０の識別情報は、ネットワークがＵＥに認証した、Ｎｅｔｗｏｒｋ  Ｓｌｉｃｅへの接続モードを識別するための情報であり、ＵＥが１つのＮｅｔｗｏｒｋ  Ｓｌｉｃｅにのみ接続するモードを許可した事を示す識別情報であってよい。つまり、ここではＭＭＥ＿Ａ１０４が、ＵＥ＿Ａ１０が１つのＮｅｔｗｏｒｋ  Ｓｌｉｃｅにのみ接続することを許可した事を示す識別情報であってよい。
【０２９６】
第１１の識別情報は、ネットワークがＵＥに認証した、Ｎｅｔｗｏｒｋ  Ｓｌｉｃｅへの接続モードを識別するための情報であり、ＵＥが１又は複数のＮｅｔｗｏｒｋ  Ｓｌｉｃｅに接続するモードを許可した事を示す識別情報であってよい。つまり、ここではＭＭＥがＵＥ＿Ａ１０は複数のＮｅｔｗｏｒｋ  Ｓｌｉｃｅに接続することを許可した事を示す識別情報であってよい。
【０２９７】
なお、ＭＭＥ＿Ａ１０４は、ＵＥ＿Ａ１０から受信したＡｔｔａｃｈ  Ｒｅｑｕｅｓｔメッセージに含まれる第６の識別情報又は第７の識別情報に基づき、第１０の識別情報又は第１１の識別情報をＡｔｔａｃｈ  Ａｃｃｅｐｔメッセージに含めて送信してもよい。
【０２９８】
ＭＭＥ＿Ａ１０４は、第１５の識別情報及び又は第１６の識別情報及び又は第１７の識別情報及び又は、第１０の識別情報又は第１１の識別情報を、Ａｔｔａｃｈ  Ａｃｃｅｐｔメッセージとは独立したメッセージで送信してもよい。具体的には、例えば、ＭＭＥ＿Ａ１０４は、Ａｔｔａｃｈ  Ａｃｃｅｐｔメッセージが含まれるｉｎｉｔｉａｌ  ｃｏｎｔｅｘｔ  Ｓｅｔｕｐ  Ｒｅｑｕｅｓｔメッセージに、第１５の識別情報及び又は第１６の識別情報及び又は第１７の識別情報及び又は、第１０の識別情報又は第１１の識別情報を含めてｅＮＢ＿Ａ４５に送信してもよい。
【０２９９】
または、ＭＭＥ＿Ａ１０４は、第１５の識別情報及び又は第１６の識別情報及び又は第１７の識別情報及び又は、第１０の識別情報又は第１１の識別情報を、Ａｔｔａｃｈ  Ａｃｃｅｐｔメッセージに含まれる、ＥＳＭ  ｍｅｓｓａｇｅ  Ｃｏｎｔａｉｎｅｒの中の
Ａｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含めて送信してもよい。
【０３００】
なお、Ａｔｔａｃｈ  Ａｃｃｅｐｔメッセージには、更にＡＰＮ、ＧＵＴＩ、ＰＤＮアドレス（ＵＥのＩＰアドレス）、ＥＰＳベアラＩＤ、ＥＳＭ  ｍｅｓｓａｇｅ  Ｃｏｎｔａｉｎｅｒが含まれてもよい。
【０３０１】
ｅＮＢ＿Ａ４５は、ＭＭＥ＿Ａ１０４が送信したＡｔｔａｃｈ  Ａｃｃｅｐｔメッセージ受信する。
【０３０２】
ｅＮＢ＿Ａ４５は、ＭＭＥ＿Ａ１０４からのＡｔｔａｃｈ  Ａｃｃｅｐｔメッセージに基づいて、ＵＥ＿１０にＡｔｔａｃｈ  Ａｃｃｅｐｔメッセージを送信する（Ｓ８１４）。
【０３０３】
ｅＮＢ＿Ａ４５は、第１５の識別情報及び又は第１６の識別情報及び又は第１７の識別情報及び又は、第１０の識別情報又は第１１の識別情報を、Ａｔｔａｃｈ  Ａｃｃｅｐｔメッセージとは独立したメッセージで送信してもよい。具体的には、例えば、Ａｔｔａｃｈ  Ａｃｃｅｐｔメッセージと一緒に送信されるＲＲＣメッセージに、第１５の識別情報及び又は第１６の識別情報及び又は第１７の識別情報及び又は、第１０の識別情報又は第１１の識別情報を含めて送信してよい。
【０３０４】
または、ｅＮＢ＿Ａ４５は、第１５の識別情報及び又は第１６の識別情報及び又は第１７の識別情報及び又は、第１０の識別情報又は第１１の識別情報を、Ａｔｔａｃｈ  Ａｃｃｅｐｔメッセージに含まれる、Ａｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含めて送信してもよい。
【０３０５】
ＵＥ＿Ａ１０は、ｅＮＢ＿Ａ４５を介してＭＭＥ＿Ａ１０４が送信したＡｔｔａｃｈ  Ａｃｃｅｐｔメッセージ受信する。
【０３０６】
ＵＥ＿Ａ１０は、Ａｔｔａｃｈ  Ａｃｃｅｐｔメッセージの受信に基づき、ｅＮＢ＿Ａ４５とＵＥ＿Ａ１０間のＲＲＣ接続を再構成し、ＭＭＥ＿Ａ１０４へＡｔｔａｃｈ  ｃｏｍｐｌｅｔｅメッセージを送信し、ＰＤＮ接続を確立させる。具体的には、ＵＥ＿Ａ１０はｅＮＢ＿Ａ４５にＲＲＣ接続再構成完了メッセージを送信し、ｅＮＢ＿Ａ４５はＭＭＥ＿Ａ１０４にＩｎｉｔｉａｌ  Ｃｏｎｔｅｘｔ  Ｒｅｓｐｏｎｓｅメッセージを送信する。ここで、Ｉｎｉｔｉａｌ  Ｃｏｎｔｅｘｔ  Ｒｅｓｐｏｎｓｅメッセージには、ｅＮＢ＿Ａ４５のＴＥＩＤやｅＮＢ＿Ａ４５のダウンリンクのアドレスが含まれてもよい。更に、ＵＥはＭＭＥへｅＮＢ＿Ａ４５を介しＡｔｔａｃｈ  ｃｏｍｐｌｅｔｅを送信する。
【０３０７】
以上により、ＵＥ＿Ａ１０はＮｅｔｗｏｒｋ  ｓｌｉｃｅ＿Ａを介したＰＤＮ接続を確立する事ができる。つまり、ＵＥ＿Ａ１０は、Ｎｅｔｗｏｋ  Ｓｌｉｃｅ＿Ａに接続することが出来る。更に、ＵＥ＿Ａ１０は、第１０の識別情報又は第１１の識別情報をネットワークから受信したことに基づき、更に追加のＰＤＮ接続手続きを続けるかの決定を行ってもよい。具体的には、ＵＥ＿Ａ１０が第１０の識別情報を取得した場合には、追加のＰＤＮ  Ｃｏｎｎｅｃｔｉｏｎを確立するためのＰＤＮ  ｃｏｎｎｅｃｔｉｖｉｔｙ  Ｒｅｑｕｅｓｔメッセージをネットワークに送信しない事が決定され、ＵＥ＿Ａ１０が第１１の識別情報を取得した場合には、ＵＥ＿Ａ１０がＰＤＮ  ｃｏｎｎｅｃｔｉｖｉｔｙ  Ｒｅｑｕｅｓｔメッセージをネットワークに送信する事が決定されてもよい。
【０３０８】
［１．３．３．ＴＡＵ手続き］
次に、Ｎｅｔｗｏｒｋ  ｓｌｉｃｅ＿Ａを介したＰＤＮ接続を確立しているＵＥ＿Ａに
よるトラッキングエリア更新手続き（Ｔｒａｃｋｉｎｇ  Ａｒｅａ  Ｕｐｄａｔｅ：  ＴＡＵ）について説明する。
【０３０９】
［１．３．３．１．第１のＴＡＵ手続き］
図９は、第１のＴＡＵ手続きのプロシージャ―を示す。第１のＴＡＵ手続きでは、ＵＥ＿Ａ１０が、前のアタッチ手続き又はＴＡＵで要求通りのＮｅｔｗｏｒｋ  Ｓｌｉｃｅ  ｔｙｐｅのＮｅｔｗｏｒｋ  Ｓｌｉｃｅを介したＰＤＮ接続を確立できた場合であり、更にＴＡＵのタイミングでは要求するＮｅｔｗｏｒｋ  Ｓｌｉｃｅ  ｔｙｐｅ及び／又はＩｓｏｌａｔｉｏｎ  ｌｅｖｅｌが変化しない場合について説明する。
【０３１０】
ＵＥ＿Ａ１０は、ｅＮＢ＿Ａ４５にＴＡＵ  Ｒｅｑｕｅｓｔメッセージを送信する（Ｓ９００）。ＵＥ＿Ａ１０は、ＴＡＵ  Ｒｅｑｕｅｓｔメッセージと一緒に、第１８の識別情報及び又は第１９の識別情報を送信してもよい。具体的には、例えば、ＴＡＵ  Ｒｅｑｕｅｓｔメッセージが含まれるＲＲＣメッセージに第１８の識別情報及び又は第１９の識別情報が含まれてもよい。または、ＴＡＵ  Ｒｅｑｕｅｓｔメッセージと一緒に送信するＲＲＣパラメータに第１８の識別情報及び又は第１９の識別情報を含めて送信してよい。
【０３１１】
第１８の識別情報は、ＵＥ＿Ａ１０がＮｅｔｗｏｒｋ  ｓｌｉｃｅへの接続を要求している事を示す情報であってもよいし、ＵＥ＿Ａ１０がＮｅｔｗｏｒｋ  Ｓｌｉｃｅ  ｔｙｐｅ及び又はＮｅｔｗｏｒｋ  Ｓｌｉｃｅを選択する機能を有する事を示す情報であってもよいし、またこれらの情報を組み合わせた情報であってもよい。第１８の識別情報は、ＵＥ  Ｃａｐａｂｉｌｉｔｙ情報であってもよい。第１８の識別情報で示されるＵＥの機能は、第５の識別情報で示されるＵＥの機能と等しくてもよい。
【０３１２】
ここで、第１９の識別情報とは、ＵＥ＿Ａ１０がＮｅｔｗｏｒｋ  Ｓｌｉｃｅ  ｔｙｐｅ及び／又はＩｓｏｌａｔｉｏｎ  ｌｅｖｅｌの変更を要求しないことを示す情報であってよい。または、第１９の識別情報とは、ＵＥ＿Ａ１０がＮｅｔｗｏｒｋ  Ｓｌｉｃｅ  ｔｙｐｅ及び／又はＩｓｏｌａｔｉｏｎ  ｌｅｖｅｌの変更を要求の可否を示す情報であってよい。言い換えれば、第１９の識別情報とは、ＵＥ＿Ａ１０がＮｅｔｗｏｒｋ  Ｓｌｉｃｅ  ｔｙｐｅ及び／又はＩｓｏｌａｔｉｏｎ  ｌｅｖｅｌの変更を要求することを示すための識別情報であってもよいし、要求をしないことを示す識別情報であってもよい。その場合、以下では、第１９の識別情報はＵＥ＿Ａ１０がＮｅｔｗｏｒｋ  Ｓｌｉｃｅ  ｔｙｐｅ及び／又はＩｓｏｌａｔｉｏｎ  ｌｅｖｅｌの変更を要求しない事を示してよい。
【０３１３】
または、第１９の識別情報は、ＧＵＭＭＥＩであってもよい。第１９の識別情報が、ＵＥ＿Ａ１０の移動管理を行っているＭＭＥを識別するＧＵＭＭＥＩと等しいことに基づき、ｅＮＢ＿Ａ４５は、Ｎｅｔｗｏｒｋ  Ｓｌｉｃｅ  ｔｙｐｅの変更が要求されない事を検知してもよい。
【０３１４】
また、ＴＡＵ  Ｒｅｑｕｅｓｔメッセージには、少なくともｏｌｄ  ＧＵＴＩが含まれる。ｏｌｄ  ＧＵＴＩとは、ＵＥ＿Ａ１０が直近のＡｔｔａｃｈ手続きで接続したＭＭＥを識別するための情報である。
【０３１５】
ＵＥ＿Ａ１０は更に、ＴＡＵ  Ｒｅｑｕｅｓｔメッセージと一緒に、第６の識別情報又は第７の識別情報を含めてもよい。
【０３１６】
第６の識別情報は、ＵＥが１つのＮｅｔｗｏｒｋ  Ｓｌｉｃｅにのみ接続するモードを要求する事及び又は、ＵＥが１つのＮｅｔｗｏｒｋ  Ｓｌｉｃｅにのみ接続する事が可能である事を有する事を示す識別情報であってもよい。第６の識別情報は、ＵＥ  ｐｒｅｆ
ｅｒｅｎｃｅ情報であってよい。また、第６の識別情報は、１つのＮｅｔｗｏｒｋ  Ｓｌｉｃｅにのみ接続するモードを識別する情報であってもよい。
【０３１７】
また、第７の識別情報は、ＵＥが１又は複数のＮｅｔｗｏｒｋ  Ｓｌｉｃｅに接続するモードを要求する事、及び又はＵＥが１または複数のＮｅｔｗｏｒｋ  Ｓｌｉｃｅに接続することが可能である事を示す識別情報であってもよい。第７の識別情報は、ＵＥ  ｐｒｅｆｅｒｅｎｃｅ情報であってもよい。また、第７の識別情報は、ＵＥが１または複数のＮｅｔｗｏｒｋ  Ｓｌｉｃｅに接続するモードを識別する情報であってよい。
【０３１８】
ｅＮＢ＿Ａ４５は、ＵＥ＿Ａ１０が送信したＴＡＵ  Ｒｅｑｕｅｓｔメッセージを受信する。
【０３１９】
ｅＮＢ＿Ａ４５は、ＵＥ＿Ａ１０からＴＡＵ  Ｒｅｑｕｅｓｔメッセージ及び第１９の識別情報の受信に基づき、新しいＭＭＥの再選択を行なわずに、ＭＭＥ＿Ａ１０４にＴＡＵ  Ｒｅｑｕｅｓｔメッセージを転送してよい（Ｓ９０２）。
【０３２０】
また、もしｅＮＢ＿Ａ４５がＭＭＥ＿Ａ１０４を利用できない場合、ｅＮＢ＿Ａ４５は第１８の識別情報及び又は第１９の識別情報に基づいて、ＭＭＥの再選択をおこない、選択されたＭＭＥにＴＡＵ  Ｒｅｑｕｅｓｔメッセージを送信してもよい。
【０３２１】
ｅＮＢ＿Ａ４５はＴＡＵ  Ｒｅｑｕｅｓｔメッセージと一緒に、ＵＰＬＩＮＫ  ＮＡＳ
ＴＲＡＮＳＰＯＲＴを送信してよい。または、ＴＡＵ  ＲｅｑｕｅｓｔメッセージはＵＰＬＩＮＫ  ＮＡＳ  ＴＲＡＮＳＰＯＲＴに含まれてもよい。ＵＰＬＩＮＫ  ＮＡＳ  ＴＲＡＮＳＰＯＲＴは、少なくとも、ＭＭＥ  ＵＥ  Ｓ１ＡＰ  ＩＤと、ｅＮＢ  ＵＥ  Ｓ１ＡＰ  ＩＤと、ＴＡＵ  Ｒｅｑｕｅｓｔメッセージと、Ｅ−ＵＴＲＡＮ  ＣＧＩと、ＴＡＩを含める。
【０３２２】
ここで、ＭＭＥ  ＵＥ  Ｓ１ＡＰ  ＩＤは、ＭＭＥ内でのＵＥへの接続を識別するための情報である。
【０３２３】
また、ｅＮＢ  ＵＥ  Ｓ１ＡＰ  ＩＤは、ｅＮＢ内でのＵＥへの接続を識別するための情報である。Ｅ−ＵＴＲＡＮ  ＣＧＩはセルを識別するための情報である。
【０３２４】
ＴＡＩは、トラッキングエリアを識別するための情報である。
【０３２５】
ＭＭＥ＿Ａ１０４は、ｅＮＢ＿Ａ４５を介してＵＥ＿Ａ１０が送信したＴＡＵ  Ｒｅｑｕｅｓｔメッセージを受信する。
【０３２６】
ＭＭＥ＿Ａ１０４は、ＴＡＵ  Ｒｅｑｕｅｓｔメッセージの受信に基づき、記憶部のＴＡＩｏｆ  ｌａｓｔ  ＴＡＵを更新する。ＳＧＷの再選択の要否を検討する。ＳＧＷの変更を行う場合には、新しいＳＧＷへＣｒｅａｔｅ  Ｓｅｓｓｉｏｎ  Ｒｅｑｕｅｓｔメッセージを送信してよい。更に、選択された新しいＳＧＷは、Ｃｒｅａｔｅ  Ｓｅｓｓｉｏｎ  Ｒｅｑｕｅｓｔメッセージで示されたＰＧＷ＿Ａ３０にＭｏｄｉｆｙ  ｂｅａｒｅ  Ｒｅｑｕｅｓｔメッセージを送信してもよい。ＰＧＷ＿Ａ３０は、新しいＳＧＷにＭｏｄｉｆｙ  Ｂｅａｒｅｒ  Ｒｅｓｐｏｎｓｅメッセージを送信し、更に新しいＳＧＷはＭＭＥ＿Ａ１０４にＣｒｅａｔｅ  Ｓｅｓｓｉｏｎ  Ｒｅｓｐｏｎｓｅメッセージを送信してもよい。
【０３２７】
また、ＭＭＥ＿Ａ１０４がＳＧＷの再選択を行わない事を決定した場合、またはＭＭＥ＿Ａ１０４とＳＧＷ／ＰＧＷ間の接続が確立されたことに基づき、ＭＭＥ＿Ａ１０４は、
ｅＮＢ＿Ａ４５を介してＵＥにＴＡＵ  Ａｃｃｅｐｔメッセージ（Ｓ９０４）を送信してよい。
【０３２８】
ＭＭＥ＿Ａ１０４はＴＡＵ  Ａｃｃｅｐｔメッセージに、第１５の識別情報及び又は第１６の識別情報及び又は第１７の識別情報を含めて送信してよい。
【０３２９】
ここで、第１５の識別情報とは、ネットワークが、ＵＥが接続する事を許可したＮｅｔｗｏｒｋ  Ｓｌｉｃｅ  Ｔｙｐｅを識別する情報であってよい。具体的には、ｅＮＢ＿Ａ４５が選択したＭＭＥがサポートするＮｅｔｗｏｒｋ  Ｓｌｉｃｅ  ｔｙｐｅを識別するための情報であってよい。ここでは、ＴＡＵ手続きにおいて確立する接続が介するＮｅｔｗｏｒｋ  Ｓｌｉｃｅ  ｔｙｐｅを識別する識別情報であってよい。言い換えれば、第１５の識別情報とは、ＴＡＵ手続きでネットワークに接続が認証されたＮｅｔｗｏｒｋ  Ｓｌｉｃｅ  ｔｙｐｅを識別する識別情報であってよい。
【０３３０】
第１６の識別情報とは、ネットワークが、ＵＥが接続する事を許可したＮｅｔｗｏｒｋ
Ｓｌｉｃｅを識別する情報であってよい。具体的には、ｅＮＢ＿Ａ４５が選択したＭＭＥが含まれるＮｅｔｗｏｒｋ  Ｓｌｉｃｅを識別するための情報であってよい。ここでは、ＴＡＵ手続きにおいて確立する接続が介するＮｅｔｗｏｒｋ  Ｓｌｉｃｅを識別する識別情報であってよい。言い換えれば、第１６の識別情報とは、ＴＡＵ手続きでネットワークに接続が認証されたＮｅｔｗｏｒｋ  Ｓｌｉｃｅを識別する識別情報であってよい。
【０３３１】
また、第１７の識別情報とは、Ｎｅｔｗｏｒｋ  ｓｌｉｃｅの独立度であってよい。言い換えると、第１７の識別情報は、Ｎｅｔｗｏｋ  Ｓｌｉｃｅに含まれるＮＦの独立度であってよい。
【０３３２】
例えば、第１７の識別情報はＭＭＥの、他のＮｅｔｗｏｒｋ  ｓｌｉｃｅに対する独立度を示す情報であってよい。本実施形態ではＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ
ｓｌｉｃｅ＿Ａ１０１に属しており、他のＮｅｔｗｏｒｋ  ｓｌｉｃｅから独立している場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿Ａ１０１とＮｅｔｗｏｒｋ  ｓｌｉｃｅ＿Ｂ１０２に属しており、ＭＭＥ＿Ａ１０４が他のＮｅｔｗｏｒｋ  ｓｌｉｃｅ（ここではＮｅｔｗｏｒｋ  ｓｌｉｃｅ＿Ｂ）から独立していない場合、ｉｓｏｌａｔｉｏｎ  ｌｅｖｅｌはレベル１であってもよい。つまり、第１７の識別情報は、ＭＭＥの独立度を示す情報であってもよい。
【０３３３】
ここでは、ＴＡＵ手続きにおいて確立する接続が、第１５の識別情報で識別されるＮｅｔｗｏｒｋ  Ｓｌｉｃｅ  ｔｙｐｅ以外のＮｅｔｗｏｒｋ  Ｓｌｉｃｅ  ｔｙｐｅのＮｅｔｗｏｒｋ  ｓｌｉｃｅ及び又は、第１６の識別情報で識別されるＮｅｔｗｏｒｋ  Ｓｌｉｃｅに対しての独立度を示す情報であってよい。
【０３３４】
または、ＭＭＥ＿Ａ１０４は、ＴＡＵ  Ａｃｃｅｐｔメッセージと第１５の識別情報及び又は第１６の識別情報及び又は第１７の識別情報を独立させて送信してもよい。
【０３３５】
具体的には、ＭＭＥ＿Ａ１０４は、ＴＡＵ  Ａｃｃｅｐｔメッセージと一緒に、第１５の識別情報及び又は第１６の識別情報及び又は第１７の識別情報をｅＮＢ＿Ａ４５に送信する。ｅＮＢ＿Ａ４５は、ＴＡＵ  Ａｃｃｅｐｔメッセージの受信に基づき、ＵＥ＿Ａ１０にＴＡＵ  Ａｃｃｅｐｔメッセージと一緒に第１５の識別情報及び又は第１６の識別情報及び又は第１７の識別情報を送信する。言い換えると、ｅＮＢ＿Ａ４５は、ＲＲＣメッ
セージに、ＴＡＵ  Ａｃｃｅｐｔメッセージと、第１５の識別情報及び又は第１６の識別情報及び又は第１７の識別情報を含めて、ＵＥ＿Ａ１０に送信してよい。
【０３３６】
また、ＭＭＥ＿Ａ１０４がＴＡＵ手続きにより変更された新しいＭＭＥである場合、ＭＭＥ＿Ａ１０４はＴＡＵ  ＡｃｃｅｐｔメッセージにＧＵＴＩを含めて送信してもよい。
【０３３７】
ＵＥ＿Ａ１０は新しいＧＵＴＩがＴＡＵ  Ａｃｃｅｐｔメッセージに含まれていた場合には、ＭＭＥ＿Ａ１０４にＴＡＵ  Ｃｏｍｐｌｅｔｅメッセージを送信する。
【０３３８】
以上により、ＵＥ＿Ａ１０により、Ｎｅｔｗｏｒｋ  Ｓｌｉｃｅ  ｔｙｐｅおよびＩｓｏｌａｔｉｏｎ  ｌｅｖｅｌを変更しないＴＡＵ手続きを行うことが出来る。
【０３３９】
［１．３．３．２．第２のＴＡＵ手続き］
次に、第２のＴＡＵ手続きについて説明する。図１０は、第２のＴＡＵ手続きのプロシージャ―を示す。第２のＴＡＵ手続きでは、ＵＥ＿Ａが、前のアタッチ手続きでＵＥの要求通りのＮｅｔｗｏｒｋ  Ｓｌｉｃｅ  ｔｙｐｅのＮｅｔｗｏｒｋ  Ｓｌｉｃｅを介したＰＤＮ接続を確立できたなかった場合、及び／又は、ＵＥの要求通りのＩｓｏｌａｔｉｏｎ  ｌｅｖｅｌの接続ではなかった場合、または前回のＴＡＵ手続き又はアタッチ手続きから、ＵＥが要求するＮｅｔｗｏｒｋ  Ｓｌｉｃｅ  ｔｙｐｅ及び／又はＩｓｏｌａｔｉｏｎ  ｌｅｖｅｌが変化している場合について説明する。
【０３４０】
ＵＥ＿Ａ１０は、ｅＮＢ＿Ａ４５にＴＡＵ  Ｒｅｑｕｅｓｔメッセージを送信する（Ｓ１０００）。ＴＡＵ  Ｒｅｑｕｅｓｔメッセージには、少なくともｏｌｄ  ＧＵＴＩが含まれる。
【０３４１】
ＵＥ＿Ａ１０はＴＡＵ  Ｒｅｑｕｅｓｔメッセージと一緒に、第１２の識別情報及び又は第１３の識別情報及び又は第１４の識別情報及び又は第１８の識別情報及び又は第２０の識別情報を送信してもよい。具体的には、例えば、ＵＥ＿Ａ１０はＴＡＵ  Ｒｅｑｕｅｓｔメッセージを含めて送信するＲＲＣメッセージに第１２の識別情報及び又は第１３の識別情報及び又は第１４の識別情報及び又は第１８の識別情報及び又は第２０の識別情報が含まれてもよい。または、ＴＡＵ  Ｒｅｑｕｅｓｔメッセージと一緒に送信するＲＲＣパラメータに第１２の識別情報及び又は第１３の識別情報及び又は第１４の識別情報及び又は第１８の識別情報及び又は第２０の識別情報を含めて送信してよい。
【０３４２】
更にＵＥ＿Ａ１０はＲＲＣメッセージに第６の識別情報または第７の識別情報を含めてもよい。
【０３４３】
第１２の識別情報とは、ＵＥが要求するＮｅｔｗｏｒｋ  Ｓｌｉｃｅ  ｔｙｐｅを識別するための情報であってよい。ＵＥ＿Ａ１０がＮｅｔｗｏｒｋ  Ｓｌｉｃｅ  ｔｙｐｅの選択を行った場合、ＵＥ＿Ａ１０がｅＮＢ＿Ａ４５から受信した第８の識別情報群に含まれる複数の第１の識別情報の中から選択したＮｅｔｗｏｒｋ  Ｓｌｉｃｅ  ｔｙｐｅを識別するための情報であってよい。または、ＵＥ＿Ａ１０がネットワークから通知された第８の識別情報群からＮｅｔｗｏｒｋ  Ｓｌｉｃｅ  ｔｙｐｅの選択を行わなかった場合、第１２の識別情報は、ＵＥが記憶するＮｅｔｗｏｒｋ  Ｓｌｉｃｅ  ｔｙｐｅを識別するための情報であってもよい。
【０３４４】
第１３の識別情報とは、ＵＥが要求するＮｅｔｗｏｒｋ  Ｓｌｉｃｅを識別するための情報であってよい。ＵＥ＿Ａ１０がＮｅｔｗｏｒｋ  Ｓｌｉｃｅの選択を行った場合、ＵＥ＿Ａ１０がｅＮＢ＿Ａ４５から受信した第９の識別情報群に含まれる複数の第３の識別情報の中から選択したＮｅｔｗｏｒｋ  Ｓｌｉｃｅを識別するための情報であってよい。
または、ＵＥ＿Ａ１０がネットワークから通知された第９の識別情報群からＮｅｔｗｏｒｋ  Ｓｌｉｃｅの選択を行わなかった場合、第１３の識別情報は、ＵＥが記憶するＮｅｔｗｏｒｋ  Ｓｌｉｃｅを識別するための情報であってもよい。
【０３４５】
第１４の識別情報とは、ＵＥが要求するＮｅｔｗｏｒｋ  ｓｌｉｃｅの独立度であってよい。言い換えると、第１４の識別情報は、ＵＥが要求する、Ｎｅｔｗｏｋ  Ｓｌｉｃｅに含まれるＮＦの独立度であってよい。
【０３４６】
例えば、第１４の識別情報とは、ＭＭＥの、他のＮｅｔｗｏｒｋ  ｓｌｉｃｅに対する独立度を示す情報であってよい。本実施形態ではＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ  ｓｌｉｃｅ＿Ａに属しており、他のＮｅｔｗｏｒｋ  ｓｌｉｃｅから独立している場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿ＡとＮｅｔｗｏｒｋ  ｓｌｉｃｅ＿Ｂに属しており、ＭＭＥ＿Ａ１０４が他のＮｅｔｗｏｒｋ  ｓｌｉｃｅ（ここではＮｅｔｗｏｒｋ  ｓｌｉｃｅ＿Ｂ）から独立していない場合、ｉｓｏｌａｔｉｏｎ  ｌｅｖｅｌはレベル１であってもよい。つまり、第１４の識別情報は、ＭＭＥの独立度を示す情報であってもよい。
【０３４７】
第６の識別情報は、ＵＥが１つのＮｅｔｗｏｒｋ  Ｓｌｉｃｅにのみ接続するモードを要求する事、及び又はＵＥが１つのＮｅｔｗｏｒｋ  Ｓｌｉｃｅにだけ接続することが可能である事を示す識別情報であってもよい。第６の識別情報は、ＵＥ  ｐｒｅｆｅｒｅｎｃｅ情報であってよい。また、第６の識別情報は、ＵＥが１つのＮｅｔｗｏｒｋ  Ｓｌｉｃｅにのみ接続するモードを識別する情報であってよい。
【０３４８】
また、第７の識別情報は、ＵＥが１又は複数のＮｅｔｗｏｒｋ  Ｓｌｉｃｅに接続するモードを要求する事、及び又はＵＥが１または複数のＮｅｔｗｏｒｋ  Ｓｌｉｃｅに接続することが可能である事を示す識別情報であってもよい。第７の識別情報は、ＵＥ  ｐｒｅｆｅｒｅｎｃｅ情報であってもよい。また、第７の識別情報は、ＵＥが１又は複数のＮｅｔｗｏｒｋ  Ｓｌｉｃｅに接続するモードを識別する情報であってもよい。
【０３４９】
第１８の識別情報は、ＵＥ＿Ａ１０がＮｅｔｗｏｒｋ  ｓｌｉｃｅへの接続を要求している事を示す情報であってもよいし、ＵＥ＿Ａ１０がＮｅｔｗｏｒｋ  Ｓｌｉｃｅ  ｔｙｐｅ及び又はＮｅｔｗｏｒｋ  Ｓｌｉｃｅを選択する機能を有する事を示す情報であってもよいし、またこれらの情報を組み合わせた情報であってもよい。第１８の識別情報は、ＵＥ  Ｃａｐａｂｉｌｉｔｙ情報であってもよい。第１８の識別情報で示されるＵＥの機能は、第５の識別情報で示されるＵＥの機能と等しくてもよい。
【０３５０】
ここで、第２０の識別情報とは、ＵＥ＿Ａ１０がＮｅｔｗｏｒｋ  Ｓｌｉｃｅ  ｔｙｐｅ及び／又はＩｓｏｌａｔｉｏｎ  ｌｅｖｅｌの変更を要求することを示す情報であってよい。または、第２０の識別情報とは、ＵＥ＿Ａ１０がＮｅｔｗｏｒｋ  Ｓｌｉｃｅ  ｔｙｐｅ及び／又はＩｓｏｌａｔｉｏｎ  ｌｅｖｅｌの変更を要求の可否を示す情報であってよい。言い換えれば、第２０の識別情報とは、ＵＥ＿Ａ１０がＮｅｔｗｏｒｋ  Ｓｌｉｃｅ  ｔｙｐｅ及び／又はＩｓｏｌａｔｉｏｎ  ｌｅｖｅｌの変更を要求することを示すための識別情報であってもよいし、要求をしないことを示す識別情報であってもよい。その場合、以下では、第２０の識別情報はＵＥ＿Ａ１０がＮｅｔｗｏｒｋ  Ｓｌｉｃｅ  ｔｙｐｅ及び／又はＩｓｏｌａｔｉｏｎ  ｌｅｖｅｌの変更を要求する事を示してよい。
【０３５１】
または、第２０の識別情報は、ＧＵＭＭＥＩであってもよい。第２０の識別情報が、空であることに基づき、ｅＮＢ＿Ａ４５は、Ｎｅｔｗｏｒｋ  Ｓｌｉｃｅ  ｔｙｐｅの変更
が要求されている事を検知してもよい。
【０３５２】
また、ＵＥ＿Ａ１０は更に第１２の識別情報及び又は第１３の識別情報及び又は第１４の識別情報及び又は第１８の識別情報と第２０の識別情報をＴＡＵ  Ｒｅｑｕｅｓｔメッセージに含めて送信してもよい。
【０３５３】
ｅＮＢ＿Ａ４５はＵＥ＿Ａ１０から、ＴＡＵ  Ｒｅｑｕｅｓｔメッセージ及び／またはＲＲＣメッセージの受信に基づき、Ｎｅｔｗｏｒｋ  Ｓｌｉｃｅ  Ｔｙｐｅ及び又はＮｅｔｗｏｒｋ  Ｓｌｉｃｅの再選択を開始する（Ｓ１００２）。具体的には、ｅＮＢ＿Ａ４５は、第１２の識別情報及び又は第１３の識別情報の受信に基づき、Ｎｅｔｗｏｒｋ  Ｓｌｉｃｅ  Ｔｙｐｅ及び又はＮｅｔｗｏｒｋ  Ｓｌｉｃｅの再選択を開始してよい。
【０３５４】
ｅＮＢ＿Ａ４５は、Ｎｅｔｗｏｒｋ  Ｓｌｉｃｅ  ｔｙｐｅ及びＮｅｔｗｏｒｋ  Ｓｌｉｃｅの再選択に伴い、ＭＭＥを再選択する。ＭＭＥの再選択では、第１４の識別情報に基づき選択してもよい。
【０３５５】
具体的な、ｅＮＢ＿Ａ４５によるＭＭＥの選択方法は、Ａｔｔａｃｈ手続きと同様であるため、詳細な説明は省略する。
【０３５６】
以下では、新しいＭＭＥとしてＭＭＥ＿Ｄ１０５を再選択した場合を一例として説明する。
【０３５７】
ｅＮＢ＿Ａ４５は、ＭＭＥ＿Ｄ１０５にＴＡＵ  Ｒｅｑｕｅｓｔメッセージを転送する。ｅＮＢ＿Ａ４５はＴＡＵ  Ｒｅｑｕｅｓｔメッセージと一緒に、Ｕｐｌｉｎｋ  ＮＡＳ
Ｔｒａｎｓｐｏｒｔを送信してよい。または、ＴＡＵ  ＲｅｑｕｅｓｔメッセージはＵｐｌｉｎｋ  ＮＡＳ  Ｔｒａｎｓｐｏｒｔに含まれてもよい。Ｕｐｌｉｎｋ  ＮＡＳ  Ｔｒａｎｓｐｏｒｔは、少なくとも、ＭＭＥ  ＵＥ  Ｓ１ＡＰ  ＩＤと、ｅＮＢ  ＵＥ  Ｓ１ＡＰ  ＩＤと、ＴＡＵ  Ｒｅｑｕｅｓｔメッセージと、Ｅ−ＵＴＲＡＮ  ＣＧＩと、ＴＡＩを含める。
【０３５８】
ここで、ＭＭＥ  ＵＥ  Ｓ１ＡＰ  ＩＤは、ＭＭＥ内でのＵＥへの接続を識別するための情報である。
【０３５９】
また、ｅＮＢ  ＵＥ  Ｓ１ＡＰ  ＩＤは、ｅＮＢ内でのＵＥへの接続を識別するための情報である。Ｅ−ＵＴＲＡＮ  ＣＧＩはセルを識別するための情報である。
【０３６０】
ＴＡＩは、トラッキングエリアを識別するための情報である。
【０３６１】
ＭＭＥ＿Ｄ１０５は、ｅＮＢ＿Ａ４５を介してＵＥ＿Ａ１０が送信したＴＡＵ  Ｒｅｑｕｅｓｔメッセージを受信する。
【０３６２】
ＭＭＥ＿Ｄ１０５は、ＴＡＵ  Ｒｅｑｕｅｓｔメッセージに含まれるＧＵＴＩに基づき、ＭＭＥ＿Ａ１０４へＣｏｎｔｅｘｔ  Ｒｅｑｕｅｓｔメッセージを送信しＣｏｎｔｅｘｔ  Ｒｅｓｐｏｎｓｅメッセージを受信する（Ｓ１００６）。
【０３６３】
これにより、Ｃｏｎｔｅｘｔ  Ｒｅｓｐｏｎｓｅメッセージには少なくとも、ＵＥ＿Ａ１０のＭＭコンテキストが含まれており、上記の手続きにより、ＭＭＥ＿Ｄ１０５はＭＭＥ＿Ａ１０４から、ＭＭＥコンテキストを取得する事ができる。
【０３６４】
ＭＭＥ＿Ｄ１０５は、ＭＭＥコンテキストの取得に基づき、ＳＧＷの再選択の要否を検
討する。ＳＧＷの変更を行う場合には、新しいＳＧＷへＣｒｅａｔｅ  Ｓｅｓｓｉｏｎ  Ｒｅｑｕｅｓｔメッセージを送信してよい（Ｓ１００８）。更に、選択された新しいＳＧＷは、Ｃｒｅａｔｅ  Ｓｅｓｓｉｏｎ  Ｒｅｑｕｅｓｔメッセージで示されたＰＧＷ＿Ａ３０にＭｏｄｉｆｙ  ｂｅａｒｅ  Ｒｅｑｕｅｓｔメッセージを送信してもよい。ＰＧＷ＿Ａ３０は、新しいＳＧＷにＭｏｄｉｆｙ  Ｂｅａｒｅｒ  Ｒｅｓｐｏｎｓｅメッセージを送信し、更に新しいＳＧＷはＭＭＥ＿Ｄ１０５にＣｒｅａｔｅ  Ｓｅｓｓｉｏｎ  Ｒｅｓｐｏｎｓｅメッセージを送信してもよい。
【０３６５】
また、これらＭＭＥ＿Ｄ１０５からＳＧＷ／ＰＧＷ間の手続きをＣｒｅａｔｅ  Ｓｅｓｓｉｏｎ手続きとしてもよい。
【０３６６】
ＭＭＥ＿Ｄ１０５は、Ｃｒｅａｔｅ  Ｓｅｓｓｉｏｎ手続き完了に伴い、ＭＭＥ＿Ｄ１０５とＳＧＷ／ＰＧＷ間の接続の確立を完了させる。
【０３６７】
ＭＭＥ＿Ｄ１０５はＣｒｅａｔｅ  Ｓｅｓｓｉｏｎ手続き完了に伴い、Ｌｏｃａｔｉｏｎ更新手続きを開始する（Ｓ１０１０）。
【０３６８】
具体的には、ＭＭＥ＿Ｄ１０５はＨＳＳ＿Ａ５０にＵｐｄａｔｅ  Ｌｏｃａｔｉｏｎメッセージを送信する。Ｕｐｄａｔｅ  Ｌｏｃａｔｉｏｎには少なくとも、ＵＥ＿Ａ１０のＩＭＳＩ、ＰＬＭＮが含まれてよい。これにより、ＨＳＳ＿Ａ５０は、ＭＭＥ＿Ａ１０４からＭＭＥ＿Ｄ１０５にＵＥ＿Ａ１０の移動管理装置が変更されたことを検知する。
【０３６９】
ＨＳＳ＿Ａ５０は、ＭＭＥ＿Ａ１０４に対して、ＭＭコンテキストの削除を要求するＣａｎｃｅｌ  Ｌｏｃａｔｉｏｎメッセージを送信する。Ｃａｎｃｅｌ  Ｌｏｃａｔｉｏｎメッセージに少なくとも、ＩＭＳＩが含まれる。
【０３７０】
さらに、ＨＳＳ＿Ａ５０はＭＭＥ＿Ｄ１０５に対して、Ｕｐｄａｔｅ  Ｌｏｃａｔｉｏｎ  Ａｃｋを送信する。ＭＭＥ＿Ｄ１０５は、Ｕｐｄａｔｅ  Ｌｏｃａｔｉｏｎ  Ａｃｋの受信に基づき、新しいＵＥ＿Ａ１０の移動管理装置としてＨＳＳ＿Ａ５０に認証されたことになる。
【０３７１】
以上の手続きにより、ＭＭＥ＿Ｄ１０５及びＭＭＥ＿Ａ１０４及びＨＳＳ＿Ａ５０は、Ｌｏｃａｔｉｏｎ更新手続きを完了してもよい。
【０３７２】
ＭＭＥ＿Ｄ１０５は、Ｌｏｃａｔｉｏｎ更新手続きの完了に伴い、またはＳ１００６の後にＳＧＷの変更がない事の決定に伴い、ｅＮＢ＿Ａ４５を介しＵＥ＿Ａ１０にＴＡＵ  Ａｃｃｅｐｔメッセージを送信してもよい（Ｓ１０１２）。
【０３７３】
ＭＭＥ＿Ｄ１０５はＴＡＵ  Ａｃｃｅｐｔメッセージに、第１５の識別情報及び又は第１６の識別情報及び又は第１７の識別情報を含めて送信してよい。
【０３７４】
ここで、第１５の識別情報とは、ネットワークが、ＵＥが接続する事を許可したＮｅｔｗｏｒｋ  Ｓｌｉｃｅ  Ｔｙｐｅを識別する情報であってよい。具体的には、ｅＮＢ＿Ａ４５が選択したＭＭＥがサポートするＮｅｔｗｏｒｋ  Ｓｌｉｃｅ  ｔｙｐｅを識別するための情報であってよい。ここでは、ＴＡＵ手続きにおいて確立する接続が介するＮｅｔｗｏｒｋ  Ｓｌｉｃｅ  ｔｙｐｅを識別する識別情報であってよい。言い換えれば、第１５の識別情報とは、ＴＡＵ手続きでネットワークに接続が認証されたＮｅｔｗｏｒｋ  Ｓｌｉｃｅ  ｔｙｐｅを識別する識別情報であってよい。
【０３７５】
第１６の識別情報とは、ネットワークが、ＵＥが接続する事を許可したＮｅｔｗｏｒｋ
Ｓｌｉｃｅを識別する情報であってよい。具体的には、ｅＮＢ＿Ａ４５が選択したＭＭＥが含まれるＮｅｔｗｏｒｋ  Ｓｌｉｃｅを識別するための情報であってよい。ここでは、このＴＡＵ手続きにおいて確立する接続が介するＮｅｔｗｏｒｋ  Ｓｌｉｃｅを識別する識別情報であってよい。言い換えれば、第１６の識別情報とは、ＴＡＵ手続きでネットワークに接続が認証されたＮｅｔｗｏｒｋ  Ｓｌｉｃｅを識別する識別情報であってよい。
【０３７６】
また、第１７の識別情報とは、Ｎｅｔｗｏｒｋ  ｓｌｉｃｅの独立度であってよい。言い換えると、第１７の識別情報は、Ｎｅｔｗｏｋ  Ｓｌｉｃｅに含まれるＮＦの独立度であってよい。
【０３７７】
例えば、第１７の識別情報はＭＭＥの、他のＮｅｔｗｏｒｋ  ｓｌｉｃｅに対する独立度を示す情報であってよい。本実施形態ではＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ｄ１０５がＮｅｔｗｏｒｋ
ｓｌｉｃｅ＿Ａ１０１に属しており、他のＮｅｔｗｏｒｋ  ｓｌｉｃｅから独立している場合、ｉｓｏｌａｔｉｏｎ  ｌｅｖｅｌをレベル２として良い。一方で、ＭＭＥ＿Ｄ１０５がＮｅｔｗｏｒｋ  ｓｌｉｃｅ＿Ａ１０１とＮｅｔｗｏｒｋ  ｓｌｉｃｅ＿Ｂ１０２に属しており、ＭＭＥ＿Ｄ１０５が他のＮｅｔｗｏｒｋ  ｓｌｉｃｅ（ここではＮｅｔｗｏｒｋ  ｓｌｉｃｅ＿Ｂ）から独立していない場合、ｉｓｏｌａｔｉｏｎ  ｌｅｖｅｌはレベル１であってもよい。つまり、第１７の識別情報は、ＭＭＥの独立度を示す情報であってもよい。
【０３７８】
ここでは、このＡｔｔａｃｈ手続きにおいて確立する接続が、第１５の識別情報で識別されるＮｅｔｗｏｒｋ  Ｓｌｉｃｅ  ｔｙｐｅ以外のＮｅｔｗｏｒｋ  Ｓｌｉｃｅ  ｔｙｐｅのＮｅｔｗｏｒｋ  ｓｌｉｃｅ及び又は、第１６の識別情報で識別されるＮｅｔｗｏｒｋ  Ｓｌｉｃｅに対しての独立度を示す情報であってよい。
【０３７９】
また、ＭＭＥ＿Ｄ１０５は、ＴＡＵ  Ａｃｃｅｐｔメッセージに更に、第１０の識別情報又は第１１の識別情報を含めてもよい。
【０３８０】
第１０の識別情報は、ネットワークがＵＥに認証した、Ｎｅｔｗｏｒｋ  Ｓｌｉｃｅへの接続モードを識別するための情報であり、ＵＥが１つのＮｅｔｗｏｒｋ  Ｓｌｉｃｅにのみ接続するモードを許可した事を示す識別情報であってよい。つまり、ここではＭＭＥ＿Ｄ１０５が、ＵＥ＿Ａ１０が１つのＮｅｔｗｏｒｋ  Ｓｌｉｃｅにのみ接続することを許可した事を示す識別情報であってよい。
【０３８１】
第１１の識別情報は、ネットワークがＵＥに認証した、Ｎｅｔｗｏｒｋ  Ｓｌｉｃｅへの接続モードを識別するための情報であり、ＵＥが１又は複数のＮｅｔｗｏｒｋ  Ｓｌｉｃｅに接続するモードを許可した事を示す識別情報であってよい。つまり、ここではＭＭＥがＵＥ＿Ａ１０は複数のＮｅｔｗｏｒｋ  Ｓｌｉｃｅに接続することを許可した事を示す識別情報であってよい。
【０３８２】
または、ＭＭＥ＿Ｄ１０５は、ＴＡＵ  Ａｃｃｅｐｔメッセージと第１５の識別情報及び又は第１６の識別情報及び又は第１７の識別情報を独立させて送信してもよい。
【０３８３】
具体的には、ＭＭＥ＿Ｄ１０５は、ＴＡＵ  Ａｃｃｅｐｔメッセージと一緒に、第１５の識別情報及び又は第１６の識別情報及び又は第１７の識別情報をｅＮＢ＿Ａ４５に送信する。
【０３８４】
ｅＮＢ＿Ａ４５は、ＭＭＥ＿Ｄ１０５が送信したＴＡＵ  Ａｃｃｅｐｔメッセージを受信する。
【０３８５】
ｅＮＢ＿Ａ４５は、ＴＡＵ  Ａｃｃｅｐｔメッセージの受信に基づき、ＵＥ＿Ａ１０にＴＡＵ  Ａｃｃｅｐｔメッセージと一緒に第１５の識別情報及び又は第１６の識別情報及び又は第１７の識別情報を送信する。言い換えると、ｅＮＢ＿Ａ４５は、ＲＲＣメッセージに、ＴＡＵ  Ａｃｃｅｐｔメッセージと、第１５の識別情報及び又は第１６の識別情報及び又は第１７の識別情報を含めて、ＵＥ＿Ａ１０に送信してよい。
【０３８６】
また、ＭＭＥ＿Ｄ１０５はＵＥ＿Ａ１０に新しいＧＵＴＩを割り当ててもよく、ＴＡＵ
Ａｃｃｅｐｔメッセージに、新しいＧＵＴＩを含めて送信してもよい。
【０３８７】
ＵＥ＿Ａ１０は新しいＧＵＴＩがＴＡＵ  Ａｃｃｅｐｔメッセージに含まれていた場合には、ＭＭＥ＿Ａ１０４にＴＡＵ  Ｃｏｍｐｌｅｔｅメッセージを送信する。
【０３８８】
以上により、ＵＥ＿Ａ１０により、Ｎｅｔｗｏｒｋ  Ｓｌｉｃｅ  ｔｙｐｅ及び／またはＩｓｏｌａｔｉｏｎ  ｌｅｖｅｌの変更を伴ったＴＡＵ手続きを行うことが出来る。
【０３８９】
［１．３．３．３．ＴＡＵのトリガー］
次に、ＴＡＵのトリガーについて図１１を用いて説明する。
【０３９０】
なお、ＵＥ＿Ａ１０は、以下で説明するトリガーに伴ったＴＡＵ手続きとは別に、アタッチ手続きを完了した時点から、定期的なＴＡＵ手続きを開始してもよい。
【０３９１】
または、以下で説明するように、ＵＥ＿Ａ１０がｅＮＢ＿Ａ４５からの通知の受信に基づき、ＴＡＵ手続きを開始してもよい。
【０３９２】
ＭＭＥ＿Ｃ１０７は、ＭＭＥ＿Ｃ１０７がサポートするＮｅｔｗｏｒｋ  Ｓｌｉｃｅ  ｔｙｐｅの追加及び変更があった場合に、ｅＮＢ＿Ａ４５にＮｏｔｉｆｉｃａｔｉｏｎメッセージを送信する（Ｓ１１００）。Ｎｏｔｉｆｉｃａｔｉｏｎメッセージは、ＭＭＥ  Ｃｏｎｆｉｇｕｒａｔｉｏｎ  Ｕｐｄａｔｅメッセ―ジであってもよい。
【０３９３】
Ｎｏｔｉｆｉｃａｔｉｏｎメッセージには、少なくとも第１の識別情報及び又は第２の識別情報及び又は第３の識別情報及び又は第４の識別情報が含まれる。
【０３９４】
ここで、第１の識別情報とは、ＭＭＥがサポートするＮｅｔｗｏｒｋ  Ｓｌｉｃｅ  ｔｙｐｅを識別するための情報であってよい。または、第１の識別情報とは、ＭＭＥが含まれているＮｅｔｗｏｒｋ  Ｓｌｉｃｅがサポートする、Ｎｅｔｗｏｒｋ  Ｓｌｉｃｅ  ｔｙｐｅを識別するための情報であってよい。また、第１の識別情報は、ＵＥ  ｕｓａｇｅ
ｔｙｐｅであってもよい。ここでは、送信元のＭＭＥがサポートするＮｅｔｗｏｒｋ  Ｓｌｉｃｅ  ｔｙｐｅまたはＵＥ  ｕｓａｇｅ  ｔｙｐｅを識別するための情報であってよい。つまり、ＭＭＥ＿Ａ１０４がｅＮＢ＿Ａ４５に送信する第１の識別情報と、ＭＭＥ＿Ｂ１０６が送信する第１の識別情報は異なってもよい。
【０３９５】
また、第２の識別情報とは、Ｎｅｔｗｏｒｋ  ｓｌｉｃｅの独立度であってよい。例えば、ＭＭＥの、他のＮｅｔｗｏｒｋ  ｓｌｉｃｅに対する独立度（Ｉｓｏｌａｔｉｏｎ  ｌｅｖｅｌ）を示す情報であってよい。ＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ  ｓｌｉｃｅ＿Ａ１０１に属しており、他のＮｅｔｗｏｒｋ  ｓｌｉｃｅから独立している場
合、つまりＭＭＥ＿Ａ１０４が１つのＮｅｔｗｏｒｋ  Ｓｌｉｃｅにのみ含まれている場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿Ａ１０１とＮｅｔｗｏｒｋ  ｓｌｉｃｅ＿Ｂ１０２に属しており、ＭＭＥ＿Ａ１０４がＮｅｔｗｏｒｋ  ｓｌｉｃｅ内で独立していない場合、つまりＭＭＥ＿Ａ１０４が複数のＮｅｔｗｏｒｋ  Ｓｌｉｃｅに含まれている場合、ｉｓｏｌａｔｉｏｎ  ｌｅｖｅｌはレベル１であってもよい。ここでは、送信元のＭＭＥが第１の識別情報で識別したＮｅｔｗｏｒｋ  Ｓｌｉｃｅ  ｔｙｐｅとしてのＩｓｏｌａｔｉｏｎ  ｌｅｖｅｌを示す情報であってよい。
【０３９６】
第３の識別情報はＮｅｔｗｏｒｋ  Ｓｌｉｃｅを識別するための情報であってよい。
【０３９７】
また、第４の識別情報は、ＭＭＥと同じＮｅｔｗｏｒｋ  Ｓｌｉｃｅ  ｔｙｐｅをサポートするＭＭＥを識別するための情報である。具体的には、ＭＭＥが属するグループごとに、サポートするＮｅｔｗｏｒｋ  Ｓｌｉｃｅ  ｔｙｐｅが同じである場合、第４の識別情報は、ＭＭＥＧＩ（ＭＭＥ  Ｇｒｏｕｐ  ＩＤ）またはＳＧＳＮ  Ｇｒｏｕｐ  ＩＤであってよい。または、ＧＵＭＭＥＩの一部をワイルドカードのように扱う事で、同じＮｅｔｗｏｒｋ  ｓｌｉｃｅに属するＭＭＥを識別できる場合、第４の識別情報はＭＭＥのワイルドカード情報であってもよい。ここでは、第１の識別情報で識別されるＮｅｔｗｏｒｋ  Ｓｌｉｃｅ  ｔｙｐｅまたはＵＥ  ｕｓａｇｅ  ｔｙｐｅをサポートするＭＭＥを識別するために用いる情報であってよい。
【０３９８】
ＭＭＥ＿Ｃ１０７は、ＭＭＥがサポートするＮｅｔｗｏｒｋ  ｓｌｉｃｅ及び又はＮｅｔｗｏｒｋ  Ｓｌｉｃｅ  Ｔｙｐｅごとに、ＮｏｔｉｆｉｃａｔｉｏｎメッセージをｅＮＢ＿４５へ送信してもよいし、１つのＮｏｔｉｆｉｃａｉｔｏｎに複数の第１〜第４の識別情報を含めてもよい。
【０３９９】
言い換えると、ＭＭＥ＿Ｃ１０７は、Ｎｅｔｗｏｒｋ  ｓｌｉｃｅ＿Ａ１０１とＮｅｔｗｏｒｋ  ｓｌｉｃｅ＿Ｂ１０２をそれぞれサポートしている場合、Ｎｅｔｗｏｒｋ  ｓｌｉｃｅ＿Ａ１０１のための各識別情報と、Ｎｅｔｗｏｒｋ  ｓｌｉｃｅ＿Ｂ１０２のための各識別情報とを、それぞれ別のＮｏｔｉｆｉｃａｔｉｏｎメッセージに含めてｅＮＢ＿４５へ送信してもよいし、同一のＮｏｔｉｆｉｃａｔｉｏｎメッセージに含めてｅＮＢ＿４５へ送信してもよい。
【０４００】
また、ＭＭＥ＿Ｃ１０７は、Ｎｏｔｉｆｉｃａｔｉｏｎメッセージに、ＭＭＥ＿Ｃ１０７がサポートするＮｅｔｗｏｒｋ  Ｓｌｉｃｅ  ｔｙｐｅ及び又はＭＭＥ＿Ｃ１０７含まれるＮｅｔｗｏｒｋ  Ｓｌｉｃｅの更新及び又は追加及び又は削除を要求することを識別するための情報を含めてもよい。
【０４０１】
言い換えれば、ＭＭＥ＿Ｃ１０７はＮｏｔｉｆｉｃａｔｉｏｎメッセージに、自身がサポートするＮｅｔｗｏｒｋ  Ｓｌｉｃｅ  ｔｙｐｅ及び又はＮｅｔｗｏｒｋ  Ｓｌｉｃｅを追加したことを示す情報を含めてもよい。または、ＭＭＥ＿Ｃ１０７はＮｏｔｉｆｉｃａｔｉｏｎメッセージに、自身がサポートするＮｅｔｗｏｒｋ  Ｓｌｉｃｅ  ｔｙｐｅ及び又はＮｅｔｗｏｒｋ  Ｓｌｉｃｅを削除したこと、つまりサポートを停止した事を示す情報を含めてもよい。または、ＭＭＥ＿Ｃ１０７はＮｏｔｉｆｉｃａｔｉｏｎメッセージに、自身がサポートするＮｅｔｗｏｒｋ  Ｓｌｉｃｅ  ｔｙｐｅ及び又はＮｅｔｗｏｒｋ
Ｓｌｉｃｅを更新したことを示す情報を含めてもよい。
【０４０２】
ＭＭＥ＿Ｃ１０７はＮｏｔｉｆｉｃａｔｉｏｎメッセージに、自身がサポートするＮｅｔｗｏｒｋ  Ｓｌｉｃｅ  ｔｙｐｅ及び又はＮｅｔｗｏｒｋ  Ｓｌｉｃｅを、追加又は削除したことを示す情報を含めた場合、Ｎｏｔｉｆｉｃａｔｉｏｎメッセージに含まれる１
又は複数の第１の識別情報及び又は、１又は複数の第２の識別情報及び又は、１又は複数の第３の識別情報及び又は、１又は複数の第４の識別情報は、追加又は削除に対応する情報であってよい。
【０４０３】
つまり、例えば、ＭＭＥ＿Ｃ１０７が、Ｎｅｔｗｏｒｋ  Ｓｌｉｃｅ  ｔｙｐｅ＿Ｃの追加をｅＮＢ＿Ａ４５に通知する場合、ＭＭＥ＿Ｃ１０７はＮｏｔｉｆｉｃａｔｉｏｎメッセージに、サポートするＮｅｔｗｏｒｋ  Ｓｌｉｃｅ  ｔｙｐｅの追加を通知するための識別情報及び、Ｎｅｔｗｏｒｋ  Ｓｌｉｃｅ  ｔｙｐｅ＿Ｃを識別する第１の識別情報及び又は、ＭＭＥ＿Ｃ１０７の独立度を示す第２の識別情報及び又は、第３の識別情報を含めてｅＮＢ＿Ａ４５に送信してもよい。
【０４０４】
また、ＭＭＥ＿Ａ１０４及びＭＭＥ＿Ｂ１０６は、Ｎｏｔｉｆｉｃａｔｉｏｎメッセージに、各ＭＭＥがサポートするＵＥ  Ｕｓａｇｅ  ｔｙｐｅを含めて送信してもよい。なお、各ＭＭＥは、ＵＥ  Ｕｓａｇｅ  ｔｙｐｅをＨＳＳから予め取得していてもよい。
【０４０５】
各ＭＭＥのＨＳＳからのＵＥ  ｕｓａｇｅ  ｔｙｐｅの取得方法は、例えば、ＭＭＥが定期的にＨＳＳに問い合わせメッセージを送信し、問い合わせメッセージに対応する応答メッセージをＨＳＳから受信する手続きで構成されていてもよい。
【０４０６】
更に、第１の識別情報及び又は第２の識別情報が、ＵＥ  ｕｓａｇｅ  ｔｙｐｅの一部であってもよい。
【０４０７】
ＭＭＥ＿Ｃ１０７からｅＮＢ＿Ａ４５に送信されるＮｏｔｉｆｉｃａｔｉｏｎメッセージがＭＭＥ  Ｃｏｎｆｉｇｕｒａｔｉｏｎ  ｕｐｄａｔｅメッセ―ジである場合、ｅＮＢ＿Ａ４５はＭＭＥ＿Ｃ１０７へ、受信したＭＭＥ  Ｃｏｎｆｉｇｕｒａｔｉｏｎ  ｕｐｄａｔｅメッセ―ジごとにＭＭＥ  ｃｏｎｆｉｇｕｒａｔｉｏｎ  ｕｐｄａｔｅ  Ａｃｋｎｏｗｌｅｄｇｅメッセ―ジを送信してもよい。
【０４０８】
ｅＮＢ＿Ａ４５は、ＭＭＥ＿Ｃ１０７が送信したＮｏｔｉｆｉｃａｔｉｏｎメッセージを受信する。
【０４０９】
ｅＮＢ＿Ａ４５は、ＭＭＥ＿Ｃ１０７からのＮｏｔｉｆｉｃａｔｉｏｎメッセージの受信に伴い、または、ｅＮＢ＿Ａ４５がサポートするＮｅｔｗｏｒｋ  Ｓｌｉｃｅ  ｔｙｐｅの更新に伴い、ＵＥ＿Ａ１０にＲＲＣメッセージを送信してよい（Ｓ１１０２）。または、ＵＥ＿Ａ１０からＲＲＣメッセージ、及びＲＲＣメッセージに含まれるＮｅｔｗｏｒｋ  Ｓｌｉｃｅ  ｔｙｐｅ及び又はＩｓｏｌａｔｉｏｎ  ｌｅｖｅｌの更新要求の受信に基づき、ｅＮＢ＿Ａ４５はＵＥ＿Ａ１０に応答のＲＲＣメッセージを送信してもよい。
【０４１０】
ｅＮＢ＿Ａ４５がＵＥ＿Ａ１０へ送信するＲＲＣメッセージには、少なくとも第８の識別情報群及び又は、第９の識別情報群が含まれている。
【０４１１】
ｅＮＢ＿Ａ４５がＵＥ＿Ａ１０から受信したＲＲＣメッセージが、ＲＲＣ  ｃｏｎｎｅｃｔｉｏｎ  Ｒｅｑｕｅｓｔメッセージであった場合、応答のＲＲＣメッセージは、ＲＲＣ  ｃｏｎｎｅｃｔｉｏｎ  ｓｅｔｕｐメッセージであってよい。
【０４１２】
ここで、第８の識別情報群とは、ｅＮＢ＿Ａ４５が接続するＭＭＥが含まれるＮｅｔｗｏｒｋ  ＳｌｉｃｅのＮｅｔｗｏｒｋ  Ｓｌｉｃｅ  ｔｙｐｅを識別するための情報のリストであってよい。つまり、図に示すように、Ｎｅｔｗｏｒｋ  Ｓｌｉｃｅ  ｔｙｐｅ＿Ａに分類されるＮｅｔｗｏｒｋ  ｓｌｉｃｅ＿Ａに含まれるＭＭＥ＿Ａ１０４と、Ｎｅｔｗｏｒｋ  Ｓｌｉｃｅ  ｔｙｐｅ＿Ｂに分類されるＮｅｔｗｏｒｋ  ｓｌｉｃｅ＿Ｂに含
まれるＭＭＥ＿Ｂ１０６の両方にｅＮＢ＿Ａ４５が接続している場合、第８の識別情報群は、Ｎｅｔｗｏｒｋ  Ｓｌｉｃｅ  ｔｙｐｅ＿Ａを識別する第１の識別情報と、Ｎｅｔｗｏｒｋ  Ｓｌｉｃｅ  ｔｙｐｅ＿Ｂを識別する第１の識別情報を含めて構成してよい。第８の識別情報群は、ｅＮＢ＿Ａ４５がＭＭＥ＿Ａ１０４及びＭＭＥ＿Ｂ１０６から取得した、１つまたは複数の第１の識別情報から構成されてよい。
【０４１３】
また、第９の識別情報群とは、ｅＮＢ＿Ａ４５が接続するＭＭＥが含まれるＮｅｔｗｏｒｋ  Ｓｌｉｃｅを識別するための情報のリストであってよい。つまり、図に示すように、Ｎｅｔｗｏｒｋ  ｓｌｉｃｅ＿Ａに含まれるＭＭＥ＿Ａ１０４と、Ｎｅｔｗｏｒｋ  ｓｌｉｃｅ＿Ｂに含まれるＭＭＥ＿Ｂ１０６の両方にｅＮＢ＿Ａ４５が接続している場合、第９の識別情報群は、Ｎｅｔｗｏｒｋ  Ｓｌｉｃｅ＿Ａを識別する第３の識別情報と、Ｎｅｔｗｏｒｋ  Ｓｌｉｃｅ＿Ｂを識別する第３の識別情報を含めて構成してよい。第９の識別情報群は、ｅＮＢ＿Ａ４５がＭＭＥ＿Ａ１０４及びＭＭＥ＿Ｂ１０６から取得した１つまたは複数の第３の識別情報で構成されてよい。
【０４１４】
ＵＥ＿Ａ１０は、ｅＮＢ＿Ａ４５が送信したＲＲＣメッセージを受信する。
【０４１５】
以上の手続きにより、ＵＥ＿Ａ１０は、ｅＮＢ＿Ａ４５がサポートするＮｅｔｗｏｒｋ
Ｓｌｉｃｅ  ｔｙｐｅを取得し、ＴＡＵ手続きの開始を決定してもよい（Ｓ１１０４）。
【０４１６】
なお、ＴＡＵ手続きは、図１０で示すＮｅｔｗｏｒｋ  Ｓｌｉｃｅ  ｔｙｐｅ及び又はＩｓｏｌａｔｉｏｎ  ｌｅｖｅｌの更新を伴う、ＴＡＵ手続きであってよい。
【０４１７】
［１．３．４．ＰＤＮ接続手続き（ＰＤＮ  Ｃｏｎｎｅｃｔｉｖｔｙ  ｐｒｏｃｅｄｕｒｅ）］
１．３．１．ではＵＥ＿Ａ１０が最初のＰＤＮ接続を確立するための説明をした。以下では、ＵＥ＿Ａ１０がアタッチ手続き後に、複数のＮｅｔｗｏｒｋ  Ｓｌｉｃｅに同時接続するために、更に追加のＰＤＮ接続を確立するための手続きを説明する。
【０４１８】
なお、追加のＰＤＮ接続を確立するための手続きは、初期アタッチ手続き内、及び又はＲＲＣ接続手続き内でＵＥがネットワークから、複数のＮｅｔｗｏｒｋ  Ｓｌｉｃｅに接続可能であることが通知された場合にのみ実施されてもよい。
【０４１９】
具体的には、ＵＥ＿Ａ１０がｅＮＢ＿Ａ４５から第１１の識別情報を含めるＡｔｔａｃｈ  Ａｃｃｅｐｔメッセージ及び又はＲＲＣメッセージを受信した場合、ＵＥ＿Ａ１０は追加のＰＤＮ接続確立手続きを開始してもよい。
【０４２０】
［１．３．４．１．第１のＰＤＮ接続手続き（ＰＤＮ  Ｃｏｎｎｅｃｔｉｖｔｙ  ｐｒｏｃｅｄｕｒｅ）］
図１３に、第１のＰＤＮ接続手続き例を示す。まず、手続きを開始する前の初期状態（Ｓ１３０１）について説明する。ＵＥ＿Ａ１０は初期状態として、ｅＮＢ＿Ａ４５を介し、ＳＧＷ＿Ａ３５及びＰＧＷ＿Ａ３０へ通信路を確立している。この時、ＭＭＥ＿Ａ１０４がＵＥ＿Ａ１０の移動管理を行っている。つまり、言い換えれば、ＵＥ＿Ａ１０はＮｅｔｗｏｒｋ  Ｓｌｉｃｅ＿Ａ１０１を介したＰＤＮ接続を確立している状態である。さらに、ＵＥ＿Ａ１０による初期Ａｔｔａｃｈ手続きにおいて、ＭＭＥ＿Ａ１０４が選択された状態である。つまり、ＵＥ＿Ａ１０とＭＭＥ＿Ａ１０４間のＮＡＳシグナリングの接続が確立された状態であってよい。
【０４２１】
ＵＥ＿Ａ１０は、ＰＤＮ  Ｃｏｎｎｅｃｔｉｏｎが確立されている初期状態に、更にＰ
ＤＮ  Ｃｏｎｎｅｃｔｉｏｎを確立するために、ＭＭＥ＿Ａ１０４にＰＤＮ  ｃｏｎｎｅｃｔｉｖｉｔｙ  Ｒｅｑｕｅｓｔメッセージを送信する（Ｓ１３００）。
【０４２２】
ＰＤＮ  ｃｏｎｎｅｃｔｉｖｉｔｙ  Ｒｅｑｕｅｓｔメッセージには、第７の識別情報及び又は第２１の識別情報及び又は第１２の識別情報及び又は第１３の識別情報及び又は第１４の識別情報が含まれてもよい。
【０４２３】
ここで、第７の識別情報は、ＵＥが複数のＮｅｔｗｏｒｋ  Ｓｌｉｃｅに接続する事を要求する事を示す識別情報であってもよい。第７の識別情報は、ＵＥ  ｐｒｅｆｅｒｅｎｃｅ情報であってもよい。
【０４２４】
また、第２１の識別情報は、アプリケーション識別情報であってよい。または、サービスを識別するための情報であってよい。
【０４２５】
第１２の識別情報とは、ＵＥが要求するＮｅｔｗｏｒｋ  Ｓｌｉｃｅ  ｔｙｐｅを識別するための情報であってよい。ＵＥ＿Ａ１０がＮｅｔｗｏｒｋ  Ｓｌｉｃｅ  ｔｙｐｅの選択を行った場合、ＵＥ＿Ａ１０がｅＮＢ＿Ａ４５から受信した第８の識別情報群に含まれる複数の第１の識別情報の中から選択したＮｅｔｗｏｒｋ  Ｓｌｉｃｅ  ｔｙｐｅを識別するための情報であってよい。または、ＵＥ＿Ａ１０がネットワークから通知された第８の識別情報群からＮｅｔｗｏｒｋ  Ｓｌｉｃｅ  ｔｙｐｅの選択を行わなかった場合、第１２の識別情報は、ＵＥが記憶するＮｅｔｗｏｒｋ  Ｓｌｉｃｅ  ｔｙｐｅを識別するための情報であってもよい。
【０４２６】
第１３の識別情報とは、ＵＥが要求するＮｅｔｗｏｒｋ  Ｓｌｉｃｅを識別するための情報であってよい。ＵＥ＿Ａ１０がＮｅｔｗｏｒｋ  Ｓｌｉｃｅの選択を行った場合、ＵＥ＿Ａ１０がｅＮＢ＿Ａ４５から受信した第９の識別情報群に含まれる複数の第３の識別情報の中から選択したＮｅｔｗｏｒｋ  Ｓｌｉｃｅを識別するための情報であってよい。または、ＵＥ＿Ａ１０がネットワークから通知された第９の識別情報群からＮｅｔｗｏｒｋ  Ｓｌｉｃｅの選択を行わなかった場合、第１３の識別情報は、ＵＥが記憶するＮｅｔｗｏｒｋ  Ｓｌｉｃｅを識別するための情報であってもよい。
【０４２７】
第１４の識別情報とは、ＵＥが要求するＮｅｔｗｏｒｋ  ｓｌｉｃｅの独立度であってよい。言い換えると、第１４の識別情報は、ＵＥが要求する、Ｎｅｔｗｏｋ  Ｓｌｉｃｅに含まれるＮＦの独立度であってよい。
【０４２８】
例えば、第１４の識別情報とは、ＭＭＥの、他のＮｅｔｗｏｒｋ  ｓｌｉｃｅに対する独立度を示す情報であってよい。本実施形態ではＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ  ｓｌｉｃｅ＿Ａに属しており、他のＮｅｔｗｏｒｋ  ｓｌｉｃｅから独立している場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿ＡとＮｅｔｗｏｒｋ  ｓｌｉｃｅ＿Ｂに属しており、ＭＭＥ＿Ａ１０４が他のＮｅｔｗｏｒｋ  ｓｌｉｃｅ（ここではＮｅｔｗｏｒｋ  ｓｌｉｃｅ＿Ｂ）から独立していない場合、ｉｓｏｌａｔｉｏｎ  ｌｅｖｅｌはレベル１であってもよい。つまり、第１４の識別情報は、ＭＭＥの独立度を示す情報であってもよい。
【０４２９】
ＰＤＮ  ｃｏｎｎｅｃｔｉｖｉｔｙ  ＲｅｑｕｅｓｔメッセージにはＡＰＮが含まれてもよい。ＡＰＮは、ＰＤＮとＮｅｔｗｏｒｋ  Ｓｌｉｃｅ  Ｉｎｓｔａｎｃｅ間の接続点及び接続機能部を示す情報であってよい。
【０４３０】
ＭＭＥ＿Ａ１０４は、ＵＥ＿Ａ１０が送信したＰＤＮ接続要求を受信する。
【０４３１】
ＭＭＥ＿Ａ１０４は、ＰＤＮ  ｃｏｎｎｅｃｔｉｖｉｔｙ  Ｒｅｑｕｅｓｔメッセージに含まれる第７の識別情報及び又は第２１の識別情報に基づいて、ＨＳＳ＿Ａ５０からＵＥ＿Ａ１０の加入者情報の取得手続きを行ってもよい（Ｓ１３０２）。
【０４３２】
具体的には、例えば、ＭＭＥ＿Ａ１０４はＵｐｄａｔｅ  Ｌｏｃａｔｉｏｎ  ＲｅｑｕｅｓｔメッセージまたはＡｕｔｈｅｎｔｉｃａｔｉｏｎ  Ｉｎｆｏｒｍａｔｉｏｎ  ＲｅｑｕｅｓｔメッセージをＨＳＳ＿Ａ５０に送信することで、ＵＥ＿Ａ１０の加入者情報の取得を要求してもよい。また、ＨＳＳ＿Ａ５０は、ＭＭＥ＿Ａ１０４からの要求に基づいて、ＵＥ＿Ａ１０にＵｐｄａｔｅ  Ｌｏｃａｔｉｏｎ  ＡｃｋｎｏｗｌｅｄｇｅまたはＡｕｔｈｅｎｔｉｃａｔｉｏｎ  Ｉｎｆｏｒｍａｔｉｏｎ  Ａｎｓｗｅｒに、ＵＥ＿Ａ１０から要求された加入者情報を含めて送信してよい。この場合、ＭＭＥ＿Ａ１０４はＵｐｄａｔｅ  Ｌｏｃａｔｉｏｎ  ＲｅｑｕｅｓｔメッセージまたはＡｕｔｈｅｎｔｉｃａｔｉｏｎ  Ｉｎｆｏｒｍａｔｉｏｎ  Ｒｅｑｕｅｓｔメッセージに、ＵＥ＿Ａ１０の加入者情報を要求する事を識別するための識別情報またはＦｌａｇを含めて送信してもよい。
【０４３３】
更に、ＭＭＥ＿Ａ１０４は、Ｕｐｄａｔｅ  Ｌｏｃａｔｉｏｎ  ＲｅｑｕｅｓｔメッセージまたはＡｕｔｈｅｎｔｉｃａｔｉｏｎ  Ｉｎｆｏｒｍａｔｉｏｎ  Ｒｅｑｕｅｓｔメッセージに、第２１の識別情報を含めてもよい。
【０４３４】
ＨＳＳ＿Ａ５０は第２１の識別情報をＭＭＥ＿Ａ１０４から受信した場合、第２１で識別されるアプリケーション又はサービスに基づいたＵＥ＿Ａ１０の加入者情報をＵｐｄａｔｅ  Ｌｏｃａｔｉｏｎ  ＡｃｋｎｏｗｌｅｄｇｅまたはＡｕｔｈｅｎｔｉｃａｔｉｏｎ
Ｉｎｆｏｒｍａｔｉｏｎ  Ａｎｓｗｅｒに含めてもよい。
【０４３５】
ここで、ＵＥ＿Ａ１０が要求するＵＥ＿Ａ１０の加入者情報は、ＵＥ＿Ａ１０のＵＥ  ｕｓａｇｅ  ｔｙｐｅ及び又はＮｅｔｗｏｒｋ  Ｓｌｉｃｅ  ｔｙｐｅ及び又はＮｅｔｗｏｒｋ  Ｓｌｉｃｅの識別情報であってよい。また、ＵＥ＿Ａ１０の加入者情報は、ＵＥ＿Ａ１０のＵＥ  ｕｓａｇｅ  ｔｙｐｅ及び又はＮｅｔｗｏｒｋ  Ｓｌｉｃｅ  ｔｙｐｅ及び又はＮｅｔｗｏｒｋ  Ｓｌｉｃｅの識別情報に対応する、ＭＭＥの識別情報が含まれてもよい。
【０４３６】
ＭＭＥ＿Ａ１０４は、ＨＳＳ＿Ａ５０から取得したＵＥ＿Ａ１０の加入者情報、又はＭＭＥ＿Ａ１０４の記憶部で記憶される情報に基づき、ＵＥ＿Ａ１０から受信したＮＡＳメッセージをＵＥ＿Ａ１０がリルートすることを要求することを決定する。
【０４３７】
ここで、ＮＡＳメッセージのリルートとは、ＵＥが一度ＭＭＥに転送したＮＡＳメッセージを、他のＭＭＥへ再転送する事を意味する。
【０４３８】
ＭＭＥ＿Ａ１０４は、ｅＮＢ＿Ａ４５にＲｅｒｏｕｔｅ  ＮＡＳ  ｍｅｓｓａｇｅを送信する（Ｓ１３０４）。ＭＭＥ＿Ａ１０４は、Ｒｅｒｏｕｔｅ  ＮＡＳ  ｍｅｓｓａｇｅに、リルート先のＭＭＥを識別するための情報を含めて送信する。具体的には、例えば、ＭＭＥ＿Ａ１０４は、第４の識別情報をＲｅｒｏｕｔｅ  ＮＡＳ  ｍｅｓｓａｇｅに含めて送信してよい。
【０４３９】
また、ＭＭＥ＿Ａ１０４は、Ｒｅｒｏｕｔｅ  ＮＡＳ  ｍｅｓｓａｇｅに、受信したＮＡＳ  ｍｅｓｓａｇｅを含めて送信してもよい。具体的には、ＰＤＮ  ｃｏｎｎｅｃｔｉｖｉｔｙ  ＲｅｑｕｅｓｔメッセージをＲｅｒｏｕｔｅ  ＮＡＳ  ｍｅｓｓａｇｅに含めてもよい。また、ＭＭＥ＿Ａ１０４は、Ｒｅｒｏｕｔｅ  ＮＡＳ  ｍｅｓｓａｇｅに、更
にＵＥ＿Ａ１０の識別情報を含めてもよい。
【０４４０】
ｅＮＢ＿Ａ４５は、ＭＭＥ＿Ａ１０４が送信したＲｅｒｏｕｔｅ  ＮＡＳ  ｍｅｓｓａｇｅを受信する。
【０４４１】
ｅＮＢ＿Ａ４５は、ＭＭＥ＿Ａ１０４からのＲｅｒｏｕｔｅ  ＮＡＳ  ｍｅｓｓａｇｅの取得に基づいて、ＭＭＥの再選択を行う。ｅＮＢ＿Ａ４５は、ＭＭＥ＿Ａ１０４から取得したリルート先のＭＭＥを識別するための情報に基づき、ＭＭＥを再選択してもよい。ここでは、ｅＮＢ＿Ａ４５は、新しいＭＭＥとしてＭＭＥ＿Ｂ１０６を選択した場合について説明する。
【０４４２】
ｅＮＢ＿Ａ４５は、再選択したＭＭＥ＿Ｂ１０６に、ＰＤＮ  ｃｏｎｎｅｃｔｉｖｉｔｙ  Ｒｅｑｕｅｓｔメッセージを再送する（Ｓ１３０６）。ｅＮＢ＿Ａ４５は、ＰＤＮ  ｃｏｎｎｅｃｔｉｖｉｔｙ  Ｒｅｑｕｅｓｔメッセージと一緒に、初期Ａｔｔａｃｈ手続きで選択されたＭＭＥの識別情報及びＵＥ  ＩＤを送信メッセージ含めても良い。また、更に、ｅＮＢ＿Ａ４５は、第２２の識別情報を送信メッセージに含めてもよい。
【０４４３】
ここで第２２の識別情報とは、送信されるＮＡＳメッセージが、既に他のＭＭＥに対してＮＡＳ接続を確立しているＵＥから送信されたものであることを示す情報であってもよい。また、第２２の識別情報は、ＭＭＥ＿Ｂ１０６にＵＥ＿Ａ１０のコンテキスト情報をＭＭＥ＿Ａ１０４またはＨＳＳ＿Ａ５０から取得する事を要求するための情報であってもよい。
【０４４４】
ＭＭＥ＿Ｂ１０６は、ｅＮＢ＿Ａ４５が転送したＰＤＮ接続要求を受信する。
【０４４５】
ＭＭＥ＿Ｂ１０６は、ｅＮＢ＿Ａ４５からＰＤＮ  ｃｏｎｎｅｃｔｉｖｉｔｙ  Ｒｅｑｕｅｓｔメッセージを受信したことに基づいて、ＨＳＳ＿Ａ５０及びＵＥ＿Ａ１０間の認証手続きを行ってよい（Ｓ１３０７）。ＭＭＥ＿Ａ１０４とＨＳＳ＿Ａ５０間の認証手続き、及びＭＭＥ＿Ａ１０４とＵＥ＿Ａ１０間の認証手続きは、図８で示すアタッチ手続きで説明した手続きと同様であってよい。
【０４４６】
また、ＭＭＥ＿Ｂ１０６は、ｅＮＢ＿Ａ４５から第２２の識別情報を受信したことに基づいて、認証手続きの前に、ＭＭＥ＿Ａ１０４にＵＥ＿Ａ１０のＵＥコンテキストを要求し、取得してもよい。
【０４４７】
認証手続きが完了したら、ＭＭＥ＿Ｂ１０６は、ＳＧＷ及びＰＧＷを選択し、ＳＧＷ及びＰＧＷとＣｒｅａｔｅ  Ｓｅｓｓｉｏｎ手続きを行う（Ｓ１３０８）。ＳＧＷ及びＰＧＷの選択方法、及びＣｒｅａｔｅ  Ｓｅｓｓｉｏｎ手続きは、図８に示す手続きと同じであってよい。
【０４４８】
ＭＭＥ＿Ｂ１０６は、ＳＧＷ及びＰＧＷ間での通信路が確立したことに基づいて、ＵＥ＿Ａ１０にＡｃｔｉｖａｔｅ  ｄｅｆａｕｌｔ  ＥＰＳ  ｂｅａｒｅｒ  ｃｏｎｔｅｘｔ
Ｒｅｑｕｅｓｔメッセージを送信する（Ｓ１３１０）。ＭＭＥ＿Ｂ１０６はＡｃｔｉｖａｔｅ  ｄｅｆａｕｌｔ  ＥＰＳ  ｂｅａｒｅｒ  ｃｏｎｔｅｘｔ  Ｒｅｑｕｅｓｔメッセージに、第１５の識別情報及び又は第１６の識別情報及び又は第１７の識別情報を含めてもよい。
【０４４９】
ここで、第１５の識別情報とは、ネットワークが、ＵＥが接続する事を許可されたＮｅｔｗｏｒｋ  Ｓｌｉｃｅ  Ｔｙｐｅを識別する情報であってよい。具体的には、ｅＮＢ＿Ａ４５が選択したＭＭＥがサポートする、Ｎｅｔｗｏｒｋ  Ｓｌｉｃｅ  ｔｙｐｅを識別
するための情報であってよい。ここでは、追加のＰＤＮ接続の確立手続きにおいて確立する接続が介するＮｅｔｗｏｒｋ  Ｓｌｉｃｅ  ｔｙｐｅを識別する識別情報であってよい。言い換えれば、第１５の識別情報とは、ＵＥ＿Ａ１０からのＰＤＮ  ｃｏｎｎｅｃｔｉｖｉｔｙ  Ｒｅｑｕｅｓｔメッセージにより、ＵＥ＿Ａ１０がネットワークから接続が認証されたＮｅｔｗｏｒｋ  Ｓｌｉｃｅ  ｔｙｐｅを識別する識別情報であってよい。第１５の識別情報は、第１２の識別情報と等しいＮｅｔｗｏｒｋ  Ｓｌｉｃｅ  ｔｙｐｅを示す情報であってよい。
【０４５０】
第１６の識別情報とは、ネットワークが、ＵＥが接続する事を許可されたＮｅｔｗｏｒｋ  Ｓｌｉｃｅを識別する情報であってよい。具体的には、ｅＮＢ＿Ａ４５が選択したＭＭＥが含まれるＮｅｔｗｏｒｋ  Ｓｌｉｃｅを識別するための情報であってよい。ここでは、追加のＰＤＮ接続の確立手続きにおいて確立する接続が介するＮｅｔｗｏｒｋ  Ｓｌｉｃｅを識別する識別情報であってよい。言い換えれば、第１６の識別情報とは、追加のＰＤＮ接続の確立手続きにおいてネットワークに接続が認証されたＮｅｔｗｏｒｋ  Ｓｌｉｃｅを識別する識別情報であってよい。第１６の識別情報は、第１３の識別情報と等しいＮｅｔｗｏｒｋ  Ｓｌｉｃｅを示す情報であってよい。
【０４５１】
また、第１７の識別情報とは、Ｎｅｔｗｏｒｋ  ｓｌｉｃｅの独立度であってよい。言い換えると、第１７の識別情報は、Ｎｅｔｗｏｋ  Ｓｌｉｃｅに含まれるＮＦの独立度であってよい。
【０４５２】
例えば、第１７の識別情報とはＭＭＥの、他のＮｅｔｗｏｒｋ  ｓｌｉｃｅに対する独立度を示す情報であってよい。本実施形態ではＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ  ｓｌｉｃｅ＿Ａ１０１に属しており、他のＮｅｔｗｏｒｋ  ｓｌｉｃｅから独立している場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿Ａ１０１とＮｅｔｗｏｒｋ  ｓｌｉｃｅ＿Ｂ１０２に属しており、ＭＭＥ＿Ａ１０４が他のＮｅｔｗｏｒｋ  ｓｌｉｃｅ（ここではＮｅｔｗｏｒｋ  ｓｌｉｃｅ＿Ｂ）から独立していない場合、ｉｓｏｌａｔｉｏｎ  ｌｅｖｅｌはレベル１であってもよい。つまり、第１７の識別情報は、ＭＭＥの独立度を示す情報であってもよい。
【０４５３】
ここでは、追加のＰＤＮ接続の確立手続きにおいて確立する接続が、第１５の識別情報で識別されるＮｅｔｗｏｒｋ  Ｓｌｉｃｅ  ｔｙｐｅ以外のＮｅｔｗｏｒｋ  Ｓｌｉｃｅ
ｔｙｐｅをサポートするＮｅｔｗｏｒｋ  ｓｌｉｃｅ及び又は、第１６の識別情報で識別されるＮｅｔｗｏｒｋ  Ｓｌｉｃｅ以外のＮｅｔｗｏｒｋ  Ｓｌｉｃｅに対しての独立度を示す情報であってよい。第１７の識別情報で識別される独立度は、第１４の識別情報で識別される独立度と等しくてもよい。また、第１７の識別情報で識別される独立度は、第１４の識別情報で識別される独立度より高い独立度であってもよい。
【０４５４】
また、ＭＭＥ＿Ｂ１０６は、更にＡｃｔｉｖａｔｅ  ｄｅｆａｕｌｔ  ＥＰＳ  ｂｅａｒｅｒ  ｃｏｎｔｅｘｔ  Ｒｅｑｕｅｓｔメッセージに、ＡＰＮを含めてもよい。
【０４５５】
ＡＰＮは、Ｎｅｔｗｏｒｋ  Ｓｌｉｃｅ  ＩｎｓｔａｎｃｅとＰＤＮ間の接続点及び、接続するための機能部を示すための情報であってよい。
【０４５６】
ＵＥ＿Ａ１０は、ＭＭＥ＿Ｂ１０６が送信したＡｃｔｉｖａｔｅ  ｄｅｆａｕｌｔ  ＥＰＳ  ｂｅａｒｅｒ  ｃｏｎｔｅｘｔ  Ｒｅｑｕｅｓｔメッセージを受信する。
【０４５７】
ＵＥ＿Ａ１０は、ＭＭＥ＿Ｂ１０６からＡｃｔｉｖａｔｅ  ｄｅｆａｕｌｔ  ＥＰＳ  ｂｅａｒｅｒ  ｃｏｎｔｅｘｔ  Ｒｅｑｕｅｓｔメッセージを受信したことに基づき、ｅＮＢ＿Ａ４５とＵＥ＿Ａ１０間のＲＲＣ接続を再構成し、ＭＭＥ＿Ｂ１０６へＰＤＮ接続完了メッセージを送信し、追加のＰＤＮ接続を確立させる手続き及び又は、ベアラの確立手続きを完了させる。具体的には、ＵＥ＿Ａ１０はｅＮＢ＿Ａ４５にＲＲＣ接続再構成完了メッセージを送信し、ｅＮＢ＿Ａ４５はＭＭＥ＿Ｂ１０６にＩｎｉｔｉａｌ  Ｃｏｎｔｅｘｔ  Ｒｅｓｐｏｎｓｅメッセージを送信する。ここで、Ｉｎｉｔｉａｌ  Ｃｏｎｔｅｘｔ  Ｒｅｓｐｏｎｓｅメッセージには、ｅＮＢ＿Ａ４５のＴＥＩＤやｅＮＢ＿Ａ４５のダウンリンクのアドレスが含まれてもよい。更に、ＵＥはＭＭＥへｅＮＢ＿Ａ４５を介しＰＤＮ接続完了メッセージを送信する。
【０４５８】
以上により、ＵＥ＿Ａ１０は、ネットワークからの指示に基づき、ＰＤＮ  ｃｏｎｎｅｃｔｉｖｉｔｙ  Ｒｅｑｕｅｓｔメッセージをリルートし、新しいＮｅｔｗｏｒｋ  Ｓｌｉｃｅを介した追加のＰＤＮ接続を確立する手続きを実行してもよい。
【０４５９】
［１．３．４．２．第２のＰＤＮ接続手続き（ＰＤＮ  Ｃｏｎｎｅｃｔｉｖｔｙ  ｐｒｏｃｅｄｕｒｅ）］
次に、第２のＰＤＮ  ｃｏｎｎｅｃｔｉｖｉｔｙ  Ｒｅｑｕｅｓｔメッセージ手続きについて説明する。
【０４６０】
第１のＰＤＮ  ｃｏｎｎｅｃｔｉｖｉｔｙ  Ｒｅｑｕｅｓｔメッセージ手続きでは、ｅＮＢ＿Ａ４５は、ＰＤＮ  ｃｏｎｎｅｃｔｉｖｉｔｙ  Ｒｅｑｕｅｓｔメッセージが含まれるＮＡＳ  ｍｅｓｓａｇｅを、従来通り、Ａｔｔａｃｈ手続きで選択したＭＭＥに対して送信してから、最適なＭＭＥへのリルートを行う手続きを説明した。
【０４６１】
第２のＰＤＮ  ｃｏｎｎｅｃｔｉｖｉｔｙ  Ｒｅｑｕｅｓｔメッセージ手続きでは、ｅＮＢ＿Ａ４５が、ＵＥ＿Ａ１０からのＰＤＮ  ｃｏｎｎｅｃｔｉｖｉｔｙ  Ｒｅｑｕｅｓｔメッセージを受信した時点で、最適なＭＭＥを選択し、ＰＤＮ  ｃｏｎｎｅｃｔｉｖｉｔｙ  Ｒｅｑｕｅｓｔメッセージを選択したＭＭＥに送信する。つまり言い換えると、第２のＰＤＮ  ｃｏｎｎｅｃｔｉｖｉｔｙ  Ｒｅｑｕｅｓｔメッセージ手続きは、リルートを要しない、追加のＮｅｔｗｏｒｋ  ｓｌｉｃｅへのＰＤＮ接続確立手続きである。
【０４６２】
図１４は、第２のＰＤＮ接続手続き（ＰＤＮ  Ｃｏｎｎｅｃｔｉｖｔｙ  ｐｒｏｃｅｄｕｒｅ）を説明するための図である。
【０４６３】
まず、ＵＥ＿Ａ１０は初期状態として、ＳＧＷ＿Ａ及びＰＧＷ＿Ａを介したＰＤＮ接続をＡｔｔａｃｈ手続きにより完了している（Ｓ１４００）。
【０４６４】
この初期状態は、１．３．４．１．章で説明した初期状態と同様であってよいため、説明を省略する。
【０４６５】
ＵＥ＿Ａ１０は、追加のＰＤＮ接続を確立するためにｅＮＢ＿Ａ４５へＰＤＮ  ｃｏｎｎｅｃｔｉｖｉｔｙ  Ｒｅｑｕｅｓｔメッセージを含めたＲＲＣメッセージを送信する（Ｓ１４０２）。
【０４６６】
ＵＥ＿Ａ１０は、更にＲＲＣメッセージに、要求するＰＤＮ接続に対応する第１２の識別情報及び又は第１３の識別情報及び又は第１４の識別情報を含めてもよい。
【０４６７】
第１２の識別情報とは、ＵＥが要求するＮｅｔｗｏｒｋ  Ｓｌｉｃｅ  ｔｙｐｅを識別するための情報であってよい。ＵＥ＿Ａ１０がＮｅｔｗｏｒｋ  Ｓｌｉｃｅ  ｔｙｐｅの
選択を行った場合、ＵＥ＿Ａ１０がｅＮＢ＿Ａ４５から受信した第８の識別情報群に含まれる複数の第１の識別情報の中から選択したＮｅｔｗｏｒｋ  Ｓｌｉｃｅ  ｔｙｐｅを識別するための情報であってよい。または、ＵＥ＿Ａ１０がネットワークから通知された第８の識別情報群からＮｅｔｗｏｒｋ  Ｓｌｉｃｅ  ｔｙｐｅの選択を行わなかった場合、第１２の識別情報は、ＵＥが記憶するＮｅｔｗｏｒｋ  Ｓｌｉｃｅ  ｔｙｐｅを識別するための情報であってもよい。
【０４６８】
第１３の識別情報とは、ＵＥが要求するＮｅｔｗｏｒｋ  Ｓｌｉｃｅを識別するための情報であってよい。ＵＥ＿Ａ１０がＮｅｔｗｏｒｋ  Ｓｌｉｃｅの選択を行った場合、ＵＥ＿Ａ１０がｅＮＢ＿Ａ４５から受信した第９の識別情報群に含まれる複数の第３の識別情報の中から選択したＮｅｔｗｏｒｋ  Ｓｌｉｃｅを識別するための情報であってよい。または、ＵＥ＿Ａ１０がネットワークから通知された第９の識別情報群からＮｅｔｗｏｒｋ  Ｓｌｉｃｅの選択を行わなかった場合、第１３の識別情報は、ＵＥが記憶するＮｅｔｗｏｒｋ  Ｓｌｉｃｅを識別するための情報であってもよい。
【０４６９】
第１４の識別情報とは、ＵＥが要求するＮｅｔｗｏｒｋ  ｓｌｉｃｅの独立度であってよい。言い換えると、第１４の識別情報は、ＵＥが要求する、Ｎｅｔｗｏｋ  Ｓｌｉｃｅに含まれるＮＦの独立度であってよい。
【０４７０】
例えば、第１４の識別情報とは、ＭＭＥの、他のＮｅｔｗｏｒｋ  ｓｌｉｃｅに対する独立度を示す情報であってよい。本実施形態ではＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ  ｓｌｉｃｅ＿Ａに属しており、他のＮｅｔｗｏｒｋ  ｓｌｉｃｅから独立している場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿ＡとＮｅｔｗｏｒｋ  ｓｌｉｃｅ＿Ｂに属しており、ＭＭＥ＿Ａ１０４が他のＮｅｔｗｏｒｋ  ｓｌｉｃｅ（ここではＮｅｔｗｏｒｋ  ｓｌｉｃｅ＿Ｂ）から独立していない場合、ｉｓｏｌａｔｉｏｎ  ｌｅｖｅｌはレベル１であってもよい。つまり、第１４の識別情報は、ＭＭＥの独立度を示す情報であってもよい。
【０４７１】
ＵＥ＿Ａ１０は、更にＲＲＣメッセージに、ＵＥの識別情報を含めてもよい。
【０４７２】
ＰＤＮ  ｃｏｎｎｅｃｔｉｖｉｔｙ  ＲｅｑｕｅｓｔメッセージにはＡＰＮが含まれてもよい。ＡＰＮは、ＰＤＮとＮｅｔｗｏｒｋ  Ｓｌｉｃｅ  Ｉｎｓｔａｎｃｅ間の接続点及び接続機能部を示す情報であってよい。
【０４７３】
また、ＵＥ＿Ａ１０はＲＲＣメッセージに、ＭＭＥの再選択を要求するためのＦｌａｇを含めて、ｅＮＢ＿Ａ４５に送信してもよい。
【０４７４】
また、ＰＤＮ  ｃｏｎｎｅｃｔｉｖｉｔｙ  Ｒｅｑｕｅｓｔメッセージには、第７の識別情報及び又は第２１の識別情報が含まれてもよい。
【０４７５】
ここで、第７の識別情報は、ＵＥが複数のＮｅｔｗｏｒｋ  Ｓｌｉｃｅに接続する事を要求する事を示す識別情報であってもよい。第７の識別情報は、ＵＥ  ｐｒｅｆｅｒｅｎｃｅ情報であってもよい。
【０４７６】
また、第２１の識別情報は、アプリケーション識別情報であってよい。または、サービスを識別するための情報であってよい。
【０４７７】
また、ＵＥ＿Ａ１０はＰＤＮ  ｃｏｎｎｅｃｔｉｖｉｔｙ  Ｒｅｑｕｅｓｔメッセージ
に更に、第１２の識別情報及び又は第１３の識別情報及び又は第１４の識別情報を含めてもよい。
【０４７８】
ｅＮＢ＿Ａ４５は、ＵＥ＿Ａ１０が送信したＲＲＣメッセージ、及び／又は、ＰＤＮ接続要求を受信する。
【０４７９】
ｅＮＢ＿Ａ４５は、ＵＥ＿Ａ１０からのＰＤＮ  ｃｏｎｎｅｃｔｉｖｉｔｙ  Ｒｅｑｕｅｓｔメッセージ及び、第１２の識別情報及び又は第１３の識別情報の受信に基づき、新しいＰＤＮ接続のＮｅｔｗｏｒｋ  ｓｌｉｃｅ  Ｔｙｐｅ及び又はＮｅｔｗｏｒｋ  Ｓｌｉｃｅを選択する（Ｓ１４０３）。
【０４８０】
具体的には、例えば、ＵＥ＿Ａ１０から、第１２の識別情報としてＮｅｔｗｏｒｋ  Ｓｌｉｃｅ  ｔｙｐｅ＿Ａを識別するための識別情報を受信した場合、ｅＮＢ＿Ａ４５はＮｅｔｗｏｒｋ  Ｓｌｉｃｅ  ｔｙｐｅ＿ＡをサポートするＭＭＥのリストからＭＭＥを選択する事を決定する。
【０４８１】
また、ＵＥ＿Ａ１０がＰＤＮ  ｃｏｎｎｅｃｔｉｖｉｔｙ  Ｒｅｑｕｅｓｔメッセージと一緒に第１２の識別情報及び又は第１３の識別情報を送信しなかった場合や、ＵＥ＿Ａ１０がＰＤＮ  ｃｏｎｎｅｃｔｉｖｉｔｙ  Ｒｅｑｕｅｓｔメッセージと一緒に送信した第１２の識別情報で識別されるＮｅｔｗｏｒｋ  Ｓｌｉｃｅ  ｔｙｐｅ及び又は第１３の識別情報で識別されるＮｅｔｗｏｒｋ  ＳｌｉｃｅをサポートするＭＭＥを選択できない場合には、ｅＮＢ＿Ａ４５はデフォルトのＮｅｔｗｏｒｋ  ｓｌｉｃｅのＭＭＥを選択してよい。
【０４８２】
更に、ｅＮＢ＿Ａ４５は、ＵＥ＿Ａ１０からＰＤＮ  ｃｏｎｎｅｃｔｉｖｉｔｙ  Ｒｅｑｕｅｓｔメッセージ及び、第１４の識別情報を受信したことに基づいて、ｉｓｏｌａｔｉｏｎ  ｌｅｖｅｌの選択を行う（Ｓ１４０３）。
【０４８３】
具体的には、例えば、ＵＥ＿Ａ１０から、第１４の識別情報として、ｉｓｏｌａｔｉｏｎ  ｌｅｖｅｌがレベル２であることを示す識別情報を受信した場合、ｅＮＢ＿Ａ４５はＮｅｔｗｏｒｋ  Ｓｌｉｃｅ  ｔｙｐｅの選択により選択したＭＭＥのリストから、更にｉｓｏｌａｔｉｏｎ  ｌｅｖｅｌが少なくともレベル２以上のＭＭＥを選択する。
【０４８４】
なお、ｅＮＢ＿Ａ４５はＵＥ＿Ａ１０から受信した第１４の識別情報で識別されるＩｓｏｌａｔｉｏｎ  ｌｅｖｅｌをサポートするＭＭＥをＭＭＥリストから選択できない場合、一番高い独立度をサポートするＭＭＥを選択するなど、代わりのＭＭＥを選択してもよい。
【０４８５】
また、ｅＮＢ＿Ａ４５はこれらに加え更に、従来行われている、物理的な位置や各ＭＭＥのリソースへの負荷状態からＭＭＥの選択を行ってもよい。
【０４８６】
また、ＵＥ＿Ａ１０がＰＤＮ  ｃｏｎｎｅｃｔｉｖｉｔｙ  Ｒｅｑｕｅｓｔメッセージと一緒に第１４の識別情報を含めて送信しなかった場合には、Ｉｓｏｌａｔｉｏｎ  ｌｅｖｅｌに基づいたＭＭＥの選択は行わなくて良い。
【０４８７】
上記の手続きにより、ｅＮＢ＿Ａ４５はＰＤＮ  ｃｏｎｎｅｃｔｉｖｉｔｙ  Ｒｅｑｕｅｓｔメッセージの転送先となるＭＭＥを選択する。言い換えれば、ｅＮＢ＿Ａ４５はＵＥ＿Ａ１０が接続するＮｅｔｗｏｒｋ  ｓｌｉｃｅを選択する。更に、ｅＮＢ＿Ａ４５は、ＵＥ＿Ａ１０が接続するＮｅｔｗｏｒｋ  ｓｌｉｃｅの独立度を選択してもよい。以下では、ｅＮＢ＿Ａ４５が選択したＭＭＥはＭＭＥ＿Ｂ１０６とする。つまり、ｅＮＢ＿Ａ
４５はＮｅｔｗｏｒｋ  ｓｌｉｃｅとしてＮｅｔｗｏｒｋ  ｓｌｉｃｅ＿Ｂを、Ｉｓｏｌａｔｉｏｎ  ｌｅｖｅｌとしてレベル２を選択したものとする。
【０４８８】
ｅＮＢ＿Ａ４５は、選択したＭＭＥ＿Ｂ１０６にＰＤＮ  ｃｏｎｎｅｃｔｉｖｉｔｙ  Ｒｅｑｕｅｓｔメッセージと転送する（Ｓ１４０４）。ｅＮＢ＿Ａ４５は、ＰＤＮ  ｃｏｎｎｅｃｔｉｖｉｔｙ  Ｒｅｑｕｅｓｔメッセージと一緒に、ＭＭＥ＿Ａ１０４の識別情報及びＵＥ  ＩＤを送信メッセージ含めても良い。また、更に、ｅＮＢ＿Ａ４５は、第２２の識別情報を送信メッセージに含めてもよい。
【０４８９】
ここで第２２の識別情報とは、送信されるＮＡＳメッセージが、既に他のＭＭＥに対してＮＡＳ接続を確立しているＵＥから送信されたものであることを示す情報であってもよい。また、第２２の識別情報は、ＭＭＥ＿Ｂ１０６にＵＥ＿Ａ１０のコンテキスト情報をＭＭＥ＿Ａ１０４またはＨＳＳ＿Ａ５０から取得する事を要求するための情報であってもよい。
【０４９０】
ＭＭＥ＿Ｂ１０６は、ｅＮＢ＿Ａ４５が転送したＰＤＮ接続要求を受信する。
【０４９１】
ＭＭＥ＿Ｂ１０６は、ｅＮＢ＿Ａ４５からＰＤＮ  ｃｏｎｎｅｃｔｉｖｉｔｙ  Ｒｅｑｕｅｓｔメッセージを受信したことに基づいて、ＨＳＳ＿Ａ５０及びＵＥ＿Ａ１０間の認証手続きを行ってよい（Ｓ１４０８）。ＭＭＥ＿Ａ１０４とＨＳＳ＿Ａ５０間の認証手続き、及びＭＭＥ＿Ａ１０４とＵＥ＿Ａ１０間の認証手続きは、図８で示すアタッチ手続きで説明した手続きと同様であってよい。
【０４９２】
また、ＭＭＥ＿Ｂ１０６は、認証手続きの前に、ｅＮＢ＿Ａ４５から第２２の識別情報を受信したことに基づいて、ＭＭＥ＿Ａ１０４にＵＥ＿Ａ１０のＵＥコンテキストを要求し、取得してもよい。
【０４９３】
認証手続きが完了したら、ＭＭＥ＿Ｂ１０６は、ＳＧＷ及びＰＧＷを選択し、ＳＧＷ及びＰＧＷとＣｒｅａｔｅ  Ｓｅｓｓｉｏｎ手続きを行う（Ｓ１４１０）。
ＳＧＷ及びＰＧＷの選択方法、及びＣｒｅａｔｅ  Ｓｅｓｓｉｏｎ手続きは、図８に示す手続きと同じであってよい。
【０４９４】
ＭＭＥ＿Ｂ１０６は、ＳＧＷ及びＰＧＷ間での通信路が確立したことに基づいて、ＵＥ＿Ａ１０にＡｃｔｉｖａｔｅ  ｄｅｆａｕｌｔ  ＥＰＳ  ｂｅａｒｅｒ  ｃｏｎｔｅｘｔ
Ｒｅｑｕｅｓｔメッセージを送信する（Ｓ１４１２）。ＭＭＥ＿Ｂ１０６はＡｃｔｉｖａｔｅ  ｄｅｆａｕｌｔ  ＥＰＳ  ｂｅａｒｅｒ  ｃｏｎｔｅｘｔ  Ｒｅｑｕｅｓｔメッセージに、第１５の識別情報及び又は第１６の識別情報及び又は第１７の識別情報を含めてもよい。
【０４９５】
ここで、第１５の識別情報とは、ネットワークが、ＵＥが接続する事を許可されたＮｅｔｗｏｒｋ  Ｓｌｉｃｅ  Ｔｙｐｅを識別する情報であってよい。具体的には、ｅＮＢ＿Ａ４５が選択したＭＭＥがサポートする、Ｎｅｔｗｏｒｋ  Ｓｌｉｃｅ  ｔｙｐｅを識別するための情報であってよい。ここでは、追加のＰＤＮ接続の確立手続きにおいて確立する接続が介するＮｅｔｗｏｒｋ  Ｓｌｉｃｅ  ｔｙｐｅを識別する識別情報であってよい。言い換えれば、第１５の識別情報とは、ＵＥ＿Ａ１０からのＰＤＮ  ｃｏｎｎｅｃｔｉｖｉｔｙ  Ｒｅｑｕｅｓｔメッセージにより、ＵＥ＿Ａ１０がネットワークから接続が認証されたＮｅｔｗｏｒｋ  Ｓｌｉｃｅ  ｔｙｐｅを識別する識別情報であってよい。第１５の識別情報は、第１２の識別情報と等しいＮｅｔｗｏｒｋ  Ｓｌｉｃｅ  ｔｙｐｅを示す情報であってよい。
【０４９６】
第１６の識別情報とは、ネットワークが、ＵＥが接続する事を許可されたＮｅｔｗｏｒｋ  Ｓｌｉｃｅを識別する情報であってよい。具体的には、ｅＮＢ＿Ａ４５が選択したＭＭＥが含まれるＮｅｔｗｏｒｋ  Ｓｌｉｃｅを識別するための情報であってよい。ここでは、追加のＰＤＮ接続の確立手続きにおいて確立する接続が介するＮｅｔｗｏｒｋ  Ｓｌｉｃｅを識別する識別情報であってよい。言い換えれば、第１６の識別情報とは、追加のＰＤＮ接続の確立手続きにおいてネットワークに接続が認証されたＮｅｔｗｏｒｋ  Ｓｌｉｃｅを識別する識別情報であってよい。第１６の識別情報は、第１３の識別情報と等しいＮｅｔｗｏｒｋ  Ｓｌｉｃｅを示す情報であってよい。
【０４９７】
また、第１７の識別情報とは、Ｎｅｔｗｏｒｋ  ｓｌｉｃｅの独立度であってよい。言い換えると、第１７の識別情報は、Ｎｅｔｗｏｋ  Ｓｌｉｃｅに含まれるＮＦの独立度であってよい。
【０４９８】
例えば、第１７の識別情報とはＭＭＥの、他のＮｅｔｗｏｒｋ  ｓｌｉｃｅに対する独立度を示す情報であってよい。本実施形態ではＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ  ｓｌｉｃｅ＿Ａ１０１に属しており、他のＮｅｔｗｏｒｋ  ｓｌｉｃｅから独立している場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿Ａ１０１とＮｅｔｗｏｒｋ  ｓｌｉｃｅ＿Ｂ１０２に属しており、ＭＭＥ＿Ａ１０４が他のＮｅｔｗｏｒｋ  ｓｌｉｃｅ（ここではＮｅｔｗｏｒｋ  ｓｌｉｃｅ＿Ｂ）から独立していない場合、ｉｓｏｌａｔｉｏｎ  ｌｅｖｅｌはレベル１であってもよい。つまり、第１７の識別情報は、ＭＭＥの独立度を示す情報であってもよい。
【０４９９】
ここでは、追加のＰＤＮ接続の確立手続きにおいて確立する接続が、第１５の識別情報で識別されるＮｅｔｗｏｒｋ  Ｓｌｉｃｅ  ｔｙｐｅ以外のＮｅｔｗｏｒｋ  Ｓｌｉｃｅ
ｔｙｐｅのＮｅｔｗｏｒｋ  ｓｌｉｃｅ及び又は、第１６の識別情報で識別されるＮｅｔｗｏｒｋ  Ｓｌｉｃｅに対しての独立度を示す情報であってよい。第１７の識別情報で識別される独立度は、第１４の識別情報で識別される独立度と等しくてもよい。また、第１７の識別情報で識別される独立度は、第１４の識別情報で識別される独立度より高い独立度であってもよい。
【０５００】
また、ＭＭＥ＿Ｂ１０６は、更にＡｃｔｉｖａｔｅ  ｄｅｆａｕｌｔ  ＥＰＳ  ｂｅａｒｅｒ  ｃｏｎｔｅｘｔ  Ｒｅｑｕｅｓｔメッセージに、ＡＰＮを含めてもよい。
【０５０１】
ＡＰＮは、Ｎｅｔｗｏｒｋ  Ｓｌｉｃｅ  ＩｎｓｔａｎｃｅとＰＤＮ間の接続点及び、接続するための機能部を示すための情報であってよい。
【０５０２】
ＵＥ＿Ａ１０は、ＭＭＥ＿Ｂ１０６が送信したＡｃｔｉｖａｔｅ  ｄｅｆａｕｌｔ  ＥＰＳ  ｂｅａｒｅｒ  ｃｏｎｔｅｘｔ  Ｒｅｑｕｅｓｔメッセージを受信する。
【０５０３】
ＵＥ＿Ａ１０は、ＭＭＥ＿Ｂ１０６からＡｃｔｉｖａｔｅ  ｄｅｆａｕｌｔ  ＥＰＳ  ｂｅａｒｅｒ  ｃｏｎｔｅｘｔ  Ｒｅｑｕｅｓｔメッセージを受信したことに基づき、ｅＮＢ＿Ａ４５とＵＥ＿Ａ１０間のＲＲＣ接続を再構成し、ＭＭＥ＿Ｂ１０６へＰＤＮ接続完了メッセージを送信し、追加のＰＤＮ接続及び又はベアラの確立手続きを完了させる。具体的には、ＵＥ＿Ａ１０はｅＮＢ＿Ａ４５にＲＲＣ接続再構成完了メッセージを送信し、ｅＮＢ＿Ａ４５はＭＭＥ＿Ｂ１０６にＩｎｉｔｉａｌ  Ｃｏｎｔｅｘｔ  Ｒｅｓｐｏｎｓｅメッセージを送信する。ここで、Ｉｎｉｔｉａｌ  Ｃｏｎｔｅｘｔ  Ｒｅｓｐｏｎｓｅメッセージには、ｅＮＢ＿Ａ４５のＴＥＩＤやｅＮＢ＿Ａ４５のダウンリンクのアドレ
スが含まれてもよい。更に、ＵＥはＭＭＥ＿Ｂ１０６へｅＮＢ＿Ａ４５を介しＰＤＮ接続完了メッセージを送信する。
【０５０４】
以上により、ＵＥ＿Ａ１０は、リルートを伴わないで、新しいＮｅｔｗｏｒｋ  Ｓｌｉｃｅを介した追加のＰＤＮ接続を確立する手続きを実行してもよい。
【０５０５】
［２．第２の実施形態］
第１の実施形態では、ＵＥ＿Ａ１０がＡｔｔａｃｈ手続きを用いて、特定のＮｅｔｗｏｒｋ  Ｓｌｉｃｅ  ｔｙｐｅに分類されるＮｅｔｗｏｒｋ  ｓｌｉｃｅを介したＰＤＮコネクションを１つ確立するための手続きを説明した。
【０５０６】
Ｎｅｔｗｏｒｋ  ｓｌｉｃｅのオペレーションでは、ＵＥが複数のＮｅｔｗｏｒｋ  ｓｌｉｃｅに同時に接続する事が要求されている。以下では、Ａｔｔａｃｈ手続きにより、複数のＮｅｔｗｏｒｋ  ｓｌｉｃｅを介したＰＤＮコネクションを確立する場合について説明する。
【０５０７】
なお、システム概要、装置の構成は第１の実施形態と同様でよく、説明は省略する。
【０５０８】
［２．１．処理例］
以下、本実施形態の処理例について説明する。なお、Ａｔｔａｃｈ手続き開始前に実施す、コアネットワークからＵＥへのＮｅｔｗｏｒｋ  Ｓｌｉｃｅ  ｔｙｐｅの通知手続きは、第１の実施形態で説明した方法と同様であってよい。
【０５０９】
［２．１．１．Ａｔｔａｃｈ手続き］
図１２は、本実施形態におけるＡｔｔａｃｈ手続きを説明する為の図である。
【０５１０】
ＵＥ＿Ａ１０はｅＮＢ＿Ａ４５からのＲＲＣメッセージの受信及び又は、第８の識別情報群及び又は第９の識別情報群の受信に基づき、Ｎｅｔｗｏｒｋ  Ｓｌｉｃｅ  ｔｙｐｅ及び又はＮｅｔｗｏｒｋ  Ｓｌｉｃｅの選択を行う（Ｓ８００）。ＵＥ＿Ａ１０は、ＵＥが記憶するＮｅｔｗｏｒｋ  Ｓｌｉｃｅ  ｔｙｐｅまたはＵＥ  ｕｓａｇｅ  ｔｙｐｅに基づいて、要求するＮｅｔｗｏｒｋ  Ｓｌｉｃｅ  ｔｙｐｅ及び又はＮｅｔｗｏｒｋ  Ｓｌｉｃｅを選択してもよい。
【０５１１】
ＵＥ＿Ａ１０は自身が記憶するＮｅｔｗｏｒｋ  Ｓｌｉｃｅ  ｔｙｐｅ及び又はＮｅｔｗｏｒｋ  Ｓｌｉｃｅを、ｅＮＢ＿Ａ４５がサポートしていない場合、ｅＮＢ＿Ａ４５が通知したＮｅｔｗｏｒｋ  Ｓｌｉｃｅ  ｔｙｐｅの中から選択してもよい。
【０５１２】
このとき、ＵＥ＿Ａ１０は複数のＮｅｔｗｏｒｋ  Ｓｌｉｃｅ  ｔｙｐｅ及び又はＮｅｔｗｏｒｋ  Ｓｌｉｃｅを選択してもよい。例えば、ＵＥ＿Ａ１０が図７のＲＲＣ応答メッセージで、第１１の識別情報を受信したことに基づき、ＵＥ＿Ａ１０は複数のＮｅｔｗｏｒｋ  Ｓｌｉｃｅ  Ｔｙｐｅ及び又はＮｅｔｗｏｒｋ  Ｓｌｉｃｅを選択してもよい。
【０５１３】
ここでは、ＵＥ＿Ａ１０はＮｅｔｗｏｒｋ  Ｓｌｉｃｅ  ｔｙｐｅ＿ＡとＮｅｔｗｏｒｋ  Ｓｌｉｃｅ  ｔｙｐｅ＿Ｂを選択したとする。
【０５１４】
ＵＥ＿Ａ１０は、ｅＮＢ＿Ａ４５にＡｔｔａｃｈ  Ｒｅｑｕｅｓｔメッセージを送信する（Ｓ１２００）。ＵＥ＿Ａ１０は、Ａｔｔａｃｈ  Ｒｅｑｕｅｓｔメッセージと一緒に、第１２の識別情報及び又は、第１３の識別情報及び又は、第１４の識別情報及び又は、第７の識別情報を含めて送信してよい。
【０５１５】
第１２の識別情報とは、ＵＥが要求するＮｅｔｗｏｒｋ  Ｓｌｉｃｅ  ｔｙｐｅを識別するための情報であってよい。ＵＥ＿Ａ１０がＮｅｔｗｏｒｋ  Ｓｌｉｃｅ  ｔｙｐｅの選択を行った場合、ＵＥ＿Ａ１０がｅＮＢ＿Ａ４５から受信した第８の識別情報群に含まれる複数の第１の識別情報の中から選択したＮｅｔｗｏｒｋ  Ｓｌｉｃｅ  ｔｙｐｅを識別するための情報であってよい。または、ＵＥ＿Ａ１０がネットワークから通知された第８の識別情報群からＮｅｔｗｏｒｋ  Ｓｌｉｃｅ  ｔｙｐｅの選択を行わなかった場合、第１２の識別情報は、ＵＥが記憶するＮｅｔｗｏｒｋ  Ｓｌｉｃｅ  ｔｙｐｅを識別するための情報であってもよい。
【０５１６】
第１３の識別情報とは、ＵＥが要求するＮｅｔｗｏｒｋ  Ｓｌｉｃｅを識別するための情報であってよい。ＵＥ＿Ａ１０がＮｅｔｗｏｒｋ  Ｓｌｉｃｅの選択を行った場合、ＵＥ＿Ａ１０がｅＮＢ＿Ａ４５から受信した第９の識別情報群に含まれる複数の第３の識別情報の中から選択したＮｅｔｗｏｒｋ  Ｓｌｉｃｅを識別するための情報であってよい。または、ＵＥ＿Ａ１０がネットワークから通知された第９の識別情報群からＮｅｔｗｏｒｋ  Ｓｌｉｃｅの選択を行わなかった場合、第１３の識別情報は、ＵＥが記憶するＮｅｔｗｏｒｋ  Ｓｌｉｃｅを識別するための情報であってもよい。
【０５１７】
第１４の識別情報とは、ＵＥが要求するＮｅｔｗｏｒｋ  ｓｌｉｃｅの独立度であってよい。言い換えると、第１４の識別情報は、ＵＥが要求する、Ｎｅｔｗｏｋ  Ｓｌｉｃｅに含まれるＮＦの独立度であってよい。
【０５１８】
例えば、第１４の識別情報とは、ＭＭＥの、他のＮｅｔｗｏｒｋ  ｓｌｉｃｅに対する独立度を示す情報であってよい。本実施形態ではＭＭＥは１又は複数のＮｅｔｗｏｒｋ  Ｓｌｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ  ｓｌｉｃｅ＿Ａに属しており、他のＮｅｔｗｏｒｋ  ｓｌｉｃｅから独立している場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿ＡとＮｅｔｗｏｒｋ  ｓｌｉｃｅ＿Ｂに属しており、ＭＭＥ＿Ａ１０４が他のＮｅｔｗｏｒｋ  ｓｌｉｃｅ（ここではＮｅｔｗｏｒｋ  ｓｌｉｃｅ＿Ｂ）から独立していない場合、ｉｓｏｌａｔｉｏｎ  ｌｅｖｅｌはレベル１であってもよい。つまり、第１４の識別情報は、ＭＭＥの独立度を示す情報であってもよい。
【０５１９】
また、第７の識別情報は、ＵＥが複数のＮｅｔｗｏｒｋ  Ｓｌｉｃｅに接続する事を要求する事を示す識別情報であってもよい。第７の識別情報は、ＵＥ  ｐｒｅｆｅｒｅｎｃｅ情報であってもよい。
【０５２０】
Ｓ８００で、ＵＥ＿Ａ１０が複数のＮｅｔｗｏｒｋ  Ｓｌｉｃｅ  ｔｙｐｅ及びＮｅｔｗｏｒｋ  Ｓｌｉｃｅを選択した場合、ＵＥ＿Ａ１０は複数の第１２の識別情報及び又は第１３の識別情報及び又は複数の第１４の識別情報をＡｔｔａｃｈ  Ｒｅｑｕｅｓｔメッセージと一緒に送信してもよい。具体的には、Ｎｅｔｗｏｒｋ  Ｓｌｉｃｅ  ｔｙｐｅ＿Ａを識別するための第１２の識別情報と、Ｎｅｔｗｏｒｋ  Ｓｌｉｃｅ  ｔｙｐｅ＿Ｂを識別するための第１２の識別情報をＡｔｔａｃｈ  Ｒｅｑｕｅｓｔメッセージと一緒に送信してよい。更にそれぞれの第１２の識別情報に対応付けられたＩｓｏｌａｔｉｏｎ  ｌｅｖｅｌがレベル１であることを示す第１４の識別情報をＡｔｔａｃｈ  Ｒｅｑｕｅｓｔメッセージと一緒に送信してよい。
【０５２１】
また、ＵＥ＿Ａ１０はＡｔｔａｃｈ  Ｒｅｑｕｅｓｔメッセージには少なくとも、ＩＭＳＩまたはＧＵＴＩ（Ｇｌｏｂａｌｌｙ  Ｕｎｉｑｕｅ  Ｔｅｍｐｏｒａｒｙ  Ｉｄｅｎｔｉｔｙ）、ＵＥ  Ｎｅｔｗｏｒｋ  ｃａｐａｂｉｌｉｔｙ、ＥＳＭ（ＥＰＳ  Ｓｅｓｓｉｏｎ  Ｍａｎａｇｅｍｅｎｔ）  Ｍｅｓｓａｇｅ  Ｃｏｎｔａｉｎｅｒを含めて送信し
てよい。
【０５２２】
ＥＳＭ  Ｍｅｓｓａｇｅ  Ｃｏｎｔａｉｎｅｒは、Ａｔｔａｃｈ  ＲｅｑｕｅｓｔメッセージなどＭｏｂｉｌｉｔｙ  Ｍａｎａｇｅｍｅｎｔ  Ｍｅｓｓａｇｅと一緒に、Ｓｅｓｓｉｏｎ  Ｍａｎａｇｅｍｅｎｔ  Ｍｅｓｓａｇｅを送信するための、メッセージコンテナーである。具体的には、例えば、ＵＥ＿Ａ１０はＥＳＭ  Ｍｅｓｓａｇｅ  ＣｏｎｔａｉｎｅｒにＰＤＮ  Ｃｏｎｎｅｃｔｉｖｉｔｙ  Ｒｅｑｕｅｓｔメッセージを含めて送信してよい。
【０５２３】
ＵＥ＿Ａ１０はＡｔｔａｃｈ  Ｒｅｑｕｅｓｔメッセージに第１２の識別情報及び又は、第１３の識別情報及び又は、第１４の識別情報を更に含めて送信してもよい。具体的には、ＰＤＮ  ｃｏｎｎｅｃｔｉｖｉｔｙ  Ｒｅｑｕｅｓｔメッセージに第１２の識別情報及び又は、第１３の識別情報及び又は、第１４の識別情報が含まれてもよい。
【０５２４】
なお、ここでＵＥ＿Ａ１０は複数のＮｅｔｗｏｒｋ  Ｓｌｉｃｅ  ｔｙｐｅを選択しており、複数のＰＤＮ接続を確立する場合、ＵＥ＿Ａ１０は複数のＥＳＭ  Ｍｅｓｓａｇｅ
Ｃｏｎｔａｉｎｅｒ、または、複数のＰＤＮ  ｃｏｎｎｅｃｔｉｖｉｔｙ  Ｒｅｑｕｅｓｔメッセージを含めるＥＳＭ  Ｍａｓｓａｇｅ  ＣｏｎｔａｉｎｅｒをＡｔｔａｃｈ  Ｒｅｑｕｅｓｔメッセージに含めて送信してよい。
【０５２５】
なお、この場合、複数のＰＤＮ  ｃｏｎｎｅｃｔｉｖｉｔｙ  Ｒｅｑｕｅｓｔメッセージに、それぞれ第１２の識別情報及び又は、第１３の識別情報及び又は、第１４の識別情報を含めて送信してよい。
【０５２６】
ｅＮＢ＿Ａ４５は、ＵＥ＿Ａ１０が送信したＲＲＣメッセージ、及び／又は、Ａｔｔａｃｈ  Ｒｅｑｕｅｓｔメッセージを受信する。
【０５２７】
ｅＮＢ＿Ａ４５は、ＵＥ＿Ａ１０からＡｔｔａｃｈ  Ｒｅｑｕｅｓｔメッセージ及び、第１２の識別情報及び又は、第１３の識別情報を受信したことに基づいて、Ｎｅｔｗｏｒｋ  Ｓｌｉｃｅ  ｔｙｐｅ及び又はＮｅｔｗｏｒｋ  Ｓｌｉｃｅの選択を行う（Ｓ１２０２）。
【０５２８】
具体的には、例えば、ＵＥ＿Ａ１０から、第１２の識別情報としてＮｅｔｗｏｒｋ  ｓｌｉｃｅ  Ｔｙｐｅ＿Ａを識別するための識別情報とＮｅｔｗｏｒｋ  ｓｌｉｃｅ  Ｔｙｐｅ＿Ｂを識別するための識別情報を受信した場合、ｅＮＢ＿Ａ４５はＮｅｔｗｏｒｋ  Ｓｌｉｃｅ  ｔｙｐｅ＿ＡをサポートするＭＭＥのリストと、Ｎｅｔｗｏｒｋ  Ｓｌｉｃｅ  ｔｙｐｅ＿ＢをサポートするＭＭＥのリストからＭＭＥを選択する事を決定する。
【０５２９】
または、同様に、ＵＥ＿Ａ１０から、第１３の識別情報としてＮｅｔｗｏｒｋ  ｓｌｉｃｅ＿Ａを識別するための識別情報とＮｅｔｗｏｒｋ  ｓｌｉｃｅ＿Ｂを識別するための識別情報を受信した場合、ｅＮＢ＿Ａ４５はＮｅｔｗｏｒｋ  Ｓｌｉｃｅ＿Ａに含まれるＭＭＥのリストと、Ｎｅｔｗｏｒｋ  Ｓｌｉｃｅ＿Ｂに含まれるＭＭＥのリストからＭＭＥを選択する事を決定する。
【０５３０】
更に、ｅＮＢ＿Ａ４５は、ＵＥ＿Ａ１０からＡｔｔａｃｈ  Ｒｅｑｕｅｓｔメッセージ及び、第１４の識別情報を受信したことに基づいて、ｉｓｏｌａｔｉｏｎ  ｌｅｖｅｌの選択を行う（Ｓ１２０２）。
【０５３１】
具体的には、例えば、ＵＥ＿Ａ１０から、第１４の識別情報として、ｉｓｏｌａｔｉｏｎ  ｌｅｖｅｌがレベル１であることを示す識別情報を受信した場合、ｅＮＢ＿Ａ４５は
Ｎｅｔｗｏｒｋ  Ｓｌｉｃｅ  ｔｙｐｅの選択により選択したＭＭＥのリストから、更にｉｓｏｌａｔｉｏｎ  ｌｅｖｅｌが少なくともレベル１以上のＭＭＥを選択する。
【０５３２】
なお、ｅＮＢ＿Ａ４５はＵＥ＿Ａ１０から受信した第１４の識別情報で識別されるＩｓｏｌａｔｉｏｎ  ｌｅｖｅｌをサポートするＭＭＥをＭＭＥリストから選択できない場合、一番高い独立度をサポートするＭＭＥを選択するなど、代わりのＭＭＥを選択してもよい。
【０５３３】
また、ｅＮＢ＿Ａ４５は、これらＮｅｔｗｏｒｋ  Ｓｌｉｃｅ  ｔｙｐｅの選択及びＩｓｏｌａｔｉｏｎ  ｌｅｖｅｌの選択に基づいたＭＭＥの選択を、Ａｔｔａｃｈ  Ｒｅｑｕｅｓｔメッセージと一緒に受信したＰＤＮ  ｃｏｎｎｅｃｔｉｖｉｔｙ  Ｒｅｑｕｅｓｔメッセージごとに行う。
【０５３４】
また、ｅＮＢ＿Ａ４５が、複数のＭＭＥの選択を行った結果、同一のＭＭＥを選択できる場合は、同一のＭＭＥを選択してもよい。
【０５３５】
また、ｅＮＢ＿Ａ４５はこれらに加え更に、従来行われている、物理的な位置や各ＭＭＥのリソースへの負荷状態からＭＭＥの選択を行ってもよい。
【０５３６】
また、ＵＥ＿Ａ１０がＡｔｔａｃｈ  Ｒｅｑｕｅｓｔメッセージと一緒にＯｌｄ  ＧＵＴＩをｅＮＢ＿Ａ４５に送信した場合、ｅＮＢ＿Ａ４５は従来行われているＮＮＳＦ（ＮＡＳ  Ｎｏｄｅ  Ｓｅｌｅｃｔｉｏｎ  Ｆｕｎｃｔｉｏｎ）に基づいた、ＭＭＥの選択も行ってもよい。この場合、ｅＮＢ＿Ａ４５はＮＮＳＦに基づいた選択を優先してもよい。
【０５３７】
上記の手続きにより、ｅＮＢ＿Ａ４５はＵＥ＿Ａ１０の移動管理機能を担うＭＭＥを選択する。以下では、ｅＮＢ＿Ａ４５が選択したＭＭＥはＭＭＥ＿Ｄ１０５とする。
【０５３８】
続いて、ｅＮＢ＿Ａ４５はＭＭＥ＿Ｄ１０５にＡｔｔａｃｈ  Ｒｅｑｕｅｓｔメッセージを送信する（Ｓ１２０４）。ｅＮＢ＿Ａ４５は受信したＡｔｔａｃｈ  ＲｅｑｕｅｓｔメッセージをＭＭＥ＿Ｄ１０５転送してよい。
【０５３９】
ｅＮＢ＿Ａ４５は、Ａｔｔａｃｈ  Ｒｅｑｕｅｓｔメッセージと一緒に第１２の識別情報及び又は第１３の識別情報及び又は第１４の識別情報を送信してもよい。
【０５４０】
ｅＮＢ＿Ａ４５が、複数のＭＭＥをＮｅｔｗｏｒｋ  Ｓｌｉｃｅ  ｔｙｐｅごとに選択した場合、ｅＮＢ＿Ａ４５はそれぞれにＡｔｔａｃｈ  Ｒｅｑｕｅｓｔメッセージを転送してもよい。この場合、ｅＮＢ＿Ａ４５は対応するＮｅｔｗｏｒｋ  Ｓｌｉｃｅ  ｔｙｐｅを識別する第１２の識別情報及び又は第１３の識別情報をＡｔｔａｃｈ  Ｒｅｑｕｅｓｔメッセージと一緒に送信してもよい。更に、第１４の識別情報も一緒に送信してもよい。
【０５４１】
ＭＭＥ＿Ｄ１０５は、ＵＥ＿Ａ１０のＵＥコンテキストがなかった場合、ＨＳＳ＿Ａ５０とＵＥ＿Ａ１０との認証手続きを行う（Ｓ１２０６）。ＭＭＥ＿Ｄ１０５は認証手続きにより、ＵＥ＿Ａ１０のＵＥコンテキストを生成し記憶する。
【０５４２】
この時、ＭＭＥ＿Ｄ１０５は、ＨＳＳ＿Ａ５０からＵＥ＿Ａ１０のＵＥ  ｕｓａｇｅ  ｔｙｐｅ及び／又はＮｅｔｗｏｒｋ  Ｓｌｉｃｅ  ｔｙｐｅを取得してもよい。
【０５４３】
または、ＭＭＥ＿Ｄ１０５は認証手続きとは異なる手続きを用いて、ＨＳＳからＵＥ  ｕｓａｇｅ  ｔｙｐｅ及び又はＮｅｔｗｏｒｋ  Ｓｌｉｃｅ  ｔｙｐｅを取得してよい。
【０５４４】
認証手続きが完了したら、ＭＭＥ＿Ｄ１０５は、ＰＤＮ  ｃｏｎｎｅｃｔｉｖｉｔｙ  ＲｅｑｕｅｓｔメッセージごとにＳＧＷ及びＰＧＷを選択し、ＳＧＷ及びＰＧＷとＣｒｅａｔｅ  Ｓｅｓｓｉｏｎ手続きを行う（Ｓ１２０８、Ｓ１２１０）。
【０５４５】
具体的には、例えば、ＭＭＥ＿Ｄ１０５はＳＧＷ＿Ａ３５に第１のＣｒｅａｔｅ  Ｓｅｓｓｉｏｎ  Ｒｅｑｕｅｓｔメッセージを送信し、ＳＧＷ＿Ａ３５は受信した第１のＣｒｅａｔｅ  Ｓｅｓｓｉｏｎ  Ｒｅｑｕｅｓｔメッセージに基づき、ＰＧＷ＿Ａ３０に第２のＣｒｅａｔｅ  Ｓｅｓｓｉｏｎ  Ｒｅｑｕｅｓｔメッセージを送信する。さらにＰＧＷ＿Ａ３０は、第１のＣｒｅａｔｅ  Ｓｅｓｓｉｏｎ  ＲｅｓｐｏｎｓｅメッセージをＳＧＷ＿Ａ３５に送信し、ＳＧＷ＿Ａ３５はＭＭＥに第２のＣｒｅａｔｅ  Ｓｅｓｓｉｏｎ  Ｒｅｓｐｏｎｓｅメッセージを送信する。以上の手続きにより、ＭＭＥ＿Ｄ１０５と、ＳＧＷ＿Ａ３５とＰＧＷ＿Ａ３０間のベアラが確立される。
【０５４６】
同様に、ＭＭＥ＿Ｄ１０５はＳＧＷ＿ＢとＰＧＷ＿Ｂに対しＣｒｅａｔｅ  Ｓｅｓｓｉｏｎ手続きを行うことでＭＭＥ＿Ｄ１０５と、ＳＧＷ＿ＢとＰＧＷ＿Ｂ間のベアラを確立してもよい（Ｓ１２１０）。
【０５４７】
ＭＭＥ＿Ｄ１０５は、Ｃｒｅａｔｅ  Ｓｅｓｓｉｏｎの確立手続きの完了に基づいて、Ａｔｔａｃｈ  ＡｃｃｅｐｔメッセージをＵＥ＿Ａ１０に送信するために、ｅＮＢ＿Ａ４５に送信する（Ｓ１２１２）。
【０５４８】
ＭＭＥ＿Ｄ１０５はＡｔｔａｃｈ  Ａｃｃｅｐｔメッセージには、第１５の識別情報及び又は第１６の識別情報及び又は第１７の識別情報を含めてもよい。
【０５４９】
ここで、第１５の識別情報とは、ネットワークが、ＵＥが接続する事を許可したＮｅｔｗｏｒｋ  Ｓｌｉｃｅ  Ｔｙｐｅを識別する情報であってよい。具体的には、ｅＮＢ＿Ａ４５が選択したＭＭＥがサポートするＮｅｔｗｏｒｋ  Ｓｌｉｃｅ  ｔｙｐｅを識別するための情報であってよい。ここでは、このＡｔｔａｃｈ手続きにおいて確立する接続が介するＮｅｔｗｏｒｋ  Ｓｌｉｃｅ  ｔｙｐｅを識別する識別情報であってよい。言い換えれば、第１５の識別情報とは、Ａｔｔａｃｈ手続きでネットワークに接続が認証されたＮｅｔｗｏｒｋ  Ｓｌｉｃｅ  ｔｙｐｅを識別する識別情報であってよい。第１５の識別情報は、第１２の識別情報と等しいＮｅｔｗｏｒｋ  Ｓｌｉｃｅ  ｔｙｐｅを示す情報であってよい。
【０５５０】
第１６の識別情報とは、ネットワークが、ＵＥが接続する事を許可したＮｅｔｗｏｒｋ
Ｓｌｉｃｅを識別する情報であってよい。具体的には、ｅＮＢ＿Ａ４５が選択したＭＭＥが含まれるＮｅｔｗｏｒｋ  Ｓｌｉｃｅを識別するための情報であってよい。ここでは、このＡｔｔａｃｈ手続きにおいて確立する接続が介するＮｅｔｗｏｒｋ  Ｓｌｉｃｅを識別する識別情報であってよい。言い換えれば、第１６の識別情報とは、Ａｔｔａｃｈ手続きでネットワークに接続が認証されたＮｅｔｗｏｒｋ  Ｓｌｉｃｅを識別する識別情報であってよい。第１６の識別情報は、第１３の識別情報と等しいＮｅｔｗｏｒｋ  Ｓｌｉｃｅを示す情報であってよい。
【０５５１】
また、第１７の識別情報とは、Ｎｅｔｗｏｒｋ  ｓｌｉｃｅの独立度であってよい。言い換えると、第１７の識別情報は、Ｎｅｔｗｏｋ  Ｓｌｉｃｅに含まれるＮＦの独立度であってよい。
【０５５２】
例えば、第１７の識別情報はＭＭＥの、他のＮｅｔｗｏｒｋ  ｓｌｉｃｅに対する独立度を示す情報であってよい。本実施形態ではＭＭＥは１又は複数のＮｅｔｗｏｒｋ  Ｓｌ
ｉｃｅに含まれてよいため、ＭＭＥが含まれるＮｅｔｗｏｒｋ  Ｓｌｉｃｅの数を独立度と対応づけて管理しても良い。具体的には、例えば、ＭＭＥ＿Ａ１０４がＮｅｔｗｏｒｋ
ｓｌｉｃｅ＿Ａ１０１に属しており、他のＮｅｔｗｏｒｋ  ｓｌｉｃｅから独立している場合、ｉｓｏｌａｔｉｏｎ  ｌｅｖｅｌをレベル２として良い。一方で、ＭＭＥ＿Ａ１０４がＮｅｔｗｏｒｋ  ｓｌｉｃｅ＿Ａ１０１とＮｅｔｗｏｒｋ  ｓｌｉｃｅ＿Ｂ１０２に属しており、ＭＭＥ＿Ａ１０４が他のＮｅｔｗｏｒｋ  ｓｌｉｃｅ（ここではＮｅｔｗｏｒｋ  ｓｌｉｃｅ＿Ｂ）から独立していない場合、ｉｓｏｌａｔｉｏｎ  ｌｅｖｅｌはレベル１であってもよい。つまり、第１７の識別情報は、ＭＭＥの独立度を示す情報であってもよい。
【０５５３】
ここでは、このＡｔｔａｃｈ手続きにおいて確立する接続が、第１５の識別情報で識別されるＮｅｔｗｏｒｋ  Ｓｌｉｃｅ  ｔｙｐｅ以外のＮｅｔｗｏｒｋ  Ｓｌｉｃｅ  ｔｙｐｅのＮｅｔｗｏｒｋ  ｓｌｉｃｅ及び又は、第１６の識別情報で識別されるＮｅｔｗｏｒｋ  Ｓｌｉｃｅに対しての独立度を示す情報であってよい。第１７の識別情報で識別される独立度は、第１４の識別情報で識別される独立度と等しくてもよい。また、第１７の識別情報で識別される独立度は、第１４の識別情報で識別される独立度より高い独立度であってもよい。
【０５５４】
ＭＭＥ＿Ｄ１０５は、第１５の識別情報及び又は第１６の識別情報及び又は第１７の識別情報を、Ａｔｔａｃｈ  Ａｃｃｅｐｔメッセージとは独立したメッセージで送信してもよい。具体的には、例えば、ＭＭＥ＿Ａ１０４は、Ａｔｔａｃｈ  Ａｃｃｅｐｔメッセージが含まれるｉｎｉｔｉａｌ  ｃｏｎｔｅｘｔ  Ｓｅｔｕｐ  Ｒｅｑｕｅｓｔメッセージに、第１５の識別情報及び又は第１６の識別情報及び又は第１７の識別情報を含めてｅＮＢ＿Ａ４５に送信してもよい。
【０５５５】
または、ＭＭＥ＿Ｄ１０５は、第１５の識別情報及び又は第１６の識別情報及び又は第１７の識別情報を、Ａｔｔａｃｈ  Ａｃｃｅｐｔメッセージに含まれる、ＥＳＭ  ｍｅｓｓａｇｅ  Ｃｏｎｔａｉｎｅｒの中のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含めて送信してもよい。
【０５５６】
つまり、ＭＭＥ＿Ｄ１０５は、ＵＥ＿Ａ１０にＥＳＭ  ｍｅｓｓａｇｅ  Ｃｏｎｔａｉｎｅｒの中のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを送信してもよい。
【０５５７】
なお、Ａｔｔａｃｈ  Ａｃｃｅｐｔメッセージには、ＡＰＮ、ＧＵＴＩ、ＰＤＮアドレス（ＵＥのＩＰアドレス）、ＥＰＳベアラＩＤ、ＥＳＭ  ｍｅｓｓａｇｅ  Ｃｏｎｔａｉｎｅｒが含まれてもよい。
【０５５８】
なお、ＭＭＥ＿Ｄ１０５は、１又は複数の第１５の識別情報及び又は、１又は複数の第１６の識別情報及び又は、１又は複数の第１７の識別情報をｅＮＢ＿Ａ４５に送信してもよい。具体的には、ＭＭＥ＿Ｄ１０５は、ＳＧＷ＿Ａ３５／ＰＧＷ＿Ａ３０を介した接続と、ＳＧＷ＿Ｂ／ＰＧＷ＿Ｂを介した接続の複数の接続を確立した場合、ＭＭＥ＿Ｄ１０５はそれぞれの接続が接続するＮｅｔｗｏｒｋ  Ｓｌｉｃｅ  ｔｙｐｅを識別するための第１５の識別情報及び又は、Ｎｅｔｗｏｒｋ  Ｓｌｉｃｅを識別するための第１６の識別情報及び又は、それぞれの第１５の識別情報及び又は第１６の識別情報に対応する第１７の識別情報を、ｅＮＢ＿Ａ４５に通知してもよい。
【０５５９】
この場合、ＭＭＥ＿Ｄ１０５は、Ａｔｔａｃｈ  Ａｃｃｅｐｔメッセージに１又は複数のＥＳＭ  ｍｅｓｓａｇｅ  Ｃｏｎｔａｉｎｅｒを含めてよい。さらに、１又は複数のＥＳＭ  ｍｅｓｓａｇｅ  Ｃｏｎｔａｉｎｅｒにそれぞれ第１５の識別情報及び又は第１６
の識別情報及び又は第１７の識別情報を含めてｅＮＢ＿Ａ４５に送信してもよい。
【０５６０】
また、ＭＭＥ＿Ｄ１０５は、Ａｔｔａｃｈ  Ａｃｃｅｐｔメッセージ中のＥＳＭ  ｍｅｓｓａｇｅ  Ｃｏｎｔａｉｎｅｒに１又は複数のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含めてよい。さらに、１又は複数のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージにそれぞれ第１５の識別情報及び又は第１６の識別情報及び又は第１７の識別情報を含めてｅＮＢ＿Ａ４５に送信してもよい。
【０５６１】
具体的には、ｅＮＢ＿Ａ４５がＵＥ＿Ａ１０からのＮｅｔｗｏｒｋ  ｓｌｉｃｅ＿Ａ１０１へのＰＤＮ接続を要求するためのＰＤＮ  ｃｏｎｎｅｃｔｉｖｉｔｙ  Ｒｅｑｕｅｓｔメッセージと、Ｎｅｔｗｏｒｋ  ｓｌｉｃｅ＿Ｂ１０２への接続を要求するためのＰＤＮ  ｃｏｎｎｅｃｔｉｖｉｔｙ  ＲｅｑｕｅｓｔメッセージがＡｔｔａｃｈ  Ｒｅｑｕｅｓｔメッセージに含まれて受信した場合、ＭＭＥ＿Ａ１０４は、Ｎｅｔｗｏｒｋ  ｓｌｉｃｅ＿Ａ１０１へのＰＤＮ接続に対するＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージと、Ｎｅｔｗｏｒｋ  ｓｌｉｃｅ＿Ｂ１０２へのＰＤＮ接続に対するＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを、ｅＮＢ＿Ａ４５を介してＵＥ＿Ａ１０へ送信してもよい。
【０５６２】
また、第１７の識別情報がＭＭＥのＩｓｏｌａｔｉｏｎ  ｌｅｖｅｌである場合は、Ａｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる第１７の識別情報と、Ｎｅｔｗｏｒｋ  ｓｌｉｃｅ＿Ｂ１０２へのＰＤＮ接続に対するＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含まれる第１７の識別情報は、同じＩｓｏｌａｔｉｏｎ  ｌｅｖｅｌを示す情報であってよい。
【０５６３】
また、Ｓ１２０８又はＳ１２１０の手続きで、どちらか一方のＣｒｅａｔｅ  Ｓｅｓｓｉｏｎ手続きではベアラを確立できが、一方のＣｒｅａｔｅ  Ｓｅｓｓｉｏｎ手続きではベアラが確立できなかった場合、ＭＭＥ＿Ｄ１０５はベアラの確立が成功した方に対するＡｔｔａｃｈ  Ａｃｃｅｐｔメッセージを送信してもよい。
【０５６４】
この場合、更にＭＭＥ＿Ｄ１０５は、ベアラの失敗に基づき、失敗した方に対するＰＤＮ  ｃｏｎｎｅｃｔｉｖｉｔｙ  ｒｅｊｅｃｔメッセージをｅＮＢ＿Ａ４５に送信してよい。なお、ＭＭＥ＿Ｄ１０５は、ＰＤＮ  ｃｏｎｎｅｃｔｉｖｉｔｙ  ｒｅｊｅｃｔメッセージを、ＥＳＭ  ｍｅｓｓａｇｅ  Ｃｏｎｔａｉｎｅｒに含めて送信してもよい。
【０５６５】
ＭＭＥ＿Ｄ１０５は、ｅＮＢ＿Ａ４５から受信したＰＤＮ  ｃｏｎｎｅｃｔｉｖｉｔｙ
Ｒｅｑｕｅｓｔメッセージに含まれるＰＤＮ  ｃｏｎｎｅｃｔｉｖｉｔｙ  Ｒｅｑｕｅｓｔメッセージの数とは異なる数のＡｃｔｉｖａｔｅ  Ｄｅｆａｕｌｔ  ＥＰＳ  ｂｅａｒｅｒ  ｃｏｎｔｅｘｔ  ＲｅｑｕｅｓｔメッセージまたはＰＤＮ  ｃｏｎｎｅｃｔｉｖｉｔｙ  Ａｃｃｅｐｔメッセージを含めてｉｎｉｔｉａｌ  ｃｏｎｔｅｘｔ  Ｓｅｔｕｐ
Ｒｅｑｕｅｓｔメッセージを送信してよい。
【０５６６】
具体的には、ＵＥ＿Ａ１０はｅＮＢ＿Ａ４５にＮｅｔｗｏｒｋ  ｓｌｉｃｅ＿Ａ１０１へのＰＤＮ接続を要求するためのＰＤＮ  ｃｏｎｎｅｃｔｉｖｉｔｙ  Ｒｅｑｕｅｓｔメッセージと、Ｎｅｔｗｏｒｋ  ｓｌｉｃｅ＿Ｂ１０２への接続を要求するためのＰＤＮ  ｃｏｎｎｅｃｔｉｖｉｔｙ  ＲｅｑｕｅｓｔメッセージをＡｔｔａｃｈ  Ｒｅｑｕｅｓｔメッセージに含めて送信した場合、ＭＭＥ＿Ｄ１０５が、Ｎｅｔｗｏｒｋ  ｓｌｉｃｅ＿Ａ１０１を介したＰＤＮ接続を確立するためのベアラの確立が成功し、Ｎｅｔｗｏｒｋ  
ｓｌｉｃｅ＿Ｂ１０２を介したＰＤＮ接続の確立を拒絶する場合、ＭＭＥ＿Ｄ１０５はｉｎｉｔｉａｌ  ｃｏｎｔｅｘｔ  Ｓｅｔｕｐ  ＲｅｑｕｅｓｔメッセージにＡｔｔａｃｈ
Ａｃｃｅｐｔメッセージを含めて送信してよい。Ａｔｔａｃｈ  Ａｃｃｅｐｔメッセージには、１つのＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージを含めて送信してよい。更に、ＭＭＥ＿Ｄ１０５は、ベアラの確立に失敗したＰＤＮ  ｃｏｎｎｅｃｔｉｖｉｔｙ  Ｒｅｑｕｅｓｔメッセージに対する応答として、独立してＰＤＮ  ｃｏｎｎｅｃｔｉｖｉｔｙ  ｒｅｊｅｃｔメッセージをｅＮＢ＿Ａ４５に送信してもよい。または、ＭＭＥ＿Ｄ１０５はｉｎｉｔｉａｌ  ｃｏｎｔｅｘｔ  Ｓｅｔｕｐ  Ｒｅｑｕｅｓｔメッセージに、Ａｔｔａｃｈ  Ｒｅｑｕｅｓｔメッセージに対する応答メッセージを含め、応答メッセージには、１つのＡｃｔｉｖａｔｅ  Ｄｅｆａｕｌｔ  ＥＰＳ  ｂｅａｒｅｒ  ｃｏｎｔｅｘｔ  ＲｅｑｕｅｓｔメッセージとＰＤＮ  ｃｏｎｎｅｃｔｉｖｉｔｙ  ｒｅｊｅｃｔメッセージを含めて送信してもよい。
【０５６７】
ｅＮＢ＿Ａ４５は、ＭＭＥ＿Ｄ１０５が送信したＡｔｔａｃｈ  Ａｃｃｅｐｔメッセージを受信する。
【０５６８】
続いて、ｅＮＢ＿Ａ４５は、ＭＭＥ＿Ｄ１０５からのＡｔｔａｃｈ  Ａｃｃｅｐｔメッセージに基づいて、ＵＥ＿１０にＡｔｔａｃｈ  Ａｃｃｅｐｔメッセージを送信する（Ｓ１２１４）。
【０５６９】
Ａｔｔａｃｈ  Ａｃｃｅｐｔメッセージには、１又は複数の第１５の識別情報及び又は、１又は複数の第１６の識別情報及び又は、１又は複数の第１７の識別情報が含まれていてもよい。
【０５７０】
または、ｅＮＢ＿Ａ４５は、第１５の識別情報及び又は第１６の識別情報及び又は第１７の識別情報を、Ａｔｔａｃｈ  Ａｃｃｅｐｔメッセージとは独立したメッセージで送信してもよい。具体的には、例えば、Ａｔｔａｃｈ  Ａｃｃｅｐｔメッセージと一緒に送信されるＲＲＣメッセージに、第１５の識別情報及び又は第１６の識別情報及び又は第１７の識別情報を含めて送信してよい。
【０５７１】
または、ｅＮＢ＿Ａ４５は、第１５の識別情報及び又は第１６の識別情報及び又は第１７の識別情報を、Ａｔｔａｃｈ  Ａｃｃｅｐｔメッセージに含まれる、ＥＳＭ  ｍｅｓｓａｇｅ  Ｃｏｎｔａｉｎｅｒの中のＡｃｔｉｖａｔｅ  Ｄｅｆａｕｌｔ  ＥＰＳ  ｂｅａｒｅｒ  ｃｏｎｔｅｘｔ  Ｒｅｑｕｅｓｔメッセージに含めて送信してもよい。
【０５７２】
つまり、ｅＮＢ＿Ａ４５は、１又は複数のＡｃｔｉｖａｔｅ  Ｄｅｆａｕｌｔ  ＥＰＳ
ｂｅａｒｅｒ  ｃｏｎｔｅｘｔ  ＲｅｑｕｅｓｔメッセージをＵＥ＿Ａ１０に送信してよい。
【０５７３】
ＵＥ＿Ａ１０は、ｅＮＢ＿Ａ４５を介してＭＭＥ＿Ｄ１０５が送信したＡｔｔａｃｈ  Ａｃｃｅｐｔメッセージを受信する。
【０５７４】
例えば、ＵＥ＿Ａ１０が、ＭＭＥ＿Ａ１０４にＮｅｔｗｏｒｋ  ｓｌｉｃｅ＿Ａ１０１へのＰＤＮ接続を要求するためのＰＤＮ  ｃｏｎｎｅｃｔｉｖｉｔｙ  Ｒｅｑｕｅｓｔメッセージと、Ｎｅｔｗｏｒｋ  ｓｌｉｃｅ＿Ｂ１０２への接続を要求するためのＰＤＮ  ｃｏｎｎｅｃｔｉｖｉｔｙ  ＲｅｑｕｅｓｔメッセージをＡｔｔａｃｈ  Ｒｅｑｕｅｓｔメッセージに含めて送信した場合、ＵＥ＿Ａ１０はＭＭＥ＿Ａ１０４からＮｅｔｗｏｒｋ
ｓｌｉｃｅ＿Ａ１０１へのＰＤＮ接続に対する各識別情報と、Ｎｅｔｗｏｒｋ  ｓｌｉｃｅ＿Ａ１０１へのＰＤＮ接続に対する各識別情報を取得してよい。ここで、各識別情報
とは、第１５の識別情報及び又は第１６の識別情報及び又は第１７の識別情報であってよい。
【０５７５】
ＵＥ＿Ａ１０は、Ａｔｔａｃｈ  Ａｃｃｅｐｔメッセージの受信に基づき、ｅＮＢ＿Ａ４５とＵＥ＿Ａ１０間のＲＲＣ接続を再構成し、ＭＭＥ＿Ａ１０４へＡｔｔａｃｈ  ｃｏｍｐｌｅｔｅメッセージを送信し、ＰＤＮ接続を完了させる。具体的には、ＵＥ＿Ａ１０はｅＮＢ＿Ａ４５にＲＲＣ接続再構成完了メッセージを送信し、ｅＮＢ＿Ａ４５はＭＭＥ＿Ａ１０４にＩｎｉｔｉａｌ  Ｃｏｎｔｅｘｔ  Ｒｅｓｐｏｎｓｅメッセージを送信する。ここで、Ｉｎｉｔｉａｌ  Ｃｏｎｔｅｘｔ  Ｒｅｓｐｏｎｓｅメッセージには、ｅＮＢ＿Ａ４５のＴＥＩＤやｅＮＢ＿Ａ４５のダウンリンクのアドレスが含まれてもよい。更に、ＵＥはＭＭＥへｅＮＢ＿Ａ４５を介しＡｔｔａｃｈ  ｃｏｍｐｌｅｔｅを送信する。
【０５７６】
以上により、ＵＥ＿Ａ１０はＮｅｔｗｏｒｋ  ｓｌｉｃｅ＿Ａ及びＮｅｔｗｏｒｋ  ｓｌｉｃｅ＿Ｂを介したＰＤＮ接続を、Ａｔｔａｃｈ手続きにより確立する事ができる。
【０５７７】
［３．変形例］
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０５７８】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０５７９】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明は当該技術による新たな集積回路を用いることも可能である。
【０５８０】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０５８１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０５８２】
１  通信システム
５  ＰＤＮ＿Ａ
１０  ＵＥ＿Ａ
２０  ＵＴＲＡＮ＿Ａ
２２  ｅＮＢ（ＵＴＲＡＮ）＿Ａ
２４  ＲＮＣ＿Ａ
２５  ＧＥＲＡＮ＿Ａ
２６  ＢＳＳ＿Ａ
３０  ＰＧＷ＿Ａ
３５  ＳＧＷ＿Ａ
４５  ｅＮＢ＿Ａ
５０  ＨＳＳ＿Ａ
５５  ＡＡＡ＿Ａ
６０  ＰＣＲＦ＿Ａ
６５  ｅＰＤＧ＿Ａ
７０  ＷＬＡＮ  ＡＮａ
７２  ＷＬＡＮ  ＡＰａ
７４  ＴＷＡＧ＿Ａ
７５  ＷＬＡＮ  ＡＮｂ
７６  ＷＬＡＮ  ＡＰｂ
８０  ＬＴＥ  ＡＮ＿Ａ
９０  コアネットワーク＿Ａ
１０１  Ｎｅｔｗｏｒｋ  ｓｌｉｃｅ＿Ａ
１０２  Ｎｅｔｗｏｒｋ  ｓｌｉｃｅ＿Ｂ
１０３  Ｎｅｔｗｏｒｋ  ｓｌｉｃｅ＿Ｃ
１０４  ＭＭＥ＿Ａ
１０５  ＭＭＥ＿Ｄ
１０６  ＭＭＥ＿Ｂ
１０７  ＭＭＥ＿Ｃ
【図１】
2019096918.tif 000003
【図２】
2019096918.tif 000004
【図３】
2019096918.tif 000005
【図４】
2019096918.tif 000006
【図５】
2019096918.tif 000007
【図６】
2019096918.tif 000008
【図７】
2019096918.tif 000009
【図８】
2019096918.tif 000010
【図９】
2019096918.tif 000011
【図１０】
2019096918.tif 000012
【図１１】
2019096918.tif 000013
【図１２】
2019096918.tif 000014
【図１３】
2019096918.tif 000015
【図１４】
2019096918.tif 000016